(57)【要約】【課題】遊技媒体の流下の検出に基づく報知を好適に行ない、また、可動体の状況に応じた異常報知を行うこと。【解決手段】左打ち報知の実行条件となる右打ち検出ポイントは、Ｓ９０２，Ｓ９０４でゲートスイッチ３２ａによる遊技球の検出が１ポイント加算され、Ｓ９０４，Ｓ９０５で一般入賞スイッチ３３ａによる遊技球の検出が２ポイント加算される。また、遊技者が接触可能な位置に、動作可能に設けられた可動体が第１状態であるときに該可動体の動作が妨げられたときと、可動体が前記第１状態とは異なる第２状態であるときに該可動体の動作が妨げられたときとで、異なる態様にて異常報知を行う。【選択図】図１２
2019122688.tif 000002
【特許請求の範囲】
【請求項１】
遊技者にとって有利な有利状態に制御可能な遊技機であって、
遊技媒体が流下可能な第１経路と、
前記第１経路とは遊技媒体の流下方向が異なる第２経路と、
前記第２経路を流下した遊技媒体を検出可能な検出手段と、
前記有利状態よりも有利度が低い通常状態において、前記検出手段の検出結果に基づいて、遊技者に前記第１経路へ遊技媒体を流下させることを報知する特定報知を実行可能な特定報知手段とを備え、
前記有利状態では、前記第２経路を遊技媒体が流下する方が前記第１経路を遊技媒体が流下するよりも遊技者にとって有利であり、
前記検出手段は、
第１位置で遊技媒体を検出する第１検出手段と、
前記第１位置よりも遊技媒体の流下頻度が高い第２位置で遊技媒体を検出する第２検出手段とを含み、
前記特定報知手段は、前記第１検出手段により遊技媒体が検出されたときと、前記第２検出手段により遊技媒体が検出されたときとで、前記特定報知をするまでの条件が異なり、
さらに、
遊技者が接触可能な位置に、動作可能に設けられた可動体と、
少なくとも前記可動体に関する異常報知を実行可能な異常報知手段と、
を備え、
前記可動体が第１状態であるときに該可動体の動作が妨げられたときと、前記可動体が前記第１状態とは異なる第２状態であるときに該可動体の動作が妨げられたときとで、前記異常報知手段による異常報知の態様が異なる
ことを特徴とする遊技機。
【発明の詳細な説明】
【技術分野】
【０００１】
本発明は、パチンコ遊技機等の遊技機に関し、特に、遊技者にとって有利な有利状態に制御可能な遊技機に関する。
【背景技術】
【０００２】
このような遊技機としては、大当り遊技状態等の遊技者にとって有利な有利状態に制御可能であり、有利状態において第２経路（右遊技領域）に遊技媒体（遊技球）を流下させることを報知し、有利状態よりも有利度が低い通常状態において第１経路（左遊技領域）に遊技媒体を流下させることを報知する制御をするものがあった（特許文献１）。
【０００３】
このような遊技機では、通常遊技状態において第２経路にある通過ゲートに遊技媒体が進入したことにより第２経路への遊技媒体の流下が検出されると、遊技媒体を第１経路に流下させるべきことが報知される。また、通常遊技状態において第２経路にある一般入賞口を遊技媒体が進入したことにより第２経路への遊技媒体の流下を検出することも考えられていた。
【先行技術文献】
【特許文献】
【０００４】
【特許文献１】特開２０１６−１９５５７号公報（段落０２３４、０２７３等）
【発明の概要】
【発明が解決しようとする課題】
【０００５】
しかし、前述した特許文献１の遊技機では、単に、第２経路にある通過ゲートまたは一般入賞口への遊技媒体の進入検出に基づいて所定の報知をするものであり、第２経路における遊技媒体の流下検出位置により遊技媒体の流下頻度が異なる場合があるので、適切な報知をすることができないおそれがあった。
【０００６】
本発明は、かかる実情に鑑み考え出されたものであり、その目的は、遊技媒体の流下の検出に基づく報知を好適に行なうことができる遊技機を提供することである。
【課題を解決するための手段】
【０００７】
（１）  遊技者にとって有利な有利状態（大当り遊技状態、確変状態、時短状態、高ベース状態等）に制御可能な遊技機（パチンコ遊技機１）であって、
遊技媒体（遊技球）が流下可能な第１経路（遊技領域７の左側の第１経路等）と、
前記第１経路とは遊技媒体の流下方向が異なる第２経路（遊技領域７の右側の第２経路等）と、
前記第２経路を流下した遊技媒体を検出可能な検出手段（ゲートスイッチ３２ａ、一般入賞スイッチ３３ａ等）と、
前記有利状態よりも有利度が低い通常状態において、前記検出手段の検出結果に基づいて、遊技者に前記第１経路へ遊技媒体を流下させることを報知する特定報知（図９（Ｂ）の左打ち報知等）を実行可能な特定報知手段（演出制御用マイクロコンピュータ１００、図１１のＳ５０１、図１２のＳ９０７〜Ｓ９０９等）とを備え、
前記有利状態では、前記第２経路を遊技媒体が流下する方が前記第１経路を遊技媒体が流下するよりも遊技者にとって有利であり（大当り遊技状態では右打ちで特別可変入賞球装置２０への入賞が可能、確変状態、時短状態、および、高ベース状態では、右打ちで次回の大当りを、持ち球をあまり減らすことなく早期に発生可能等）、
前記検出手段は、
第１位置で遊技媒体を検出する第１検出手段（ゲートスイッチ３２ａ）と、
前記第１位置よりも遊技媒体の流下頻度が高い第２位置で遊技媒体を検出する第２検出手段（一般入賞スイッチ３３ａ）とを含み、
前記特定報知手段は、前記第１検出手段により遊技媒体が検出されたときと、前記第２検出手段により遊技媒体が検出されたときとで、前記特定報知をするまでの条件が異なり（右打ち検出ポイントは、図１２のＳ９０２，Ｓ９０４でゲートスイッチ３２ａによる遊技球の検出が１ポイント加算、Ｓ９０４，Ｓ９０５で一般入賞スイッチ３３ａによる遊技球の検出が２ポイント加算等）、
さらに、
遊技者が接触可能な位置（例えば、パチンコ遊技機９０１の下方位置）に、動作可能に設けられた可動体（例えば、操作レバー９０３１を有する操作モジュール９０Ｍ）と、
少なくとも前記可動体に関する異常報知を実行可能な異常報知手段（例えば、演出制御用ＣＰＵ９０１２０が、図３２に示すサブ側エラー処理を行う部分）と、
を備え、
前記可動体が第１状態（例えば、操作レバー９０３１を変位させるレバー用モータ９０３６が動作しておらず、操作可能位置に位置している状態）であるときに該可動体の動作が妨げられたときと、前記可動体が前記第１状態とは異なる第２状態（例えば、操作レバー９０３１を変位させるレバー用モータ９０３６が動作しており、操作可能位置から格納位置に変位中である状態）であるときに該可動体の動作が妨げられたときとで、前記異常報知手段による異常報知の態様が異なる（例えば、図３４に示すように、遊技者によるレバー操作が継続していることによる操作レバーエラーのときには、演出表示装置９０５にエラー表示を表示するがエラー音を出力しない態様にてエラーを報知し、異物が挟まったこと等により操作レバー９０３１の変位が不能となった過負荷エラーのときには、演出表示装置５にエラー表示を表示するとともにエラー音を出力する態様にてエラーを報知する部分）
ことを特徴としている。
【０００８】
このような構成によれば、遊技媒体の流下の検出に基づく好適な報知を行なうことができる。また、可動体の状況に応じた異常報知を行うことができる。
【０００９】
（２）  前記（１）の遊技機において、
前記第２経路を流下する遊技媒体は、前記第１検出手段と前記第２検出手段との少なくともいずれか一方により検出される（図１等）。
【００１０】
このような構成によれば、遊技媒体の流下の検出に基づく特定報知を確実に行なうことができる。
【００１１】
（３）  前記（１）または（２）の遊技機において、
前記特定報知手段が前記特定報知をする条件は、数値データに基づいて成立し（図１２のＳ９０７等）、
前記数値データは、前記第１検出手段と前記第２検出手段との少なくともいずれか一方の検出結果に基づいて変化する（Ｓ９０２〜Ｓ９０５等）。
【００１２】
このような構成によれば、遊技媒体の流下の検出に基づく特定報知をより高い精度で行なうことができる。
【００１３】
（４）  前記（１）から（３）のいずれかの遊技機において、
前記特定報知手段が前記特定報知をする条件は、数値データに基づいて成立し（図１２のＳ９０７等）、
前記数値データは、前記第１検出手段の検出結果と前記第２検出手段の検出結果とで変化量が異なる（右打ち検出ポイントは、Ｓ９０２，Ｓ９０３でゲートスイッチ３２ａによる遊技球の検出によるポイントの変化量は１ポイント加算、Ｓ９０４，Ｓ９０５で一般入賞スイッチ３３ａによる遊技球の検出によるポイントの変化量は２ポイント加算等）。
【００１４】
このような構成によれば、遊技媒体の流下の検出に基づく特定報知をより一層高い精度で行なうことができる。
【００１５】
（５）  前記（１）から（４）のいずれかの遊技機において、
前記特定報知手段が前記特定報知をする条件は、数値データに基づいて成立し（図１２のＳ９０７等）、
前記第１検出手段の検出結果と前記第２検出手段の検出結果とで共通の数値データ（右打ち検出ポイント等）が変化し（図１２のＳ９０３，Ｓ９０５等）、当該数値データが所定値となったことに基づいて前記特定報知をする条件が成立する（図１２のＳ９０７，Ｓ９０８等）。
【００１６】
このような構成によれば、遊技媒体の流下の検出に基づく特定報知をするための処理を複雑化させないようにすることができる。
【００１７】
（６）  前記（１）から（５）のいずれかの遊技機において、
前記特定報知手段が前記特定報知をする条件は、数値データに基づいて成立し（図１２のＳ９０７等）、
前記数値データは、所定時間が経過するごとに、前記検出手段の検出結果に基づく変化とは逆に変化する（ゲートスイッチ３２ａおよび一般入賞スイッチ３３ａにより右打ちが検出されないときに、図１２のＳ９０９〜Ｓ９１３で１５秒間経過ごとに右打ち検出ポイントが減算される等）。
【００１８】
このような構成によれば、遊技媒体の流下の検出に基づくより一層好適な報知を行なうことができる。
【００１９】
（７）  前記（１）から（６）のいずれかの遊技機において、
前記特定報知手段が前記特定報知をする条件は、数値データに基づいて成立し（図１２のＳ９０７等）、
前記第１検出手段の検出結果と前記第２検出手段の検出結果とで共通の数値データ（右打ち検出ポイント等）が変化し（図１２のＳ９０３，Ｓ９０５等）、
前記数値データは、所定時間が経過するごとに、前記共通の数値データが前記検出手段の検出結果に基づく変化とは逆に変化する（ゲートスイッチ３２ａおよび一般入賞スイッチ３３ａにより右打ちが検出されないときに、図１２のＳ９０９〜Ｓ９１３で１５秒間経過ごとに右打ち検出ポイントが減算される等）。
【００２０】
このような構成によれば、必要以上の特定報知を抑制するための処理を複雑化させないようにすることができる。
【００２１】
（８）  前記（１）から（７）のいずれかの遊技機において、
前記有利状態中の演出状態（ラウンド中の演出状態等）を複数種類の演出状態（図１３のＡモードまたはＢモード等）のうちいずれかに制御可能な演出状態制御手段（演出制御用マイクロコンピュータ１００等）と、
前記有利状態中に付与された遊技媒体数（遊技球数等）に関連した報知演出（図１３に示す第１報知画像２０４や第２報知画像２１４による報知演出等）を実行する報知演出手段（演出制御用マイクロコンピュータ１００等）とを備え、
前記報知演出手段は、
前記演出状態制御手段により第１演出状態（Ａモード等）に制御されているときには、第１報知態様（図１３に示す第１報知画像２０４等）による前記報知演出を実行し、
前記演出状態制御手段により前記第１演出状態とは異なる第２演出状態（Ｂモード等）に制御されているときには、前記第１報知態様とは異なる第２報知態様（図１２に示す第２報知画像２１４等）による前記報知演出を実行する。
【００２２】
このような構成によれば、演出状態に応じた報知演出により、有利状態中の遊技の興趣を向上させることができる。
【００２３】
また、後述する発明を実施するための形態には、以下の（９）〜（１５）に係る発明が含まれる。従来より、遊技機において、特開２０１６−１０６６８１号公報に示されているような、可動体として、遊技機の上部前面に出没可能に設けられた演出用役物を備える遊技機において、演出用役物が所定の原点位置に格納されているか否かを監視して、原点位置に格納されていない場合に異常報知をするものがあった。しかしながら、上記した遊技機には、段落０３０７に記載されているように、監視する演出用役物を遊技者が接触可能な位置に設けられた演出用ボタンとした場合には、演出用ボタンの状況に応じた異常報知を行うことができず、これら演出用ボタンがどのような状況で異常となったのかを把握することができないという問題があった。この点に鑑み、可動体の状況に応じた異常報知を行うことのできる遊技機の提供が求められている。
【００２４】
上記目的を達成するため、別態様による（９）の遊技機は、
（９）遊技が可能な遊技機（例えば、パチンコ遊技機９０１）であって、
遊技者が接触可能な位置（例えば、パチンコ遊技機９０１の下方位置）に、動作可能に設けられた可動体（例えば、操作レバー９０３１を有する操作モジュール９０Ｍ）と、
少なくとも前記可動体に関する異常報知を実行可能な異常報知手段（例えば、演出制御用ＣＰＵ９０１２０が、図３２に示すサブ側エラー処理を行う部分）と、
を備え、
前記可動体が第１状態（例えば、操作レバー９０３１を変位させるレバー用モータ９０３６が動作しておらず、操作可能位置に位置している状態）であるときに該可動体の動作が妨げられたときと、前記可動体が前記第１状態とは異なる第２状態（例えば、操作レバー９０３１を変位させるレバー用モータ９０３６が動作しており、操作可能位置から格納位置に変位中である状態）であるときに該可動体の動作が妨げられたときとで、前記異常報知手段による異常報知の態様が異なる（例えば、図３４に示すように、遊技者によるレバー操作が継続していることによる操作レバーエラーのときには、演出表示装置９０５にエラー表示を表示するがエラー音を出力しない態様にてエラーを報知し、異物が挟まったこと等により操作レバー９０３１の変位が不能となった過負荷エラーのときには、演出表示装置５にエラー表示を表示するとともにエラー音を出力する態様にてエラーを報知する部分）
ことを特徴としている。
この特徴によれば、可動体の状況に応じた異常報知を行うことができる。
【００２５】
（１０）上記（９）の遊技機において、
遊技者が操作可能な操作体（例えば、操作レバー９０３１）を含む操作手段（例えば、操作モジュール９０Ｍ）を備え、
前記可動体は、前記操作手段の操作体（例えば、操作レバー９０３１）である
ことを特徴としている。
この特徴によれば、遊技者による誤った操作等によって可動体の動作が妨げられても、可動体の状況に応じた異常報知を行うことができる。
【００２６】
（１１）上記（９）または（１０）の遊技機において、
前記異常報知手段は、
異常表示による第１態様の異常報知（例えば、図３４（ａ）に示すエラー報知）と、異常音の出力と異常表示とによる第２態様の異常報知（例えば、図３４（ｂ）に示すエラー報知）とを実行可能であって、
前記可動体が第１状態であるときに該可動体の動作が妨げられたときには前記第１態様の異常報知を実行し、前記可動体が前記第２状態であるときに該可動体の動作が妨げられたときには前記第２態様の異常報知を実行する（例えば、レバー操作エラーのときに、図３４（ａ）に示すエラー報知を実行し、過負荷エラーのときに、図３４（ｂ）に示すエラー報知を実行する部分）
ことを特徴としている。
この特徴によれば、異常報知の態様の違いを認識し易くできるので、異常が発生した可動体の状況を容易に把握できる。
【００２７】
（１２）上記（９）〜（１１）のいずれかに記載の遊技機において、
前記可動体（例えば、操作レバー９０３１）を動作可能な位置（例えば、操作可能位置）に変位させるための駆動手段（例えば、レバー用モータ９０３６）を備え、
前記可動体が変位中ではない状態（例えば、操作レバー９０３１が操作可能位置に位置している状態）が前記第１状態であり、前記可動体が変位中である状態（例えば、操作レバー９０３１が操作可能位置から格納位置に変位している状態）が前記第２状態であって、
前記駆動手段は、前記第２状態において可動体の動作が妨げられたときには駆動を中止する（例えば、レバー用モータ９０３６が過負荷であることで過負荷エラーと判定されたときには、Ｓ９０３２６においてレバー用モータ９０３６の駆動（動作）を停止する部分）
ことを特徴としている。
この特徴によれば、駆動手段や可動体が損傷することを防ぐことができる。
【００２８】
（１３）上記（９）〜（１２）のいずれかに記載の遊技機において、
前記可動体を用いた可動体演出（例えば、操作レバー演出）を実行可能な可動体演出実行手段（例えば、演出制御用ＣＰＵ９０１２０が、Ｓ９０３１１のレバー突出処理を実行して、操作レバー９０３１を格納位置から操作可能位置に変位させる操作レバー演出を実行する部分）を備え、
前記可動体演出実行手段は、前記異常報知手段が前記可動体に関する異常報知を実行しているときには、前記可動体演出の実行を制限する（例えば、演出制御用ＣＰＵ９０１２０が、レバー操作エラーフラグまたは過負荷エラーフラグがセットされている場合には、Ｓ９０３０９からＳ９０３４０に進んで、レバー突出処理を実行しない部分）
ことを特徴としている。
この特徴によれば、異常が発生している状態で可動体演出が行われることで、不適切な可動体演出が実行されてしまうことを防ぐことができる。
【００２９】
（１４）上記（９）〜（１３）のいずれかに記載の遊技機において、
原点位置と該原点位置（例えば、操作レバー９０３１であれば格納位置）から離れた位置（例えば、操作可能位置）との間で前記可動体を動作させるための駆動手段（例えば、レバー用モータ９０３６）と、
前記駆動手段による前記可動体の動作を制御する制御手段（例えば、レバー突出処理を実行する演出制御用ＣＰＵ９０１２０）と、
を備え、
前記制御手段は、
前記原点位置に前記可動体を位置させるための第１動作制御（例えば、演出制御用ＣＰＵ９０１２０が、第１動作制御として第２初期化処理のステップＳ９０１０５〜ステップＳ９０１１４の非検出時動作制御やステップＳ９０１２０〜ステップＳ９０１２８の検出時動作制御を実行する部分など）と、前記可動体が正常に動作可能であることを確認するための第２動作制御（例えば、演出制御用ＣＰＵ９０１２０が、第２動作制御として第２初期化処理のステップＳ９０２０１〜ステップＳ９０２１３の実動作確認用動作制御を実行する部分など）と、前記可動体による演出を行うための第３動作制御（例えば、演出制御用ＣＰＵ９０１２０が、演出図柄の変動表示を実行している期間においてＳ９０３１１のレバー突出処理を実行して操作レバー演出を実行する部分）とを行うことが可能であり、
前記第２動作制御においては、第１速度と該第１速度よりも速い第２速度との範囲内で前記可動体が動作するように制御し（例えば、演出制御用ＣＰＵ９０１２０は、実動作確認用動作制御を実行する場合、第１速度である最低速度（低速）と該最低速度よりも速い第２速度としての最高速度（高速）との範囲内の速度で可動役物が動作するように制御する部分）、
前記第１動作制御においては、前記第２動作制御における前記第１速度以下の速度で前記可動体が動作するように制御する（例えば、演出制御用ＣＰＵ９０１２０が、第１動作制御としての非検出時動作制御や検出時動作制御を実行する場合、第２動作制御としての実動作確認用動作制御における最低速度以下の速度（この実施例では、実動作確認用動作制御における最低速度と同じ速度）で可動役物が動作するように制御する部分）
ことを特徴としている。
この特徴によれば、可動体を安全に原点位置に位置させることができる。
【００３０】
（１５）上記（９）〜（１４）のいずれかに記載の遊技機において、
遊技者の動作を検出可能な検出手段（例えば、プッシュボタン９０３１Ａや操作レバー９０３１）と、
前記検出手段に対応した特定表示を行う特定表示実行手段（例えば、演出制御用ＣＰＵ９０１２０が、図３６に示す変形例において、プッシュボタン９０３１Ａの画像や操作レバー９０３１の画像を表示する処理を実行する部分）と、
を備え、
前記特定表示実行手段は、
前記特定表示として、第１特定表示（例えば、変形例におけるプッシュボタン９０３１Ａの画像）と、前記第１特定表示よりも遊技者にとって有利度が高い第２特定表示（例えば、変形例における操作レバー９０３１の画像）を表示可能であり、
前記第１特定表示を表示した後、前記特定表示に作用する作用演出（例えば、キャラクタが弾丸を発射してプッシュボタン９０３１Ａの画像に命中させる演出）が実行されることにより前記第２特定表示を表示可能である
ことを特徴としている。
この特徴によれば、作用演出が実行されることによって第１特定表示が第２特定表示に変化することが解り易くなるので、演出効果を向上できる。
【００３１】
尚、本発明は、本発明の請求項に記載された発明特定事項のみを有するものであって良いし、本発明の請求項に記載された発明特定事項とともに該発明特定事項以外の構成を有するものであってもよい。
【図面の簡単な説明】
【００３２】
【図１】パチンコ遊技機を正面からみた正面図である。
【図２】当り種別表を示す図である。
【図３】主基板（遊技制御基板）および演出制御基板における回路構成の一例を示すブロック図である。
【図４】各乱数を示す説明図である。
【図５】大当り判定テーブルおよび大当り種別判定テーブルを示す説明図である。
【図６】演出制御コマンドの内容の一例を示す説明図である。
【図７】タイマ割込処理を示すフローチャートである。
【図８】特別図柄プロセス処理を示すフローチャートである。
【図９】演出制御メイン処理を示すフローチャートである。
【図１０】右打ち報知演出および左打ち報知演出を説明するための演出表示装置の表示画面図である。
【図１１】演出制御プロセス処理を示すフローチャートである。
【図１２】左打ち報知処理を示すフローチャートである。
【図１３】第２実施形態の報知演出を説明するための図である。
【図１４】第３実施形態の報知演出の演出態様の具体例を示す説明図である。
【図１５】第３実施形態の報知演出の演出態様の具体例を示す説明図である。
【図１６】パチンコ遊技機を正面から見た正面図である。
【図１７】パチンコ遊技機の回路構成例を示すブロック図である。
【図１８】パチンコ遊技機の下方に設けられた操作モジュールの構造を示す図である。
【図１９】演出制御コマンドを例示する図である。
【図２０】変動パターンを例示する図である。
【図２１】表示結果判定テーブルを示す説明図である。
【図２２】（Ａ）は、大当り種別判定テーブルの構成例を示す図であり、（Ｂ）は、各種大当りの内容を示す図である。
【図２３】遊技制御用タイマ割込み処理の一例を示すフローチャートである。
【図２４】特別図柄プロセス処理の一例を示すフローチャートである。
【図２５】演出制御メイン処理の一例を示すフローチャートである。
【図２６】第２初期化処理の一例を示すフローチャートである。
【図２７】第２初期化処理の一例を示すフローチャートである。
【図２８】非検出時動作制御と検出時動作制御と実動作確認用動作制御の動作例を示す説明図である。
【図２９】非検出時動作制御と検出時動作制御と実動作確認用動作制御の動作速度例を示す説明図である。
【図３０】演出制御プロセス処理の一例を示すフローチャートである。
【図３１】演出図柄変動中処理の一例を示すフローチャートである。
【図３２】エラー処理の一例を示すフローチャートである。
【図３３】操作レバーの状態とエラー報知との関係を示す説明図である。
【図３４】エラー報知例を示す図である。
【図３５】スーパーリーチにおける操作レバーを用いた演出例を示す図である。
【図３６】変形例における演出例を示す図である。
【発明を実施するための形態】
【００３３】
以下、本発明の実施の形態を、図面を参照して説明する。なお、遊技機の一例としてパチンコ遊技機を示すが、本発明はパチンコ遊技機に限られず、コイン遊技機、スロットマシン等のその他の遊技機であってもよく、遊技者にとって有利な有利状態に制御可能な遊技機であれば、どのような遊技機であってもよい。
【００３４】
［第１実施形態］
以下、本発明の実施の形態を、図面を参照して説明する。まず、遊技機の一例であるパチンコ遊技機１の全体の構成について説明する。図１はパチンコ遊技機１を正面からみた正面図である。図２は当り種別表である。
【００３５】
パチンコ遊技機１は、遊技媒体としての遊技球を遊技領域７に打込んで遊技が行なわれる遊技機である。パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。パチンコ遊技機１では、遊技媒体としての遊技球を遊技領域に打込んで遊技が行なわれる。
【００３６】
ガラス扉枠２の下部表面には打球供給皿（上皿）３がある。打球供給皿３の下部には、打球供給皿３に収容しきれない遊技球を貯留する余剰球受皿４、および、打球を発射する打球操作ハンドル（操作ノブ）５等が設けられている。また、ガラス扉枠２の背面には、遊技盤６が着脱可能に取付けられている。遊技盤６は、それを構成する板状体と、その板状体に取付けられた種々の部品とを含む構造体である。また、遊技盤６の前面には、打込まれた遊技球が流下可能な遊技領域７が形成されている。遊技領域７には、多数の遊技釘Ｎが植設されている。遊技領域７には、遊技釘Ｎのうち一部の遊技釘が示されている。打球発射装置は、発射モータにより駆動されるものであり、打球操作ハンドル５の回動操作位置に応じて、遊技球を打出す力（発射強度）が調整される。これにより、遊技者は、遊技領域７において希望する場所を狙って遊技球を発射することが可能である。
【００３７】
余剰球受皿（下皿）４を形成する部材には、たとえば下皿本体の上面における手前側の所定位置（たとえば下皿の中央部分）等に、スティック形状（棒形状）に構成され、遊技者が把持して複数方向（前後左右）に傾倒する操作が可能なスティックコントローラ１２２が取付けられている。なお、スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２５（図３参照）が設けられ、スティックコントローラ１２２の操作桿の内部には、トリガボタン１２５に対する押引操作等による所定の指示操作を検知するトリガセンサ１２１（図３参照）が内蔵されている。また、スティックコントローラ１２２の下部における下皿の本体内部等には、操作桿に対する傾倒操作を検知する傾倒方向センサユニット１２３（図３参照）が設けられている。また、スティックコントローラ１２２には、スティックコントローラ１２２を振動動作させるためのバイブレータ用モータ１２６（図３参照）が内蔵されている。
【００３８】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２０が設けられている。プッシュボタン１２０は、遊技者からの押下操作等による所定の指示操作を、機械的、電気的、あるいは、電磁的に、検出できるように構成されていればよい。プッシュボタン１２０の設置位置における上皿の本体内部等には、プッシュボタン１２０に対してなされた遊技者の操作行為を検知するプッシュセンサ１２４（図３参照）が設けられていればよい。図１に示す構成例では、プッシュボタン１２０とスティックコントローラ１２２の取付位置が、上皿及び下皿の中央部分において上下の位置関係にある。これに対して、上下の位置関係を保ったまま、プッシュボタン１２０及びスティックコントローラ１２２の取付位置を、上皿及び下皿において左右のいずれかに寄せた位置としてもよい。あるいは、プッシュボタン１２０とスティックコントローラ１２２との取付位置が上下の位置関係にはなく、たとえば左右の位置関係にあるものとしてもよい。なお、操作手段としては、レバースイッチ、および、ジョグダイヤル等のその他の操作手段を設けてもよい。
【００３９】
遊技領域７の中央付近には、各々を識別可能な複数種類の識別情報としての演出図柄を変動表示（可変表示ともいう）可能な演出表示装置９が設けられている。遊技領域７においては、遊技球が流下する流下経路のうちの第１経路が、正面から見て演出表示装置９よりも左側の領域に主に設けられ、遊技球が流下する流下経路のうち第１経路とは異なる第２経路が、正面から見て演出表示装置９よりも右側の領域に主に設けられている。
【００４０】
第１経路に遊技球を流下させるために演出表示装置９の左側領域（左側遊技領域）に遊技球を打込むことが左打ちと呼ばれる。第２経路に遊技球を流下させるために演出表示装置９の右側領域（右側遊技領域）に遊技球を打込むことが右打ちと呼ばれる。第１経路は、遊技領域７の左側に遊技球を打ち込むことにより遊技球が流下可能となる経路であるので、左打ち経路と呼ばれてもよい。また、第２経路は、遊技領域７の右側に遊技球を打ち込むことにより遊技球が流下可能となる経路であるので、右打ち経路と呼ばれてもよい。
【００４１】
なお、第１経路と第２経路とは、別の経路により構成されてもよく、一部が共有化された経路であってもよい。左遊技領域と右遊技領域とは、たとえば、遊技領域７内における演出表示装置９の端面や遊技釘Ｎの配列等により区分けされていればよい。
【００４２】
打球操作ハンドル５の操作に応じて打球発射装置から発射されて遊技領域７に打込まれた遊技球は、左遊技領域へと誘導された場合に、たとえば遊技釘の配列に沿って誘導されることにより、右遊技領域へは誘導不可能または誘導困難となる。また、遊技球は、右遊技領域へと誘導された場合に、たとえば遊技釘の配列に沿って誘導されることにより、左遊技領域へは誘導不可能または誘導困難となる。
【００４３】
遊技領域７における演出表示装置９の右側方には、各々を識別可能な複数種類の識別情報としての第１特別図柄を変動表示する第１特別図柄表示器（第１変動表示部）８ａと、各々を識別可能な複数種類の識別情報としての第２特別図柄を変動表示する第２特別図柄表示器（第２変動表示部）８ｂとが設けられている。
【００４４】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されており、表示画面において、第１特別図柄または第２特別図柄の変動表示に同期した演出図柄の変動表示を行なう演出図柄表示領域が設けられる。演出図柄表示領域には、たとえば左，中，右の３つの装飾用（演出用）の演出図柄を変動表示する図柄表示エリアが形成される。
【００４５】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００４６】
なお、この実施の形態では、２つの特別図柄表示器８ａ，８ｂを備える場合を示しているが、遊技機は、特別図柄表示器を１つのみ備えるものであってもよい。
【００４７】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴なって演出表示装置９で演出表示が実行され、第２特別図柄表示器８ｂで第２特別図柄の変動表示が実行されているときに、その変動表示に伴なって演出表示装置９で演出表示が実行されるので、遊技の進行状況を把握しやすくすることができる。
【００４８】
より具体的には、第１特別図柄または第２特別図柄の変動表示は、変動表示の実行条件である第１始動条件または第２始動条件が成立（たとえば、遊技球が第１始動入賞口１３または第２始動入賞口１４を通過（入賞を含む）したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【００４９】
第１特別図柄表示器８ａに特定表示結果としての大当り表示結果（大当り図柄）が導出表示されたとき、または、第２特別図柄表示器８ｂに特定表示結果としての大当り表示結果（大当り図柄）が導出表示されたときには、演出表示装置９においても、特定表示結果としての大当り表示結果（大当り図柄の組合せ）が導出表示される。このように変動表示の表示結果として特定表示結果が表示されたときには、遊技者にとって有利な価値（有利価値）が付与される有利状態としての特定遊技状態（大当り遊技状態）に制御される。
【００５０】
また、演出表示装置９において、最終停止図柄（たとえば左右中図柄のうち中図柄）となる図柄以外の図柄が、所定時間継続して、大当り図柄（たとえば左中右の図柄が同じ図柄で揃った図柄の組合せ）と一致している状態で停止、揺動、拡大縮小もしくは変形している状態、または、複数の図柄が同一図柄で同期して変動表示したり、表示図柄の位置が入れ替わっていたりして、最終結果が表示される前で大当り発生の可能性が継続している状態（以下、これら状態をリーチ状態という。）で行なわれる演出をリーチ演出という。
【００５１】
ここで、リーチ状態は、演出表示装置９の表示領域において停止表示された演出図柄が大当り組合せの一部を構成しているときに未だ停止表示されていない演出図柄の変動表示が継続している表示状態、または、全部もしくは一部の演出図柄が大当り組合せの全部または一部を構成しながら同期して変動表示している表示状態である。言い換えると、リーチとは、複数の変動表示領域において識別情報が特定表示結果を構成しているが少なくとも一部の変動表示領域が変動表示中である状態をいう。この実施形態において、リーチ状態は、たとえば、左，右の図柄表示エリアで同じ図柄が停止し、中の図柄表示エリアで図柄が停止していない状態で形成される。リーチ状態が形成されるときの左，右の図柄表示エリアで停止された図柄は、リーチ形成図柄、または、リーチ図柄と呼ばれる。
【００５２】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別のリーチをスーパーリーチという。
【００５３】
遊技領域７のうちの左遊技領域に打分けられた遊技球が進入可能な構造物として、第１始動入賞口１３が設けられている。第１始動入賞口１３は、演出表示装置９の下方に配置されている。第１始動入賞口１３には、進入した遊技球を検出するためのスイッチとして、内部に第１始動入賞口スイッチ１３ａが設けられている。
【００５４】
遊技領域７のうちの右遊技領域に打分けられた遊技球が進入可能な構造物として、ゲート３２、可変入賞球装置１５、一般入賞口３３、および、特別可変入賞球装置２０が設けられている。ゲート３２は、可変入賞球装置１５の右側方に配置され、遊技球が通過可能である。ゲート３２の内部には、進入した遊技球を検出するためのスイッチとしてゲートスイッチ３２ａが設けられている。可変入賞球装置１５は、演出表示装置９の右下方に配置され、遊技球が入賞可能な第２始動入賞口１４を有する。第２始動入賞口１４の内部には進入した遊技球を検出するためのスイッチとして第２始動入賞口スイッチ１４ａが設けられている。可変入賞球装置１５は、ゲート３２よりも下方に配置されている。以下では、第１始動入賞口１３に遊技球が入賞（進入）することを第１始動入賞、第２始動入賞口１４に遊技球が入賞（進入）することを第２始動入賞とも称する。
【００５５】
演出表示装置９の右下方であり、可変入賞球装置１５よりも右下方には、一般入賞口３３が配置されている。一般入賞口３３の内部には進入した遊技球を検出するためのスイッチとして一般入賞口スイッチ３３ａが設けられている。一般入賞口３３は、遊技球が進入（入賞）した場合に、賞球が払出される他は特に特徴的な機能を有するものではない。ゲート３２の右端部には、隔壁状をなし、ゲート３２よりも右側に誘導された遊技球を下方へ誘導するための誘導路８０が設けられている。誘導路８０は、右側端部にある構造物と所定距離を隔てた態様で一般入賞口３３の入口側まで延在されており、遊技球が誘導路８０と右側の構造物との間の経路を流下して、一般入賞口３３に入賞（進入）可能となるような形状で構成されている。誘導路８０側に流下した遊技球は、誘導路８０と右側端部にある構造物との間に形成される遊技球通路内を誘導路８０に沿うような態様で流下する。このように、一般入賞口３３への遊技球の通路は、誘導路８０と右側端部にある構造物とにより構成されている。なお、一般入賞口３３への遊技球の通路は、右側端部にある構造物を用いることなく、通路両側に誘導用の隔壁が設けられたものでもよい。また、一般入賞口は、第１経路側にも設けられているが、説明および図示を省略する。一般入賞口は、第１経路側に設けられなくてもよい。
【００５６】
ゲート３２および誘導路８０の上方には、遊技球をゲート３２の方向と、誘導路８０（一般入賞口３３）とのいずれかに振分けるための遊技釘Ｎが複数設けられている。それら遊技釘Ｎにより、右打ちされた遊技球は、所定割合で、ゲート３２の方向と、誘導路８０（一般入賞口３３）とのいずれかに振分けられて流下する。遊技球の振分割合は、たとえば、１対２（「１」はゲート３２の方向、「２」は一般入賞口３３の方向）の割合で振分けられて流下するように設定されている。このように、右打ちされた遊技球は、一般入賞口３３に向けて流下する割合が、ゲート３２に向けて流下する割合よりも高い。なお、このような遊技球の振分け割合は、この逆の割合に設定されてもよく、その他の割合に設定されてもよい。
【００５７】
なお、この実施形態では、誘導路８０により誘導された遊技球が必ず一般入賞口３３に入賞可能となるように構成した例を示した。しかし、これに限らず、誘導路８０により誘導された遊技球が一般入賞口３３に入賞する場合と、入賞しない場合とがあるような構造で誘導路８０が設けられてもよい。
【００５８】
また、この実施形態では、右打ちされた遊技球が、ゲート３２と一般入賞口３３とのどちらかのみに進入可能となるよう構成した例を示した。しかし、これに限らず、右打ちされた遊技球が、ゲート３２と一般入賞口３３とのどちらか以外にも流下可能な構成を用いてもよい。
【００５９】
右打ちされて第２経路を流下する遊技球は、ゲート３２の上方に設けられた遊技球振分用の遊技釘Ｎにより、ゲート３２と誘導路８０との何れかに振分けられる態様で分流して流下する。ゲート３２側に誘導された遊技球は、ゲート３２を通過し、可変入賞球装置１５、および、特別可変入賞球装置２０の設置方向に向けて流下する。一方、誘導路８０側に誘導された遊技球は、一般入賞口３３に向けて流下する。第２経路（右遊技領域）を流下する遊技球は、ゲートスイッチ３２ａと、一般入賞口スイッチ３３ａとの少なくともいずれか一方により検出される。
【００６０】
可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。したがって、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００６１】
第２特別図柄表示器８ｂの上方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの変動表示が開始される毎に、点灯する表示器の数を１減らす。
【００６２】
また、第２特別図柄保留記憶表示器１８ｂのさらに上方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの変動表示が開始される毎に、点灯する表示器の数を１減らす。
【００６３】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。左打ちされた遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００６４】
右打ちされた遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００６５】
第１始動入賞口１３への始動入賞に基づいて生じた保留記憶情報は、第１保留記憶または第１保留記憶情報と呼ばれる。第２始動入賞口１４への始動入賞に基づいて生じた保留記憶情報は、第２保留記憶または第２保留記憶情報と呼ばれる。
【００６６】
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが停止表示される。
【００６７】
演出表示装置９の表示領域中における下端部には、発生した保留記憶情報を表示する画像（以下、保留画像または保留表示と呼ぶ）が保留記憶情報の数に対応して表示される保留表示エリアが形成される（図示省略）。保留表示エリアでは、第１保留記憶数と第２保留記憶数とを区別した形式で保留記憶情報が表示される。たとえば、演出表示装置９において、第１保留記憶数は左側の保留表示エリアに表示され、第２保留記憶数は右側の保留表示エリアに表示される。第１保留表示エリアと第２保留表示エリアとを区別して表示することにより、第１保留記憶情報と第２保留記憶情報とを容易に区別可能となる。第１特別図柄保留記憶表示器１８ａ、第２特別図柄保留記憶表示器１８ｂ、および、演出表示装置９のそれぞれにおいて、保留記憶数を示すための発光表示および画像表示は、保留表示、または、保留記憶表示と呼ばれる。
【００６８】
保留表示エリアから消去された（移動された、シフトされた）保留表示に対応する変動表示の実行中に当該変動表示に対応する変動対応表示を示す画像（以下、アクティブ画像またはアクティブ表示と呼ぶ）を表示するアクティブ表示エリアが保留表示エリアの中央部に形成される（図示省略）。アクティブ表示エリアにおいては、保留表示エリアにおいて表示されていた保留画像が、たとえば、アクティブ表示エリアに移動（シフト）される等、それまでに表示されていた保留画像に対応するものであることが特定可能な態様でアクティブ画像が表示される。なお、アクティブ表示エリアは、演出表示装置９における表示領域のうちの何れの位置に配置されてもよい。
【００６９】
特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときとに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。特別可変入賞球装置２０には、右打ちにより第２経路を流下する遊技球が入賞（進入）可能であり、左打ちにより第１経路を流下する遊技球は入賞（進入）不可能である。
【００７０】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。これにより、繰返し継続制御は、ラウンド制御とも呼ばれる。本実施の形態では、大当りの種別が複数設けられており、大当りとすることが決定されたときには、いずれかの大当り種別が選択される。
【００７１】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００７２】
遊技球がゲート３２を通過しゲートスイッチ３２ａで検出されると、普通図柄表示器１０の表示の変動表示が開始される。そして、普通図柄表示器１０における停止図柄が所定の図柄（当り図柄。たとえば、図柄「７」。）である場合に、可変入賞球装置１５が所定回数、所定時間だけ遊技者にとって不利な閉状態から遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の変動表示が開始される毎に、点灯するＬＥＤを１減らす。
【００７３】
また、演出表示装置９の上方には、役物１２が設けられている。役物１２は、遊技盤６と演出表示装置９との間に位置し、役物モータ１７によって位置を変位することが可能である。役物１２は、通常は遊技者から視認し難い場所に位置し、所定の演出が実行されるときに遊技者から視認可能な位置（たとえば、演出表示装置９の前方の位置）に移動する。
【００７４】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００７５】
また、プリペイドカードが挿入されることによって球貸しを可能にするプリペイドカードユニット（以下、単に「カードユニット」ともいう。）が、パチンコ遊技機１に隣接して設置される（図示せず）。
【００７６】
図２の当り種別表においては、大当りにおける当りの種別ごとに、大当り遊技状態の終了後の大当り確率、大当り遊技状態の終了後のベース、大当り遊技状態終了後の変動時間、大当りにおける開放回数（ラウンド数）、および、各ラウンドの開放時間が示されている。
【００７７】
具体的に、大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる１５ラウンド（最終ラウンド）に達するまで繰返される。
【００７８】
ここで、本実施の形態の大当りでは、１回の大当りで獲得できる遊技球の総数は、約１５００個である。具体的には、１回のラウンドにおいて、遊技球１個の入賞に対して１０個の払出しがあり、１０個入賞するまでラウンドが継続されるので、１ラウンドあたり約１００個（１０×１０＝１００）の遊技球を獲得することができる。さらに、１５ラウンドまでラウンドが継続するので、合計で約１５００個の遊技球を獲得することができる。また、特別可変入賞球装置２０が、開放状態とされたときに、所定期間（たとえば２９秒間）が経過するまでに、特別可変入賞球装置２０が閉鎖される直前に、偶然に遊技球が所定個数（たとえば１０個）よりも多い特別個数（たとえば１１個目や１２個目）入賞することがある。このような、所定の基準を超える入賞を以下では、オーバー入賞とも称する。オーバー入賞が発生することで、遊技者はより多くの出玉を獲得することができる。
【００７９】
「大当り」のうち、大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。また、本実施の形態では、特別遊技状態としては、確変状態に付随して、特別図柄や演出図柄の変動時間（変動表示期間）が非時短状態よりも短縮される時短状態に制御される場合がある。なお、特別遊技状態としては、確変状態とは独立して時短状態に制御される場合があるようにしてもよい。
【００８０】
このように、時短状態に移行することによって、特別図柄や演出図柄の変動時間が短縮されるので、時短状態となったときには、有効な始動入賞が発生しやすくなり大当り遊技が行なわれる可能性が高まる。なお、「大当り」のうち、１５ラウンドの大当り遊技状態に制御された後、確変状態に移行しない大当りの種類（種別）は、「通常大当り」と呼ばれる。
【００８１】
また、特別遊技状態としては、確変状態または時短状態に付随して、可変入賞球装置１５が開状態になる頻度を高くすることにより可変入賞球装置１５に遊技球が進入する頻度を高くして可変入賞球装置１５への入賞を容易化（高進入化、高頻度化）する電チューサポート制御状態に制御される場合がある。電チューサポート制御状態は、後述するように高ベース状態であるので、以下の説明においては、主として高ベース状態と呼ぶ。
【００８２】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。この制御によって第２始動入賞口１４への入賞頻度が高まることにより、第２始動条件の成立頻度および／または第２特別図柄の変動表示の実行頻度が高まる遊技状態となる。
【００８３】
電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００８４】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００８５】
また、この実施の形態においては、大当り確率の状態およびベースの状態の組合せを示す用語として、「低確低ベース状態」、「低確高ベース状態」、および、「高確高ベース状態」を用いる。「低確低ベース状態」とは、大当り確率の状態が低確率状態で、かつ、ベースの状態が低ベース状態であることを示す状態である。「低確高ベース状態」とは、大当り確率の状態が低確率状態で、かつ、ベースの状態が高ベース状態であることを示す状態である。「高確高ベース状態」とは、大当り確率の状態が高確率状態で、かつ、ベースの状態が高ベース状態であることを示す状態である。
【００８６】
図２に示すように、１５ラウンドの大当りとしては、通常大当りと確変大当りとの複数種類の大当りが設けられている。通常大当りは、１５ラウンドの大当り遊技状態の終了後に、非確変状態、時短状態、および、高ベース状態（低確高ベース状態）に制御される大当りである。通常大当りにおいては、非確変状態が次回の大当りが発生するまでの期間継続し、時短状態、および、高ベース状態が、変動表示が１００回という所定回数実行されるまでという条件と、次回の大当りが発生するまでという条件とのいずれか早い方の条件が成立するまでの期間継続する。なお、通常大当りは、非確変状態、非時短状態、および、非電チューサポート制御状態（低確低ベース状態）に制御される大当りとなるように制御するものであってもよい。
【００８７】
確変大当りは、１５ラウンドの大当り遊技状態の終了後に、確変状態、時短状態、および、高ベース状態（高確高ベース状態）に移行する制御が行なわれる大当りである。確変大当りにおいては、このような高確高ベース状態が、変動表示が１００回という所定回数実行されるまでという条件と、次回の大当りが発生するまでという条件とのいずれか早い方の条件が成立するまでの期間継続する。なお、確変大当りの終了条件を次回の大当りが発生するまでという条件としてもよい。
【００８８】
図３は、主基板（遊技制御基板）および演出制御基板における回路構成の一例を示すブロック図である。なお、図３には、払出制御基板３７等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００８９】
また、ＲＡＭ５５は、その一部または全部が電源基板（図示省略）において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【００９０】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００９１】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【００９２】
また、ゲートスイッチ３２ａ、第１始動口スイッチ１３ａ、第２始動口スイッチ１４ａ、カウントスイッチ２３、および、一般入賞スイッチ３３ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【００９３】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【００９４】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【００９５】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示制御を行なう他、ランプドライバ基板３５を介して、枠側に設けられている枠ＬＥＤ２８の表示制御を行なうとともに、音声出力基板７０を介してスピーカ２７からの音出力の制御を行なう等、各種の演出制御を行なう。
【００９６】
また、演出制御用ＣＰＵ１０１は、スティックコントローラ１２２のトリガボタン１２５に対する遊技者の操作行為を検出したことを示す情報信号としての操作検出信号を、トリガセンサ１２１から、Ｉ／Ｏポート部１０５の入力ポートを介して入力する。また、演出制御用ＣＰＵ１０１は、プッシュボタン１２０に対する遊技者の操作行為を検出したことを示す情報信号としての操作検出信号を、プッシュセンサ１２４から、Ｉ／Ｏポート部１０５の入力ポートを介して入力する。また、演出制御用ＣＰＵ１０１は、スティックコントローラ１２２の操作桿に対する遊技者の操作行為を検出したことを示す情報信号としての操作検出信号を、傾倒方向センサユニット１２３から、Ｉ／Ｏポート部１０５の入力ポートを介して入力する。また、演出制御用ＣＰＵ１０１は、Ｉ／Ｏポート部１０５の出力ポートを介してバイブレータ用モータ１２６に駆動信号を出力することにより、スティックコントローラ１２２を振動動作させる。また、演出制御用ＣＰＵ１０１は、モータ駆動回路（図示省略）を介して役物モータ１７を駆動して役物１２を動作させる。
【００９７】
図４は、各乱数を示す説明図である。図４においては、乱数の種別、更新範囲、用途、および、加算条件が示されている。各乱数は、以下のように使用される。
【００９８】
（１）ランダムＲ：大当りにするか否かを判定する当り判定用のランダムカウンタである。ランダムＲは、１０ＭＨｚで１ずつ更新され、０から加算更新されてその上限である６５５３５まで加算更新された後再度０から加算更新される。（２）ランダム１（ＭＲ１）：大当りの種類（種別、通常大当り、および、確変大当りのいずれかの種別）および大当り図柄を決定する（大当り種別判定用、大当り図柄決定用）。（３）ランダム２（ＭＲ２）：変動パターンの種類（種別）を決定する（変動パターン種別判定用）。（４）ランダム３（ＭＲ３）：変動パターン（変動時間）を決定する（変動パターン判定用）。（５）ランダム４（ＭＲ４）：普通図柄に基づく当りを発生させるか否か決定する（普通図柄当り判定用）。（６）ランダム５（ＭＲ５）：ランダム４の初期値を決定する（ランダム４初期値決定用）。
【００９９】
この実施の形態では、特定遊技状態である大当りとして、通常大当り、および、確変大当りという複数の種別が含まれている。したがって、大当り判定用乱数（ランダムＲ）の値に基づいて、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【０１００】
また、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。変動パターン種別は、変動種別と呼ばれる場合もある。
【０１０１】
この実施の形態では、変動パターンが、リーチを伴なわない変動パターン種別である通常変動パターン種別と、リーチを伴なう変動パターン種別であるリーチ変動パターン種別とに種別分けされている。
【０１０２】
このような変動パターン種別は、表示結果がはずれとなる場合に、時短状態であるときと、時短状態でないときとで、変動パターン種別の選択割合が異なるように設定されていることにより、時短状態であるときには、時短状態でないときと比べて、変動時間が短縮される。たとえば、時短状態では、時短状態でないときと比べて、変動時間の平均時間を短くするために、所定の変動パターンの変動時間が時短でないときよりも短く設定されたり、変動パターン種別のうち最も変動時間が短い変動パターン種別が選択される割合が高くなり、リーチ種別が選択されるときでも変動パターン種別のうち最も変動時間が短いノーマルリーチの変動パターンが選択される割合が高くなるように設定されたりすることで、時短状態でないときと比べて、変動時間の平均時間が短くなる。
【０１０３】
なお、このような変動パターン種別は、変動表示をする各特別図柄の保留記憶数が所定数以上であるときと、所定数未満であるときとで選択割合が異なるように設定されることにより、変動表示をする各特別図柄の保留記憶数が所定数以上であるときには、各特別図柄の保留記憶数が所定数未満であるときと比べて、変動表示時間が短縮される保留数短縮制御を実行するようにしてもよい。たとえば、保留数短縮制御状態では、保留数短縮制御状態でないときと比べて、通常変動パターン種別のような変動表示時間が短い変動パターン種別が選択される割合が高くなるように設定されることで、保留数短縮制御状態でないときと比べて、変動表示時間の平均時間が短くなるようにしてもよい。また、保留数短縮制御では、保留数短縮制御状態でないときと比べて、同じ変動パターン種別が選択される場合でも、その変動パターン種別の変動表示時間自体を短くしてもよい。
【０１０４】
また、変動パターンは、変動パターン種別を決定してから変動パターンを決定する２段階の決定方法ではなく、１回の乱数抽選により変動パターンが決定される１段階の決定方法としてもよい。
【０１０５】
図５は、大当り判定テーブルおよび大当り種別判定テーブルを示す説明図である。図５（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【０１０６】
通常時大当り判定テーブルには、図５（Ａ）の左欄に記載されている各数値が大当り判定値として設定され、確変時大当り判定テーブルには、図５（Ａ）の右欄に記載されている各数値が大当り判定値として設定されている。確変時大当り判定テーブルに設定された大当り判定値は、通常時大当り判定テーブルに設定された大当り判定値と共通の大当り判定値（通常時大当り判定値または第１大当り判定値という）に、確変時固有の大当り判定値が加えられたことにより、確変時大当り判定テーブルよりも多い個数（１０倍の個数）の大当り判定値（確変時大当り判定値または第２大当り判定値という）が設定されている。これにより、確変状態には、通常状態よりも高い確率で大当りとする判定がなされる。
【０１０７】
ＣＰＵ５６は、所定の時期に、乱数回路５０３のカウント値を抽出して抽出値を大当り判定用乱数（ランダムＲ）の値と比較するのであるが、大当り判定用乱数値が図５（Ａ）に示すいずれかの大当り判定値に一致すると、特別図柄に関して大当り（通常大当り、または、確変大当り）にすることに決定する。なお、図５（Ａ）に示す「確率」は、大当りになる確率（割合）を示す。
【０１０８】
図５（Ｂ），（Ｃ）は、ＲＯＭ５４に記憶されている大当り種別判定テーブルを示す説明図である。図５（Ｂ）は、遊技球が第１始動入賞口１３に入賞したことに基づく保留記憶（第１保留記憶ともいう）を用いて大当り種別を決定する場合（第１特別図柄の変動表示が行なわれるとき）に用いる第１特別図柄大当り種別判定テーブル（第１特別図柄用）である。図５（Ｃ）は、遊技球が第２始動入賞口１４に入賞したことに基づく保留記憶（第２保留記憶ともいう）を用いて大当り種別を決定する場合（第２特別図柄の変動表示が行なわれるとき）に用いる第２特別図柄大当り種別判定テーブルである。
【０１０９】
図５（Ｂ）、および、図５（Ｃ）の第１，第２特別図柄大当り種別判定テーブルのそれぞれは、変動表示結果を大当り図柄にする旨の判定がなされたときに、大当り種別判定用の乱数（ランダム１）に基づいて、大当りの種別を「通常大当り」と「確変大当り」とのうちのいずれかに決定するとともに、大当り図柄を決定するために参照される。
【０１１０】
図５（Ｂ）の第１特別図柄大当り種別判定テーブルには、ランダム１の値と比較される数値であって、「通常大当り」、「確変大当り」のそれぞれに対応した判定値（大当り種別判定値）が設定されている。図５（Ｃ）の第２特別図柄大当り種別判定テーブルには、ランダム１の値と比較される数値であって、「通常大当り」、「確変大当り」のそれぞれに対応した判定値（大当り種別判定値）が設定されている。
【０１１１】
また、図５（Ｂ），（Ｃ）に示すように、大当り種別判定値は、第１特別図柄および第２特別図柄の大当り図柄を決定する判定値（大当り図柄判定値）としても用いられる。「通常大当り」に対応した判定値は、第１特別図柄および第２特別図柄の大当り図柄の「３」に対応した判定値としても設定されている。「確変大当り」に対応した判定値は、第１特別図柄および第２特別図柄の大当り図柄の「７」に対応した判定値としても設定されている。
【０１１２】
大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【０１１３】
図５（Ｂ）の第１特別図柄大当り種別判定テーブルと図５（Ｃ）の第２特別図柄大当り種別判定テーブルとは、確変大当りに決定される割合が同じである。このような場合には、第１特別図柄と第２特別図柄とで大当り種別判定テーブルを分けなくてもよい。また、大当り種別として、大当り遊技状態での最大ラウンド数が異なる複数種類の大当りのうちから大当り種別を選択するときには、図５（Ｃ）の第２特別図柄大当り種別判定テーブルの方が、図５（Ｂ）の第１特別図柄大当り種別判定テーブルよりも、ラウンド数が多い大当り種別が選択される割合が高くなるように設定してもよい。このようにすれば、高ベース状態において、大当りの種別選択が遊技者にとって有利となり、遊技の興趣を向上させることができる。また、図５（Ｃ）の第２特別図柄大当り種別判定テーブルの方が、図５（Ｂ）の第１特別図柄大当り種別判定テーブルよりも、確変大当りに決定される割合を高くしてもよい。そうすることにより、第２特別図柄の変動表示の方が、第１特別図柄の変動表示よりも、確変大当りとなる割合を高くすることができる。また、第１特別図柄大当り種別判定テーブルの方が、第２特別図柄大当り種別判定テーブルよりも、確変大当りに決定される割合が高くなるようにしてもよい。
【０１１４】
図６は、遊技制御用マイクロコンピュータ５６０が送信する演出制御コマンドの内容の一例を示す説明図である。遊技制御用マイクロコンピュータ５６０においては、図６に示すように、遊技制御状態に応じて、各種の演出制御コマンドを演出制御用マイクロコンピュータ１００へ送信する。
【０１１５】
図６のうち、主なコマンドを説明する。コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。変動パターン設定処理（Ｓ３０１）において選択され得る変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置９において演出図柄の変動表示を開始するように制御する。
【０１１６】
コマンド８Ｃ０１（Ｈ）〜８Ｃ０３（Ｈ）は、大当りとするか否か、および大当り種別を示す表示結果指定コマンドである。
【０１１７】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定するコマンド（図柄確定指定コマンド）である。
【０１１８】
コマンドＡ００１〜Ａ００２（Ｈ）は、大当りの種別（通常大当り、または、確変大当り）ごとに大当り遊技状態開始を指定する大当り開始指定コマンドである。
【０１１９】
コマンドＡ１ＸＸ（Ｈ）は、ＸＸで示す回数目（ラウンド）の大入賞口開放中の表示を示す大入賞口開放中指定コマンドである。Ａ２ＸＸ（Ｈ）は、ＸＸで示す回数目（ラウンド）の大入賞口開放後（閉鎖）を示す大入賞口開放後指定コマンドである。
【０１２０】
コマンドＡ３０１〜Ａ３０２（Ｈ）は、大当りの種別（通常大当り、または、確変大当り）ごとに大当り遊技状態終了を指定する大当り終了指定コマンドである。
【０１２１】
コマンドＡ４０１（Ｈ）は、第１始動入賞があったことを指定する第１始動入賞指定コマンドである。コマンドＡ４０２（Ｈ）は、第２始動入賞があったことを指定する第２始動入賞指定コマンドである。
【０１２２】
コマンドＢ０００（Ｈ）は、遊技状態が通常状態（低確率状態）であることを指定する通常状態指定コマンドである。コマンドＢ００１（Ｈ）は、遊技状態が時短状態（高ベース状態）であることを指定する時短状態指定コマンドである。コマンドＢ００２（Ｈ）は、遊技状態が確変状態（高確率状態）であることを指定する確変状態指定コマンドである。
【０１２３】
コマンドＣ０ＸＸ（Ｈ）は、第１保留記憶数を指定する第１保留記憶数指定コマンドである。コマンドＣ０ＸＸ（Ｈ）における「ＸＸ」が第１保留記憶数を示す。コマンドＣ１ＸＸ（Ｈ）は、第２保留記憶数を指定する第２保留記憶数指定コマンドである。コマンドＣ０ＸＸ（Ｈ）における「ＸＸ」が第２保留記憶数を示す。
【０１２４】
なお、第１保留記憶数を示すための第１保留記憶数指定コマンドと、第２保留記憶数を示すための第２保留記憶数指定コマンドとを送信することにより、演出制御用マイクロコンピュータ１００において保留記憶数を特定可能とするが、これに限らず、変動表示が実行されるごとに、第１保留記憶数または第２保留記憶数を減算するための保留記憶数減算指定コマンドを送信することにより、演出制御用マイクロコンピュータ１００において、保留記憶数が特定可能となるようにしてもよい。
【０１２５】
コマンドＣ２ＸＸ（Ｈ）およびコマンドＣ３ＸＸ（Ｈ）は、第１始動入賞口１３または第２始動入賞口１４への始動入賞時における大当り判定、大当り種別判定、変動パターン種別判定等の入賞時判定結果の内容を示す演出制御コマンドである。このうち、コマンドＣ２ＸＸ（Ｈ）は、入賞時判定結果のうち、大当りとなるか否か、および、大当りの種別の判定結果を示す図柄指定コマンドである。また、コマンドＣ３ＸＸ（Ｈ）は、入賞時判定結果のうち、変動パターン種別判定用乱数の値がいずれの判定値の範囲となるかの判定結果（変動パターン種別の判定結果）を示す変動種別コマンドである。
【０１２６】
コマンドＤ０００（Ｈ）は、特別可変入賞球装置２０における大入賞口への遊技球の入賞がカウントスイッチ２３により検出されたときに、大入賞口への入賞を通知するための大入賞口入賞通知コマンドである。コマンドＤ００１（Ｈ）は、ゲート３２への遊技球の通過がゲートスイッチ３２ａにより検出されたときに、ゲート３２への遊技球の通過を通知するためのゲート検出通知コマンドである。コマンドＤ００２（Ｈ）は、一般入賞口３３への遊技球の入賞が一般入賞スイッチ３３ａにより検出されたときに、一般入賞口３３への遊技球の入賞を通知するための一般入賞口入賞通知コマンドである。
【０１２７】
演出制御用マイクロコンピュータ１００では、大入賞口入賞通知コマンドを受信することにより、大入賞口への遊技球の入賞個数を把握することができ、ゲート検出通知コマンドを受信することにより、ゲート３２への遊技球の通過個数を把握することができ、一般入賞口入賞通知コマンドにより、一般入賞口３３への遊技球の入賞個数を把握することができる。
【０１２８】
この実施の形態では、始動口スイッチ通過処理（Ｓ３１２）より実行される入賞時演出処理において、遊技制御用マイクロコンピュータ５６０が、始動入賞時に、大当りとなるか否か、大当りの種別、変動パターン種別判定用乱数の値がいずれの判定値の範囲となるかを判定する。そして、図柄指定コマンドのＥＸＴデータに、大当りとなることを指定する値、および、大当りの種別を指定する値を設定し、演出制御用マイクロコンピュータ１００に送信する制御を行なう。変動種別コマンドのＥＸＴデータに変動パターン種別の判定結果としての判定値の範囲を指定する値を設定し、演出制御用マイクロコンピュータ１００に送信する制御を行なう。この実施の形態では、演出制御用マイクロコンピュータ１００が、図柄指定コマンドに設定されている値に基づき、始動入賞時に、表示結果が大当りとなるか否か、および、大当りの種別を認識できるとともに、変動種別コマンドに基づき、変動パターン種別を認識できる。
【０１２９】
次に、遊技制御用マイクロコンピュータ５６０側での保留記憶に対応する乱数等のデータ（保留記憶データ）を保存する領域（保留記憶バッファ）の構成例を説明する。保留記憶バッファは、ＲＡＭ５５に設けられる。
【０１３０】
第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファには、ハードウェア乱数である大当り判定用乱数（ランダムＲ）、および、ソフトウェア乱数である大当り種別決定用乱数（ランダム１）、変動パターン種別判定用乱数（ランダム２）、および、変動パターン判定用乱数（ランダム３）が記憶される。
【０１３１】
第１始動入賞口１３または第２始動入賞口１４への入賞に基づいて、ＣＰＵ５６は、乱数回路５０３およびソフトウェア乱数を生成するためのランダムカウンタからこのような乱数値を抽出し、それらを、第１保留記憶バッファまたは第２保留記憶バッファにおける保存領域に保存（格納）する処理を実行する。具体的に、第１始動入賞口１３への入賞に基づいて、これら乱数値が抽出されて第１保留記憶バッファに保存される。また、第２始動入賞口１４への入賞に基づいて、これら乱数値が抽出されて第２保留記憶バッファに保存される。
【０１３２】
第１保留記憶バッファまたは第２保留記憶バッファに前述のような始動入賞に関する情報が記憶されることを「保留記憶される」と示す場合がある。なお、変動パターン種別判定用乱数（ランダム２）および変動パターン判定用乱数（ランダム３）は、始動入賞時に抽出して保存領域に予め格納しておくのではなく、後述する変動パターン設定処理（特別図柄の変動開始時）に抽出するようにしてもよい。
【０１３３】
このように保留記憶バッファに記憶されたデータは、後述するように、始動入賞時に読出されて先読み予告演出のために用いられるとともに、変動表示開始時に、第２保留記憶バッファから優先して読出されて変動表示のために用いられる。
【０１３４】
第１始動入賞口１３または第２始動入賞口１４への始動入賞があったときには、図柄指定コマンド、変動種別コマンド、第１（第２）始動入賞指定コマンドというような、始動入賞時判定処理の判定結果を示すコマンドが、主基板３１から演出制御基板８０へと送信される。演出制御用マイクロコンピュータ１００のＲＡＭ１０３に設けられた始動入賞時受信コマンドバッファには、受信した図柄指定コマンド、変動種別コマンド、第１（第２）始動入賞指定コマンド等の各種コマンドを対応付けて格納できるように、受信したコマンドを特定可能なデータを記憶する記憶領域が確保されている。
【０１３５】
この実施の形態において、第１特別図柄および第２特別図柄の変動表示に対応して行なわれる演出図柄の演出制御パターンは、複数種類の変動パターンに対応して、演出図柄の変動表示動作、リーチ演出等における演出表示動作、あるいは、演出図柄の変動表示を伴わない各種の演出動作というような、様々な演出動作の制御内容を示すデータ等から構成されている。また、予告演出制御パターンは、予め複数パターンが用意された予告パターンに対応して実行される予告演出となる演出動作の制御内容を示すデータ等から構成されている。各種演出制御パターンは、パチンコ遊技機１における遊技の進行状況に応じて実行される各種の演出動作に対応して、その制御内容を示すデータ等から構成されている。
【０１３６】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１３７】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１３８】
図７は、タイマ割込処理を示すフローチャートである。タイマ割込が発生すると、ＣＰＵ５６は、図７に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１３９】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１４０】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１４１】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行し、特別図柄プロセスフラグの値を、遊技状態に応じて更新する。
【０１４２】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１４３】
また、ＣＰＵ５６は、演出制御用マイクロコンピュータ１００に演出制御コマンドを送出する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１４４】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。
【０１４５】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１４６】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１４７】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１４８】
その後、割込許可状態に設定し（Ｓ３４）、処理を終了する。以上の制御によって、この実施の形態では、遊技制御処理は所定時間毎に起動されることになる。
【０１４９】
図８は、特別図柄プロセス処理（Ｓ２６）を示すフローチャートである。特別図柄プロセス処理では、第１特別図柄表示器８ａまたは第２特別図柄表示器８ｂおよび大入賞口を制御するための処理が実行される。特別図柄プロセス処理においては、始動口スイッチ通過処理を実行する（Ｓ３１２）。そして、内部状態に応じて、Ｓ３００〜Ｓ３０７のうちのいずれかの処理を行なう。
【０１５０】
遊技制御用マイクロコンピュータ５６０において、ＲＡＭ５５には、前述したように、第１始動入賞口１３への始動入賞に基づいて得られる大当り判定用乱数等の保留記憶データ（第１保留記憶データ）が記憶される第１保留記憶バッファと、第２始動入賞口１４への始動入賞に基づいて得られる大当り判定用乱数等の保留記憶データ（第２保留記憶データ）が記憶される第２保留記憶バッファとが設けられている。これら各保留記憶バッファには、各保留記憶の記憶数の上限値（この例では４）に対応した保存領域が確保されている。
【０１５１】
始動口スイッチ通過処理では、第１始動口スイッチ１３ａがオンしていれば、第１保留記憶数が上限値（たとえば、４）に達していないことを条件として、第１保留記憶データの記憶数を計数する第１保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第１保留記憶バッファにおける保存領域に保存（格納）する処理を実行する。一方、第２始動口スイッチ１４ａがオンしていれば、第２保留記憶数が上限値（たとえば、４）に達していないことを条件として、第２保留記憶データの記憶数を計数する第２保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第２保留記憶バッファにおける保存領域に保存（格納）する処理を実行する。
【０１５２】
Ｓ３００〜Ｓ３０７の処理は、以下のような処理である。特別図柄通常処理（Ｓ３００）は、変動表示の表示結果を大当りとするか否かの決定、および、大当りとする場合の大当り種別の決定等を行なう処理である。変動パターン設定処理（Ｓ３０１）は、変動パターンの決定（変動パターン種別判定用乱数および変動パターン判定用乱数を用いた変動パターンの決定）、および、決定された変動パターンに応じて変動時間を計時するための変動時間タイマの計時開始等の制御を行なう処理である。
【０１５３】
この実施の形態では、第１始動入賞口１３または第２始動入賞口１４への始動入賞が発生し、当該始動入賞時に得られた各種データが保留記憶情報として記憶された後、変動表示の開始条件が成立すると、変動表示を開始するタイミングにおいて、特別図柄通常処理（Ｓ３００）で、当該保留記憶情報に基づき、変動表示を開始する特別図柄（第１特別図柄または第２特別図柄）について、変動表示結果を大当り表示結果とするか否かの決定、および、大当り種別の決定を、前述した各種乱数値に対応して設定された大当り判定値、および、大当り種別判定値に基づいて行なう。特別図柄通常処理では、第１保留記憶情報と第２保留記憶情報との両方が記憶されているときには、第２保留記憶情報の方が優先的に、大当り判定等の処理が実行されることにより、第１保留記憶数情報に優先して変動表示が実行される。そして、変動パターン設定処理（Ｓ３０１）において変動パターン（変動パターン種別の決定も含む）の決定を、各種乱数値に対応して設定された変動パターン種別判定値、および変動パターン判定値に基づいて行なう。
【０１５４】
一方、このような決定とは別に、第１始動入賞口１３または第２始動入賞口１４への始動入賞に基づく変動表示が開始される前のタイミング、具体的には、遊技球が第１始動入賞口１３または第２始動入賞口１４に始動入賞したタイミング（保留記憶情報が記憶されたタイミング）で、その始動入賞時に得られた各種データを記憶した保留記憶情報を先読みし、その先読みした保留記憶情報に基づいて、予め大当りとなるか否かの決定、小当りとなるか否かの決定、大当りの種別の決定、および、変動パターン種別の決定を、前述した各種乱数値に対応して設定された大当り判定値、大当り種別判定値、および、変動パターン種別判定値に基づいて先読み判定する入賞時演出処理を始動口スイッチ通過処理（Ｓ３１２）により実行可能である。そうすることにより、演出制御用マイクロコンピュータ１００では、演出図柄の変動表示が実行されるよりも前に予め変動表示結果を予測し、始動入賞時の各種判定結果に基づいて、演出図柄の変動表示中に大当りとなること（大当りとなる可能性）を予告する先読み予告等の先読み演出を実行することが可能である。
【０１５５】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１５６】
大入賞口開放前処理（Ｓ３０５）は、大当りの種別に応じて、特別可変入賞球装置２０において大入賞口を開放する制御等を行なう処理である。大入賞口開放中処理（Ｓ３０６）は、大当り遊技状態中のラウンド表示演出用の演出制御コマンドを演出制御用マイクロコンピュータ１００に送信する制御、および、大入賞口の閉成条件の成立を確認する処理等を行なう処理である。大入賞口の閉成条件が成立し、かつ、まだ残りラウンドがある場合には、大入賞口開放前処理（Ｓ３０５）に移行する。また、全てのラウンドを終えた場合には、大当り終了処理（Ｓ３０７）に移行する。大当り終了処理（Ｓ３０７）は、大当り遊技状態が終了したことを遊技者に報知する表示制御を演出制御用マイクロコンピュータ１００に行なわせるための制御等を行なう処理である。
【０１５７】
次に、演出制御用マイクロコンピュータ１００の動作を説明する。図９は、演出制御基板８０に搭載されている演出制御用マイクロコンピュータ１００（具体的には、演出制御用ＣＰＵ１０１）が実行する演出制御メイン処理を示すフローチャートである。
【０１５８】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０１５９】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理（たとえば、ＲＡＭ１０３に設けられた各種コマンド格納領域に受信したコマンドを特定可能なデータを格納する処理等）等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０１６０】
次いで、演出制御用マイクロコンピュータ１００が用いる乱数（演出図柄の左停止図柄決定用のＳＲ１−１、演出図柄の中停止図柄決定用のＳＲ１−２、演出図柄の右停止図柄決定用のＳＲ１−３等）を生成するためのカウンタのカウント値を更新する乱数更新処理を実行する（Ｓ７０６）。このような乱数ＳＲ１−１〜ＳＲ１−３のそれぞれは、ソフトウェアによりカウント値を更新するランダムカウンタのカウントにより生成されるものであり、それぞれについて予め定められた範囲内でそれぞれ巡回更新され、それぞれについて定められたタイミングで抽出されることにより乱数として用いられる。
【０１６１】
次いで、保留表示エリアにおける保留表示の表示状態の制御（保留表示の移動、消去等）を行なう保留記憶表示制御処理を実行する（Ｓ７０７）。
【０１６２】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７等の演出装置を制御することにより、遊技状態に応じた各種の演出制御が行なわれる。
【０１６３】
ここで、演出制御基板８０に搭載されたＲＡＭ１０３には、演出動作を制御するために用いられる各種データを保持する領域として、演出制御用データ保持エリアが設けられている。演出制御用データ保持エリアは、演出制御フラグ設定部と、演出制御タイマ設定部と、演出制御カウンタ設定部と、演出制御バッファ設定部とを備えている。
【０１６４】
演出制御フラグ設定部には、たとえば演出表示装置９の画面上における演出画像の表示状態等といった演出動作状態や主基板３１から伝送された演出制御コマンド等に応じて状態を更新可能な複数種類のフラグが設けられている。たとえば、演出制御フラグ設定部には、複数種類のフラグそれぞれについて、フラグの値を示すデータや、オン状態あるいはオフ状態を示すデータが記憶される。
【０１６５】
演出制御タイマ設定部には、たとえば演出表示装置９の画面上における演出画像の表示動作等といった各種演出動作の進行を制御するために用いられる複数種類のタイマが設けられている。たとえば、演出制御タイマ設定部には、複数種類のタイマそれぞれにおけるタイマ値を示すデータが記憶される。
【０１６６】
演出制御カウンタ設定部には、各種演出動作の進行を制御するために用いられる複数種類のカウンタが設けられている。たとえば、演出制御カウンタ設定部には、複数種類のカウンタそれぞれにおけるカウント値を示すデータが記憶される。
【０１６７】
演出制御バッファ設定部には、各種演出動作の進行を制御するために用いられるデータを一時的に記憶する各種のバッファが設けられている。たとえば、演出制御バッファ設定部には、複数種類のバッファそれぞれにおけるバッファ値を示すデータが記憶される。
【０１６８】
図１０は、右打ち報知演出および左打ち報知演出を説明するための演出表示装置９の表示画面図である。図中の下向き矢印は、演出図柄が変動表示中であることを示している。右打ち報知演出は、右打ちが必要となる確変状態のような遊技状態において、右打ちを報知するための演出である。左打ち報知演出は、左打ちが必要となる通常状態のような遊技状態において、左打ちを報知するための演出である。
【０１６９】
図１０（Ａ）には、右打ち報知演出のときの演出表示装置９での表示演出例が示されている。パチンコ遊技機１では、たとえば、確変状態になると、第２始動入賞口１４（可変入賞球装置１５）に遊技球を入賞させるために右打ちが必要となる。右打ち報知演出としては、「右打ち！」というような右打ちを報知する文字画像よりなる右打ち報知画像９４Ａが画面隅部に表示される右打ち報知演出が実行される。このような右打ち報知演出が行なわれることにより、遊技者は、右打ちが必要な遊技状態であることを容易に知ることができ、右打ちをすることが可能となる。
【０１７０】
図１０（Ｂ）には、左打ち報知演出のときの演出表示装置９での表示演出例が示されている。パチンコ遊技機１では、たとえば、通常状態(非確変状態）になると、第１始動入賞口１３に遊技球を入賞させるために左打ちが必要となる。左打ち報知演出としては、「左打ち！！」というような左打ちを報知する文字画像よりなる左打ち報知画像９４Ｂが画面隅部に表示される左打ち報知演出が実行される。このような左打ち報知演出が行なわれることにより、遊技者は、左打ちが必要な遊技状態であることを容易に知ることができ、左打ちをすることが可能となる。
【０１７１】
図１１は、図９に示された演出制御メイン処理における演出制御プロセス処理（Ｓ７０５）を示すフローチャートである。演出制御プロセス処理では、演出制御用ＣＰＵ１０１は、右打ち報知処理（Ｓ５０１）、左打ち報知処理（Ｓ５０２）、および、先読み演出処理（Ｓ５０３）を実行した後、演出制御プロセスフラグの値に応じてＳ８００〜Ｓ８０７のうちのいずれかの処理を行なう。
【０１７２】
演出制御プロセス処理では、以下のような処理が実行される。演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０１７３】
右打ち報知処理（Ｓ５０１）は、現在の遊技状態が右打ちが必要となる遊技状態（確変状態）であるか否かの判定をし、右打ちが必要となる遊技状態（大当り遊技状態、確変状態）であるときに、図１０（Ａ）のような右打ち報知演出を実行する処理である。
【０１７４】
左打ち報知処理（Ｓ５０２）は、現在の遊技状態が左打ちが必要となる遊技状態（通常状態）であるか否かの判定をし、左打ちが必要となる遊技状態（通常状態）であるときに、図１０（Ｂ）のような左打ち報知演出を実行する処理である。
【０１７５】
先読み演出処理（Ｓ５０３）は、先読み演出を実行するか否か等の先読み判定、および、先読み演出を実行するときの演出態様の決定等を行なう処理である。先読み演出とは、ある保留情報（保留記憶情報）に基づいた特別図柄の変動表示（図柄変動）の順番が到来する前に、その保留情報を先読みしてその保留情報に基づいた特別図柄の変動表示の内容を判定して、将来の特別図柄の変動表示がどのようになるかを、それよりも前の段階で予告をする等の演出技術である。たとえば、保留情報が大当りであるときに、当該保留情報による変動表示が実行される前に、当該保留情報に対応する保留表示の表示態様に基づいて、後に大当りが発生する可能性のあることを予告するといった類の演出が先読み演出として行なわれる。以下では、先読み演出の対象とした保留情報に基づいた変動表示を「ターゲットの変動表示」と称する。
【０１７６】
変動パターンコマンド受信待ち処理（Ｓ８００）は、遊技制御用マイクロコンピュータ５６０から変動パターンコマンドを受信しているか否か確認する処理等を行なう処理である。変動パターンコマンドを受信していれば、演出図柄変動開始処理に移行する。
【０１７７】
演出図柄変動開始処理（Ｓ８０１）は、演出図柄（飾り図柄）の変動表示が開始されるように制御するための処理である。演出図柄変動中処理（Ｓ８０２）は、変動パターンを構成する各変動状態（変動速度）の切替えタイミングを制御する処理等を行なう処理である。演出図柄変動停止処理（Ｓ８０３）は、演出図柄（飾り図柄）の変動表示を停止し、変動表示の表示結果（最終停止図柄）を導出表示する制御を行なう処理である。
【０１７８】
大当り表示処理（Ｓ８０４）は、変動時間の終了後、演出表示装置９に大当りの発生を報知するためのファンファーレ演出を表示する制御等の表示制御を行なう処理である。ラウンド中処理（Ｓ８０５）は、ラウンド中の表示制御を行なう処理である。ラウンド終了条件が成立したときに、最終ラウンドが終了していなければ、ラウンド後処理に移行する。ラウンド後処理（Ｓ８０６）は、ラウンド間の表示制御を行なう処理である。ラウンド開始条件が成立したら、ラウンド中処理に移行する。また、最終ラウンドが終了していれば、大当り終了処理に移行する。大当り終了演出処理（Ｓ８０７）は、演出表示装置９において、大当り遊技状態が終了したことを遊技者に報知する表示制御を行なう処理である。
【０１７９】
演出制御用ＣＰＵ１０１は、変動表示の開始時から変動表示の停止時まで、および、大当り遊技状態開始時から大当り遊技状態終了時までの予め定められた演出制御期間中に、ＲＯＭ１０２に格納されたプロセステーブルに設定されているプロセスデータに従って演出表示装置９等の演出装置（演出用部品）の制御を行なう。
【０１８０】
プロセステーブルは、プロセスタイマ設定値と、表示制御実行データ、ランプ制御実行データおよび音番号データの組合せが複数集まったデータとで構成されている。表示制御実行データには、演出図柄（飾り図柄）の変動表示の変動時間（変動表示時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行なう。このようなプロセステーブルは、各変動パターンに応じて用意されている。
【０１８１】
図１２は、左打ち報知処理を示すフローチャートである。左打ち報知処理は、図１１のＳ５０１により実行される処理である。左打ち報知処理は、左打ちが必要となる遊技状態において、右打ちによりゲートスイッチ３２ａまたは一般入賞スイッチ３３ａが遊技球を検出した場合に、左打ち報知演出を実行する条件となる数値データを加算更新し、当該数値データが特定値（左打ち判定値と呼ぶ）に達したときに、左打ち報知演出を実行するための処理である。
【０１８２】
前述したように、右打ち時におけるゲート３２と一般入賞口３３への遊技球の振分け（流下）割合は、「１：２」であるため、遊技球が流下する振分率が高い方の一般入賞口３３への進入が検出されたときには、１球検出につき２ポイントの数値データが加算され、遊技球が流下する振分率が低い方の一般入賞口３３への進入が検出されたときには、１球検出につき１ポイントの数値データが加算され、更新された数値データの合計値が左打ち判定値に達したときに、左打ち報知演出の実行条件が成立し、左打ち報知演出の実行が開始される。このように、左打ち報知演出は、ゲートスイッチ３２ａの検出位置と一般入賞スイッチ３３ａの検出位置とのそれぞれの遊技球の流下頻度に基づいて設定された報知条件が成立したことにより実行可能である。そして、ゲートスイッチ３２ａと、一般入賞スイッチ３３ａとでは、数値データの加算条件（加算数）が異なる。
【０１８３】
左打ち報知処理では、まず、現在の遊技制御状態が通常状態（低確率状態および低ベース状態）であるか否かが確認される（Ｓ９０１）。現在の遊技状態は、通常状態指定コマンド、時短状態指定コマンド、および、確変状態指定コマンド等の遊技状態を示すコマンドを受信するごとに遊技状態を示すデータをＲＡＭ１０３の所定領域に記憶しておき、その記憶データに基づいて、現在の遊技制御状態が確認される。
【０１８４】
Ｓ９０１で通常状態でないときは、処理を終了する。一方、Ｓ９０１で通常状態であるときは、右遊技領域のゲートスイッチ３２ａが遊技球の進入（通過）を検出したか否かを、ゲート検出通知コマンドを受信したか否かに基づいて判定する（Ｓ９０２）。Ｓ９０２でゲートスイッチ３２ａが遊技球の進入（通過）を検出したときは、右打ち検出状態を数値データして管理する右打ち検出ポイントの数値データを＋１加算更新し、Ｓ９０６に進む。一方、Ｓ９０２でゲートスイッチ３２ａが遊技球の進入（通過）を検出していないときは、右遊技領域の一般入賞口スイッチ３３ａが遊技球の進入を検出したか否かを、一般入賞口入賞通知コマンドを受信したか否かに基づいて判定する（Ｓ９０４）。Ｓ９０４で一般入賞口スイッチ３３ａが遊技球の進入を検出したときは、右打ち検出ポイントの数値データを＋２加算更新し、Ｓ９０６に進む。このように、右打ち検出ポイントは、ゲートスイッチ３２ａによる遊技球検出と一般入賞口スイッチによる遊技球検出との両方により数値データが加算され得る合計の数値データである。
【０１８５】
Ｓ９０６では、ポイント変更タイマを１５秒間に相当する数値データにセットする（Ｓ９０６）。ポイント変更タイマは、右打ちされた遊技球が、１５秒間に亘りゲートスイッチ３２ａおよび一般入賞口スイッチ３３ａのいずれにも検出されなかったときに、右打ち検出ポイントの数値データを減算することにより、右打ちがしばらくの間されていないにもかかわらず少数の右打ち遊技球の検出に基づいて左打ち報知演出が実行されてしまうことを制限する制限制御に用いる計時手段である。
【０１８６】
Ｓ９０６の後、右打ち検出ポイント（合計値）が左打ち判定値である「１２」ポイントに達しているか否かを判定する（Ｓ９０７）。左打ち判定値は、仮にゲート３２への遊技球の進入のみであれば１２個検出されたポイント数、または、仮に一般入賞口３３のみであれば６個検出されたポイント数に相当するような数値データに設定されている。この実施形態の場合、右打ち検出ポイントは、左打ち判定値である「１２」ポイントが上限値として設定されており、「１２」ポイントを超えて計数されない。つまり、Ｓ９０３，Ｓ９０５においては、右打ち検出ポイントが既に「１２」ポイントに達している状態では、右打ち検出ポイントの加算更新がされない。
【０１８７】
Ｓ９０７で右打ち検出ポイントの合計が「１２」ポイントに達していないときは、処理を終了する。一方、Ｓ９０７で右打ち検出ポイントの合計が「１２」ポイントに達しているときは、図１０（Ａ）のような左打ち報知演出の実行を開始する（Ｓ９０８）。そして、左打ち報知演出の実行時間を計測するための計時手段としての左打ち報知タイマを１５秒間に相当する数値データにセット（Ｓ９０９）し、処理を終了する。これにより、左打ち報知演出が１５秒間継続して実行される。なお、右打ち検出ポイントは、上限値を設定せずに計数可能としてもよい。右打ち検出ポイントについて上限値を設定せずに計数可能とする場合には、Ｓ９０７で右打ち検出ポイントが「１２」ポイント以上であるときに左打ち報知演出の実行を開始するようにしてもよい。
【０１８８】
Ｓ９０４で一般入賞口スイッチ３３ａが遊技球の通過を検出していないときは、Ｓ９０６で開始されるポイント変更タイマが計時中であるか否かを判定する（Ｓ９１０）。Ｓ９１０で計時中であるときは、ポイント変更タイマの値を「−１」減算更新する（Ｓ９１１）。これにより、時間経過に応じてポイント変更タイマの値が減算更新されていく。そして、ポイント変更タイマの値が「０」に達したか否かを判定する（Ｓ９１２）。ポイント変更タイマの値が「０」に達していないときは、処理を終了する。一方、ポイント変更タイマの値が「０」に達しているときは、しばらくの間右打ちが検出されなかったことに基づき、右打ち検出ポイントを「−１」減算更新し（Ｓ９１３）、処理を終了する。これにより、しばらくの間右打ちが検出されなかったことに応じて、右打ち検出ポイントが徐々にリセットされていく。なお、Ｓ９１２でポイント変更タイマの値が「０」に達しているときは、Ｓ９１３において、右打ち検出ポイントが１回の処理で「０」になるようにしてもよい。このようにする場合には、しばらくの間右打ちが検出されなかったことに基づき右打ち検出ポイントが一気にリセットされる。
【０１８９】
Ｓ９１０でポイント変更タイマの計時中でないときは、Ｓ９０９で開始される左打ち報知タイマが計時中であるか否かを判定する（Ｓ９１４）。Ｓ９１４で計時中であるときは、左打ち報知タイマの値を「−１」減算更新する（Ｓ９１１）。これにより、時間経過に応じて左打ち報知タイマの値が減算更新されていく。そして、左打ち報知タイマの値が「０」に達したか否かを判定する（Ｓ９１６）。左打ち報知タイマの値が「０」に達していないときは、左打ち報知演出の実行を終了し（Ｓ９１７）、処理を終了する。
【０１９０】
左打ち報知処理では、ゲートスイッチ３２ａにより遊技球が検出されたときと、一般入賞口スイッチ３３ａにより遊技球が検出されたときとで、左打ち報知演出をするまでの条件が異なる。たとえば、左打ち報知演出を実行する条件は、ゲート３２への遊技球の進入のみであれば１２個検出されたときに成立し、また、一般入賞口３３のみであれば６個検出されたときに成立する。これにより、第１検出位置と第２検出位置とのそれぞれの遊技球の流下頻度に基づいた報知をすることが可能となるので、遊技球の流下の検出に基づく好適な報知を行なうことができる。
【０１９１】
第２経路（右遊技領域）を流下する遊技球は、ゲートスイッチ３２ａと、一般入賞口スイッチ３３ａとの少なくともいずれか一方により検出されるので、第２経路を流下する遊技球が必ず検出されることにより、遊技球の第２経路での流下の検出に基づく左打ち報知演出を確実に行なうことができる。
【０１９２】
Ｓ９０２〜Ｓ９０５等に示すように、左打ち報知演出をする条件が、ゲートスイッチ３２ａと、一般入賞口スイッチ３３ａとの少なくともいずれか一方の検出結果に基づいて変化（加算更新）する数値データよりなる右打ち検出ポイントに基づいて成立することにより、遊技球の検出データを好適に管理することができるので、遊技球の流下の検出に基づく左打ち報知演出をより高い精度で行なうことができる。
【０１９３】
右打ち検出ポイントは、Ｓ９０２，Ｓ９０３でゲートスイッチ３２ａによる遊技球の検出によるポイントの変化量は１ポイント加算、Ｓ９０４，Ｓ９０５で一般入賞スイッチ３３ａによる遊技球の検出によるポイントの変化量は２ポイント加算が行われるように管理される。これにより、左打ち報知演出をする条件が、ゲートスイッチ３２ａの検出結果と、一般入賞口スイッチ３３ａの検出結果とで変化量が異なる数値データに基づいて成立することにより、遊技球の流下頻度に応じて検出データを好適に管理することができるので、遊技球の流下の検出に基づく左打ち報知演出をより一層高い精度で行なうことができる。
【０１９４】
Ｓ９０３〜Ｓ９０８に示すように、ゲートスイッチ３２ａの検出結果と、一般入賞口スイッチ３３ａの検出結果とで共通の数値データである右打ち検出ポイントが変化し、当該右打ち検出ポイントが所定値（左打ち判定値「１２」）となったことに基づいて左打ち報知演出をする条件が成立することにより、遊技球の流下の検出に基づく左打ち報知演出をするための処理を複雑化させないようにすることができる。
【０１９５】
Ｓ９０９〜Ｓ９１３に示すように、ゲートスイッチ３２ａおよび一般入賞スイッチ３３ａにより右打ちの遊技球が検出されないときに、１５秒間経過ごとに右打ち検出ポイントが減算される。これにより、ゲートスイッチ３２ａおよび一般入賞スイッチ３３ａにより遊技球が検出されなくなれば、右打ち検出ポイントが逆に変化することにより、必要以上に左打ち報知演出をすることが抑制されるので、遊技球の流下の検出に基づくより一層好適な報知を行なうことができる。さらに、ゲートスイッチ３２ａおよび一般入賞スイッチ３３ａにより遊技球が検出されなくなったときに、１５秒経過ごとに１ポイントずつ右打ち検出ポイントが減算されることにより、ゲートスイッチ３２ａおよび一般入賞スイッチ３３ａにより遊技球が検出されなくなったときに右打ち検出ポイントが「０」にリセットされる場合と比べて、過去の右打ち検出の履歴が右打ち検出ポイント数としてしばらくの間残り、右打ちが繰返されれば、再度左打ち報知演出が実行されるので、たとえば、遊技者が不正行為をするために右打ちをする場合において、検出ポイントが「０」にリセットされる場合と比べて、右打ちによる不正行為の抑制効果を高めることができる。
【０１９６】
なお、Ｓ９０９〜Ｓ９１３では、ゲートスイッチ３２ａおよび一般入賞スイッチ３３ａにより右打ちが検出されないときに、１５秒間経過ごとに右打ち検出ポイントを１ポイントずつ減算する例を示したが、複数ポイントずつ減算してもよい。また、減算数は、最新の加算数（たとえば、最新の加算がゲートスイッチ３２ａの検出によるものの場合は１ポイント、最新の加算が一般入賞スイッチ３３ａの検出によるものの場合は２ポイント）を減算してもよく、最古の加算数（たとえば、最古の加算がゲートスイッチ３２ａの検出によるものの場合は１ポイント、最古の加算が一般入賞スイッチ３３ａの検出によるものの場合は２ポイント）が減算されるようにしてもよい。その場合には、右打ち検出ポイントの加算数の履歴を記憶して管理する必要がある。
【０１９７】
また、１５秒間というような所定時間が経過するごとに、ゲートスイッチ３２ａおよび一般入賞スイッチ３３ａの検出結果に基づく変化とは逆に変化する共通の右打ち検出ポイントに基づいて、左打ち報知演出をする条件が成立することにより、必要以上の左打ち報知演出を抑制するための処理を複雑化させないようにすることができる。
【０１９８】
なお、図１２の左打ち報知演出では、ゲートスイッチ３２ａおよび一般入賞スイッチ３３ａにより遊技球が検出されたときに右打ち検出ポイントの数値データを加算していき、右打ち検出ポイントが所定数となったことを条件として左打ち報知演出を実行する例を示した。しかし、これに限らず、左打ち報知演出としては、右打ち検出ポイント数を予め定められた値（たとえば、「１２」等）にセットし、ゲートスイッチ３２ａおよび一般入賞スイッチ３３ａにより遊技球が検出されたときに右打ち検出ポイントの数値データを減算していき、右打ち検出ポイントが「０」等の特定数となったことを条件として左打ち報知演出を実行するようにしてもよい。
【０１９９】
［第２実施形態］
次に、第２実施形態による各種の演出について説明する。第２実施形態では、変動表示の表示結果が大当り表示結果となったことに基づいて遊技者にとって有利な大当り遊技状態に制御される。そして、大当り遊技状態中であるラウンド中には、遊技球の入賞によって付与される遊技球数に関連した球数関連報知演出が実行される。ここで、遊技球数に関連した球数関連報知演出には、入賞した遊技球に対して払出される獲得遊技球の数を報知する演出が含まれる。また、遊技球数に関連した球数関連報知演出には、オーバー入賞が発生したときに報知の態様を変化させることでオーバー入賞の発生を報知する演出が含まれる。このように、遊技球数に関連した演出とは、獲得した遊技球（遊技球数）に対する何らかの報知を行なう演出である。
【０２００】
また、遊技球数に関連した球数関連報知演出は、複数の種類が設けられている。たとえば、演出状態が第１演出状態のときには、第１報知態様により球数関連報知演出が実行され、演出状態が第２演出状態のときには、第２報知態様により球数関連報知演出が実行される。つまり、球数関連報知演出は、演出状態により異なる球数関連報知演出が実行されることとなる。第１報知態様による球数関連報知演出は、ラウンド中（大当り遊技状態中）に付与された遊技媒体数が所定数となったことに基づいて実行される。また、第２報知態様による球数関連報知演出は、ラウンド中（大当り遊技状態中）に付与された遊技媒体数が所定数とは異なる特定数となったことに基づいて実行される。
【０２０１】
ラウンド中（大当り遊技状態中）においては、遊技球が特別可変入賞球装置２０に入賞する毎に、付与された遊技球数が可変表示可能に表示される。また、ラウンド中（大当り遊技状態中）における演出状態を第１演出状態とするか第２演出状態とするかを選択することが可能である。また、オーバー入賞により獲得する遊技球数についても、遊技球数に関連した球数関連報知演出の遊技球数のカウントに考慮される。
【０２０２】
以下に、球数関連報知演出の具体例を説明する。図１３は、第２実施形態の球数関連報知演出を説明するための図である。ここで、本実施の形態では、１回の大当りで獲得できる遊技球の総数は、約１５００個である。具体的には、１回のラウンドにおいて、遊技球１個の入賞に対して１０個の払出しがあり、１０個入賞するまでラウンドが継続されるので、１ラウンドあたり約１００個（１０×１０＝１００）の遊技球を獲得することができる。また、大当りが継続する場合には、前回の獲得総数表示の値が引継がれる。図１３では、２回目以降の大当りが実行された場合が示されている。
【０２０３】
図１３（ａ）は、大当り表示結果となっときの大当り遊技中の１ラウンド目における演出表示装置９の表示画面を示す図である。１ラウンド目においては、ラウンド中における演出状態を２つのモードのうちから選択可能とする演出が実行される。演出表示装置９の画面の左側には、女の子キャラクタによるＡモード画像２１１が表示される。また、演出表示装置９の画面の右側には、男の子キャラクタによるＢモード画像２１２が表示される。遊技者は、遊技者の選択操作を促す左右の矢印で示されるモード選択画像２１０に従い、いずれか一方のモードを選択する。ラウンド開始時には、初期値としてＡモード画像２１１が選択されているとともに、モード選択画像２１０の左側が選択されている。これらの画像が選択されていることは、画像の点滅により知ることができる。なお、点滅ではなく選択されている方の画像を太枠で囲む等としてもよく、いずれのモードが選択されていることが分かればどのような態様であってもよい。
【０２０４】
遊技者は、１ラウンドの期間中いずれかのモードを選択することが可能である。このようなモード（演出状態）の切替えは、スティックコントローラ１２２を左右に操作することで変更可能である。なお、十字キー等の操作手段により左右の選択が変更可能となるようにしてもよいし、プッシュボタン１２０の押下げによりモードが切替るようにしてもよい。また、演出モードは３種類以上設けられていてもよいし、大当りの回数毎に選択できる演出モードの種類が増加されていくようにしてもよい。また、モードの選択期間は、１ラウンド以外のラウンドでもよく、ラウンド中の所定時間（たとえば、１０秒）に限って選択操作が可能となるようにしてもよい。また、大当り毎に新たな演出モードが初期値（最初に選択されているモードの種類）として設定されるようにしてもよい。
【０２０５】
図１３（ｂ）〜（ｄ）は、Ａモードが選択された場合の演出表示装置９の表示画面を示す説明図である。また、図１３（ｅ）〜（ｇ）は、Ｂモードが選択された場合の演出表示装置９の表示画面を示す説明図である。図１３（ｂ）に示すように、Ａモードが選択された場合には、画面左上に、大入賞口に入賞することにより獲得した遊技球数の獲得総数表示画像２０５が表示される。獲得総数表示画像２０５は、遊技球が大入賞口に入賞する毎に増加していく。図１３（ｂ）では、大当りにおける遊技球の獲得総数が２０００個であることが示されている。また、大入賞口に入賞することにより獲得した遊技球数が５００個の倍数を超える毎に画面中央に第１報知画像２０４が表示される。図１３（ｂ）では、遊技球数が５００個の４倍である２０００個を超えたときに第１報知画像２０４により、遊技球が２０００個獲得されたことが示される。また、画面右上に女の子画像２０３が表示される。なお、獲得総数表示画像２０５で表示される数字と第１報知画像２０４として表示される数字とは瞬間的なタイミングで同じ表示である場合を示している。また、獲得総数が区切りのよい数字でない場合（たとえば、１３個ずつ増加する場合等）には、獲得総数表示画像２０５で表示される数字と第１報知画像２０４として表示される数字とは異なる（獲得総数表示画像２０５で表示される数字が２０１３、第１報知画像２０４として表示される数字が２０００等）ことがある。
【０２０６】
図１３（ｃ）は、図１３（ｂ）と同じ大当りの中で獲得した遊技球の獲得総数が２５００個となった場合の演出表示装置９の表示画面を示している。図１３（ｃ）に示すように、獲得総数表示画像２０５により、遊技球の獲得総数が２５００個であることが示される。また、遊技球数が５００の５倍である２５００個を超えたときに第１報知画像２０４により、遊技球が２５００個獲得されたことが示される。また、女の子画像２０３が図１３（ｂ）のときとは異なる人物で表示される。さらに、４回目の大当りでは、演出表示装置９の表示画面が図１３（ｄ）のようになる。図１３（ｄ）では、獲得総数表示画像２０５が５０００個であることが示される。また、遊技球数が５００の１０倍である５０００個を超えたときに第１報知画像２０４により、遊技球が５０００個獲得されたことが示される。また、女の子画像２０３が図１３（ｂ）や図１３（ｃ）のときとは異なる人物で表示される。このように、遊技球数が５００の倍数を超えたときは、第１報知画像２０４とともに女の子画像２０３も変化する。ここで、第１報知画像２０４と女の子画像２０３とは、次の第１報知画像２０４と女の子画像２０３に変化するまで継続して表示される。しかし、第１報知画像２０４と女の子画像２０３とが所定時間経過することにより消去されるようにしてもよい。
【０２０７】
次に図１３（ａ）においてＢモードが選択された場合について説明する。図１３（ｅ）に示すように、Ｂモードが選択された場合には、画面左上に、大入賞口に入賞することにより獲得した遊技球数の獲得総数表示画像２１５が表示される。獲得総数表示画像２１５は、遊技球が大入賞口に入賞する毎に増加していく。ここで、Ｂモードでの獲得総数表示画像２１５とＡモードでの獲得総数表示画像２０５は、文字の表示態様が異なっている。このように、演出モードにより獲得総数の表示を異ならせているが、獲得総数の表示はモードによらず同じであってもよい。図１３（ｅ）では、大当りにおける遊技球の獲得総数が２０００個であることが示されている。また、画面右上に男の子画像２１３が表示される。Ｂモードでは、このような男の子画像２１３による演出が実行される。しかし、Ａモードとは異なり、Ｂモードでは、遊技球の獲得総数が２０００個を超えたとしても画面中央に獲得した遊技球の総数を報知する演出は実行されない。なお、図１３（ｅ）では、男の子画像２１３を表示せずに、別の演出画像が表示されるようにしてもよい。
【０２０８】
図１３（ｆ）は、図１３（ｅ）と同じ大当りの中で獲得した遊技球の獲得総数が２５００個となった場合の演出表示装置９の表示画面を示している。図１３（ｆ）に示すように、獲得総数表示画像２１５により遊技球の獲得総数が２５００個であることが示される。また、遊技球数が２５００個を超えたときに第２報知画像２１４により、遊技球が２５００個獲得されたことが示される。Ｂモードでは、入賞口に入賞することにより獲得した遊技球数が２５００個の倍数を超える毎に画面中央に第２報知画像２１４が表示される。図１３（ｆ）では、遊技球数が２５００個の１倍である２５００個を超えたときに第２報知画像２１４により、遊技球が２５００個獲得されたことが示される。第２報知画像２１４は所定時間経過により消去される（たとえば、表示されてから２秒経過後）。
【０２０９】
さらに、４回目の大当りでは、演出表示装置９の表示画面が図１３（ｇ）のようになる。図１３（ｇ）では、獲得総数表示画像２１５が５０００個であることが示される。また、遊技球数が２５００の２倍である５０００個を超えたときに第２報知画像２１４により、遊技球が５０００個獲得されたことが示される。ここで、Ｂモードにおいて男の子画像２１３は、Ａモードのようにキャラクタが変化することがなく、同一人物の画像が表示される。
【０２１０】
図１３に示すように、Ａモードに制御されているときは、第１報知画像２０４により、遊技球を獲得したことによる球数関連報知演出が実行される。また、Ｂモードに制御されているときは、第２報知画像２１４により、遊技球を獲得したことによる球数関連報知演出が実行される。よって、演出状態がＡモードであるかＢモードであるかに応じた球数関連報知演出により、大当り遊技中（ラウンド中）の遊技の興趣を向上させることができる。
【０２１１】
また、図１３（ｂ）〜（ｄ）に示すように、遊技球の獲得総数が５００の倍数を超える毎に第１報知画像２０４により、遊技球を獲得したことによる球数関連報知演出が実行される。また、図１３（ｅ）〜（ｇ）に示すように、遊技球の獲得総数が２５００の倍数を超える毎に第２報知画像２１４により、遊技球を獲得したことによる球数関連報知演出が実行される。よって、球数関連報知演出が多様化することにより、大当り遊技中（ラウンド中）の遊技の興趣を向上させることができる。
【０２１２】
また、図１３のＡモードの獲得総数表示画像２０５，Ｂモードの獲得総数表示画像２１５に示すように、特別可変入賞球装置２０の大入賞口に遊技球が入賞する毎に、付与された遊技球が１０ずつ増加していく表示が行なわれる。よって、付与された遊技球数を可変表示可能であるため、獲得総数表示の変化により、大当り遊技中（ラウンド中）の遊技の興趣を向上させることができる。
【０２１３】
また、ラウンド中においてＡモードとするかＢモードとするかを選択するためのモード選択画像２１０が表示される。よって、ラウンド中における演出状態を選択することが可能となるので、大当り遊技中（ラウンド中）の遊技の興趣を向上させることができる。
【０２１４】
［第３実施形態］
第３実施形態では、遊技媒体が所定数より多い特定数入賞したときに実行される球数関連報知演出による遊技の興趣を向上させることができる遊技機について説明する。たとえば、このような遊技機は、以下のようなものである。
【０２１５】
次に、球数関連報知演出の演出態様の具体例について説明する。図１４および図１５は、第３実施形態の球数関連報知演出の演出態様の具体例を示す説明図である。なお、図１４および図１５において、（１）（２）（３）・・・の順に演出態様が遷移する。
【０２１６】
図１４（１）に示すように、左中右の演出図柄が同じ図柄で停止表示されて大当りが発生し、図１４（２）に示すように、第１ラウンドが開始されて大当り遊技が開始されたものとする。また、図１４（２）〜（６）に示すように、第１ラウンド〜第５ラウンドにおいては昇格演出も実行される。図１４（２）に示す例では、演出表示装置９においてルーレットを球が回転するような態様の画像２００を表示することにより昇格演出が開始される場合が示されている。
【０２１７】
また、図１４（３）に示すように、大当り遊技のラウンド中に大入賞口への入賞が発生すると、通常態様により球数関連報知演出が実行される。図１４（３）に示す例では、第１大入賞口に遊技球が入賞し、第１大入賞口ＬＥＤ２０ｃを白色発光させる態様で球数関連報知演出が実行される場合が示されている。
【０２１８】
また、大入賞口への入賞数が所定の上限数（本例では、１０個）に達しラウンドを終了した場合であってもオーバー入賞が発生する場合がある。この場合、図１４（４）に示すように、オーバー入賞が発生した場合であっても、第６ラウンドよりも前のラウンドであり第２大入賞口内の特定領域に遊技球が入賞して確変確定報知が実行される前である場合には、通常態様により球数関連報知演出が実行される。図１４（４）に示す例では、第１大入賞口へのオーバー入賞が発生し、第１大入賞口ＬＥＤ２０ｃを白色発光させる態様で球数関連報知演出が実行される場合が示されている。
【０２１９】
次いで、図１４（５）に示すように、同様の態様で第２ラウンド以降のラウンドが実行され、図１４（６）に示すように、第５ラウンドとなると、ルーレットの当否結果を報知するような態様の昇格演出が実行される。図１４（６）に示す例では、大当り種別が確変大当りとなる大当りであることに基づいて、球がルーレット内の「確」と表示された領域に入球し、ルーレットの結果が当り（確変状態となることを示唆する結果）となるような態様の画像を表示するとともに、「確変昇格あり！」などの文字列２０１を表示する態様により昇格演出が実行される場合が示されている。なお、大当り種別が確変大当りとならない大当り（通常大当り）である場合には、たとえば、球がルーレット内の「確」と表示された領域以外の領域に入球し、ルーレットの結果がはずれ（確変状態とならないことを示唆する結果）となるような態様の画像を表示するとともに、「確変昇格なし！」などの文字列を表示する態様により昇格演出が実行される。
【０２２０】
なお、この実施の形態では、昇格演出として、ルーレット演出を実行する場合を示しているが、そのような態様にかぎられない。たとえば、昇格演出として、敵と味方のキャラクタがバトルを行ない、味方のキャラクタが勝利することによって確変状態となることを示唆したり、味方のキャラクタが敗北することによって確変状態とならないことを示唆したりする演出を実行してもよい。また、たとえば、昇格演出として、おみくじを表示するような演出を行ない、おみくじの結果が「吉」であれば確変状態となることを示唆したり、おみくじの結果が「凶」であれば確変状態とならないことを示唆したりする演出を実行してもよい。そのように、昇格演出として、何らかの態様で確変状態に制御されるか否かを煽ることができる演出を実行するものであればよい。
【０２２１】
また、この実施の形態では、第１ラウンド〜第５ラウンドにわたって昇格演出が実行され、最後の第５ラウンドにおいて昇格演出の結果報知（本例では、ルーレットの結果が報知）がされる場合を示しているが、そのような態様にかぎられない。たとえば、第５ラウンドを待たずに、第１ラウンド〜第４ラウンドでも昇格演出の結果報知を可能に構成してもよい。この場合、昇格演出の結果報知の後であれば、第５ラウンドや第６ラウンドを待たずに、オーバー入賞発生時に特殊態様による球数関連報知演出を実行可能に構成してもよい。
【０２２２】
次いで、図１４（７）に示すように、第６ラウンドに移行し第２大入賞口が開放状態に制御される。そして、図１４（７）に示すように、第６ラウンドにおいて第２大入賞口に遊技球が入賞するとともに第２大入賞口内の特定領域に遊技球が入賞し、確変状態に制御されることが確定したものとする。図１４（７）に示す例では、第６ラウンド中に第２大入賞口に遊技球が入賞したことから、第２大入賞口ＬＥＤ２０ｄを白色発光させる態様で球数関連報知演出が実行されることも示されている。また、確変状態に制御されることが確定したことに基づいて、図１４（８）に示すように、演出表示装置９において確変確定報知の実行が開始される。図１４（８）に示す例では、確変確定報知として、演出表示装置９において「確変確定！」などの文字列２０２が表示される場合が示されている。
【０２２３】
なお、図１４（７）において、第２大入賞口内の特定領域に遊技球が入賞したときに（特に、特定領域に１個目の遊技球が入賞したときに）、第２大入賞口ＬＥＤ２０ｄ（第１大入賞口ＬＥＤ２０ｃでもよい）を専用の発光色で発光（たとえば、特殊態様の球数関連報知演出とは異なる赤色で発光）させたり、専用の入賞音（たとえば、特殊態様の球数関連報知演出とは異なる専用の入賞音）を音出力させたりしてもよい。
【０２２４】
また、第６ラウンドにおいて第２大入賞口への入賞数が所定の上限数（本例では、１０個）に達しラウンドを終了した場合であってもオーバー入賞が発生する場合がある。この場合、図１５（９）に示すように、オーバー入賞が発生した場合であっても、確変確定報知が実行される場合がある第６ラウンドである場合には、通常態様により球数関連報知演出が実行される。図１５（９）に示す例では、第２大入賞口へのオーバー入賞が発生し、第２大入賞口ＬＥＤ２０ｄを白色発光させる態様で球数関連報知演出が実行される場合が示されている。
【０２２５】
次いで、第７ラウンド以降のラウンドに移行する。第７ラウンド以降のラウンドであっても、図１５（１０）に示すように、大当り遊技のラウンド中に大入賞口への入賞が発生すると、通常態様により球数関連報知演出が実行される。図１５（１０）に示す例では、第１大入賞口に遊技球が入賞し、第１大入賞口ＬＥＤ２０ｃを白色発光させる態様で球数関連報知演出が実行される場合が示されている。
【０２２６】
一方、第７ラウンド以降のラウンドにおいてオーバー入賞が発生した場合には、図１５（１１）に示すように、通常態様とは異なる特殊態様により球数関連報知演出が実行される。図１５（１１）に示す例では、第１大入賞口へのオーバー入賞が発生し、第１大入賞口ＬＥＤ２０ｃをレインボー発光させるとともに、スピーカ２７から所定の入賞音を音出力させる態様で球数関連報知演出が実行される場合が示されている。
【０２２７】
なお、この実施の形態では、特殊態様による球数関連報知演出の場合にのみスピーカ２７から所定の入賞音を音出力させる場合を示しているが、そのような態様にかぎらず、通常態様による球数関連報知演出を実行する場合にも何らかの入賞音（特殊態様の場合と同じ音でも異なる音でもよい）を音出力させるようにしてもよい。
【０２２８】
また、この実施の形態では、特殊態様による球数関連報知演出として、第１大入賞口ＬＥＤ２０ｃをレインボー発光させるとともに、スピーカ２７から所定の入賞音を音出力させる態様の演出を実行する場合を示しているが、そのような態様にかぎられない。たとえば、第１大入賞口ＬＥＤ２０ｃをレインボー発光させるだけで、入賞音の音出力を伴わないものであってもよい。また、たとえば、通常態様による球数関連報知演出とは異なる発光色で発光するものであれば、レインボー発光以外の発光色（たとえば、赤色や黄色）で第１大入賞口ＬＥＤ２０ｃなどを発光させるものであってもよい。また、たとえば、第１大入賞口ＬＥＤ２０ｃをレインボー発光させるのではなく、特殊態様による球数関連報知演出として、所定のキャラクタのボイスを模した音を音出力させる態様の演出を実行してもよい。そのように特殊態様による球数関連報知演出として、様々な態様の演出が考えられる。
【０２２９】
以上に説明したように、この実施の形態によれば、所定期間（本例では、２９秒）が経過することまたは遊技媒体（本例では、遊技球）が所定数（本例では、１０個）入賞することのうちの少なくとも一方が成立するまで可変入賞手段（本例では、第１大入賞口、第２大入賞口）を第１状態（本例では、開放状態）に変化させることが可能な単位遊技（本例では、ラウンド）を所定回数（本例では、１５ラウンド）実行する有利状態（本例では、大当り遊技状態）に制御可能であり、有利状態において可変入賞手段に設けられた特定領域（本例では、第２大入賞口内の特定領域）を遊技媒体が通過したことに基づいて、特別状態（本例では、確変状態）に制御可能である。また、有利状態において特定領域を遊技媒体が通過した後に、有利状態における１の単位遊技において遊技媒体が所定数より多い特定数（たとえば、１１個目や１２個目）入賞したこと（本例では、オーバー入賞が発生したこと）に基づいて、特殊態様による球数関連報知演出（本例では、第１大入賞口ＬＥＤ２０ｃをレインボー発光させるとともにスピーカ２７から所定の入賞音を音出力させる態様の球数関連報知演出）を実行可能である。そのため、特定領域を遊技媒体が通過した後に、有利状態における１の単位遊技において遊技媒体が所定数より多い特定数入賞したことに基づいて、通常態様とは異なる特殊態様による球数関連報知演出を実行することによって、球数関連報知演出による遊技の興趣を向上させることができる。
【０２３０】
なお、この実施の形態では、大当り遊技において単位遊技（ラウンド）が実行される所定回数が１５回（１５ラウンド）である場合を示しているが、そのような態様にかぎらず、他の回数であってもよい。また、所定回数は、１回や２回であってもよく、たとえば、大入賞口を１回または２回のみ開放する突然確変大当りや小当りが設けられている場合に、その突然確変大当りや小当りにおけるオーバー入賞も検出可能に構成してもよい。
【０２３１】
また、この実施の形態によれば、特定領域を遊技媒体が通過する前に、有利状態における１の単位遊技において遊技媒体が特定数入賞した場合には、特殊態様による球数関連報知演出を実行しない。そのため、特定領域を遊技媒体が通過する前では特殊態様による球数関連報知演出を実行しないようにすることによって、球数関連報知演出による遊技の興趣が却って低下してしまうことを防止することができる。
【０２３２】
また、この実施の形態によれば、有利状態における１の単位遊技において遊技媒体が特定数未満入賞したことに基づいて、通常態様による球数関連報知演出（本例では、第１大入賞口ＬＥＤ２０ｃや第２大入賞口ＬＥＤ２０ｄを白色発光させる態様の球数関連報知演出）を実行可能である。また、特定領域を遊技媒体が通過する前に、有利状態における１の単位遊技において遊技媒体が特定数入賞した場合には、通常態様による球数関連報知演出を実行する。そのため、特定領域を遊技媒体が通過する前では特殊態様による球数関連報知演出に代えて通常態様による球数関連報知演出を実行することによって、球数関連報知演出の演出効果を向上させることができる。
【０２３３】
なお、この実施の形態では、第２大入賞口内の特定領域を遊技球が入賞する前にオーバー入賞が発生した場合には、特殊態様による球数関連報知演出に代えて通常態様による球数関連報知演出を実行する場合を示したが、そのような態様にかぎられない。たとえば、第２大入賞口内の特定領域を遊技球が入賞する前にオーバー入賞が発生した場合には、球数関連報知演出を全く実行しないように構成してもよい。
【０２３４】
また、この実施の形態によれば、有利状態において特定領域を遊技媒体が通過したことに基づいて特別演出（本例では、確変確定報知）を実行可能である。そして、有利状態における特定領域を遊技媒体が通過した単位遊技（本例では、第６ラウンド）において遊技媒体が特定数入賞した場合には、特殊態様による球数関連報知演出を実行しない（本例では、特殊態様による球数関連報知演出に代えて通常態様による球数関連報知演出を実行する）。そのため、特殊態様による球数関連報知演出により特別演出の実行を妨げてしまうことを防止することができ、演出効果が却って低下してしまうことを防止することができる。
【０２３５】
なお、この実施の形態では、確変確定報知が実行される第６ラウンドでは、特殊態様による球数関連報知演出のみを実行しないようにし、通常態様による球数関連報知演出（本例では、第１大入賞口ＬＥＤ２０ｃや第２大入賞口ＬＥＤ２０ｄを白色発光させる態様の球数関連報知演出）は実行するように構成する場合を示しているが、そのような態様にかぎられない。たとえば、確変確定報知が実行される第６ラウンドでは、特殊態様による球数関連報知演出と通常態様による球数関連報知演出との両方を実行しないように構成してもよい。
【０２３６】
また、この実施の形態によれば、特殊態様による球数関連報知演出として、発光体による発光（本例では、第１大入賞口ＬＥＤ２０ｃのレインボー発光）および音出力（本例では、スピーカ２７からの所定の入賞音の音出力）を含む演出を実行する。そのため、発光体による発光および音出力を用いた演出により球数関連報知演出の演出効果を向上させることができる。
【０２３７】
次に、前述した実施の形態により得られる主な効果を説明する。
（１）  図１２に示すように、左打ち報知処理では、ゲートスイッチ３２ａにより遊技球が検出されたときと、一般入賞口スイッチ３３ａにより遊技球が検出されたときとで、左打ち報知演出をするまでの条件が異なる。たとえば、左打ち報知演出を実行する条件は、ゲート３２への遊技球の進入のみであれば１２個検出されたときに成立し、また、一般入賞口３３のみであれば６個検出されたときに成立する。これにより、第１検出位置と第２検出位置とのそれぞれの遊技媒体の流下頻度に基づいた報知をすることが可能となるので、遊技球の流下の検出に基づく好適な報知を行なうことができる。
【０２３８】
（２）  図１に示すように、第２経路（右遊技領域）を流下する遊技球は、ゲートスイッチ３２ａと、一般入賞口スイッチ３３ａとの少なくともいずれか一方により検出されるので、第２経路を流下する遊技球が必ず検出されることにより、遊技球の第２経路での流下の検出に基づく左打ち報知演出を確実に行なうことができる。
【０２３９】
（３）  図１２に示すように、左打ち報知演出をする条件が、Ｓ９０２〜Ｓ９０５でゲートスイッチ３２ａと一般入賞スイッチ３３ａとの少なくともいずれか一方の検出結果に基づいて変化する数値データである右打ち検出ポイントに基づいて成立することにより、遊技球の検出データを好適に管理することができるので、遊技球の流下の検出に基づく左打ち報知演出をより高い精度で行なうことができる。
【０２４０】
（４）  図１２に示すように、右打ち検出ポイントは、Ｓ９０２，Ｓ９０３でゲートスイッチ３２ａによる遊技球の検出によるポイントの変化量は１ポイント加算、Ｓ９０４，Ｓ９０５で一般入賞スイッチ３３ａによる遊技球の検出によるポイントの変化量は２ポイント加算が行われるように管理される。これにより、左打ち報知演出をする条件が、ゲートスイッチ３２ａの検出結果と、一般入賞口スイッチ３３ａの検出結果とで変化量が異なる数値データに基づいて成立することにより、遊技球の流下頻度に応じて検出データを好適に管理することができるので、遊技球の流下の検出に基づく左打ち報知演出をより一層高い精度で行なうことができる。
【０２４１】
（５）  図１２に示すように、Ｓ９０３〜Ｓ９０８に示すように、ゲートスイッチ３２ａの検出結果と、一般入賞口スイッチ３３ａの検出結果とで共通の数値データである右打ち検出ポイントが変化し、当該右打ち検出ポイントが所定値（左打ち判定値「１２」）となったことに基づいて左打ち報知演出をする条件が成立することにより、遊技球の流下の検出に基づく左打ち報知演出をするための処理を複雑化させないようにすることができる。
【０２４２】
（６）図１２に示すように、Ｓ９０９〜Ｓ９１３に示すように、ゲートスイッチ３２ａおよび一般入賞スイッチ３３ａにより右打ちが検出されないときに、１５秒間経過ごとに右打ち検出ポイントが減算される。これにより、ゲートスイッチ３２ａおよび一般入賞スイッチ３３ａにより遊技球が検出されなくなれば、右打ち検出ポイントが逆に変化することにより、必要以上に左打ち報知演出をすることが抑制されるので、遊技球の流下の検出に基づくより一層好適な報知を行なうことができる。
【０２４３】
（７）  図１２に示すように、１５秒間というような所定時間が経過するごとに、ゲートスイッチ３２ａおよび一般入賞スイッチ３３ａの検出結果に基づく変化とは逆に変化する共通の右打ち検出ポイントに基づいて、左打ち報知演出をする条件が成立することにより、必要以上の左打ち報知演出を抑制するための処理を複雑化させないようにすることができる。
【０２４４】
（８）  図１３に示すように、Ａモードに制御されているときは、第１報知画像２０４により、遊技球を獲得したことによる球数関連報知演出が実行される。また、Ｂモードに制御されているときは、第２報知画像２１４により、遊技球を獲得したことによる球数関連報知演出が実行される。よって、演出状態がＡモードであるかＢモードであるかに応じた球数関連報知演出により、大当り遊技中（ラウンド中）の遊技の興趣を向上させることができる。これにより、演出状態に応じた報知演出により、有利状態中の遊技の興趣を向上させることができる。
【０２４５】
次に、以上に説明した実施の形態の変形例や特徴点等を以下に列挙する。
（１）  前述した実施の形態では、左打ち報知演出を実行する条件として、右打ちされた遊技球の個数が所定個数となったことを用いた。しかし、これに限らず、が、左打ち報知演出を実行する条件としては、右打ちされた遊技球の検出間隔が所定時間以下となったことを条件として用いてもよい。たとえば、ある遊技球検出スイッチにおいて、右打ちされた遊技球の検出間隔が所定時間以下となったときに、左打ち報知演出を実行してもよい。その場合には、遊技球の流下割合に応じて、流下割合が少ない方の検出スイッチについて左打ち報知演出を実行する条件を設定するときには、流下割合が多い方の検出スイッチについて左打ち報知演出を実行する条件を設定するときよりも、異常とみなされる検出間隔を長く設定するようにしてもよい。
【０２４６】
（２）  前述した実施の形態では、右打ちされた遊技球を検出可能なゲートスイッチ３２ａと、一般入賞スイッチ３３ａとにおいて、同時に遊技球が検出されたときに、どちらの検出を優先して右打ちポイントを更新するようにしてもよい。
【０２４７】
（３）  前述した実施の形態では、左打ち報知演出を実行する条件として、右打ちされた遊技球を検出する位置を２箇所とした例を示した。しかし、これに限らず、右打ちされた遊技球を検出する位置を３箇所以上としてもよい。たとえば、前述した実施の形態では、遊技球の流下頻度が他の２箇所とは異なる別の一般入賞口または右打ち球を回収するアウト口等が設けられている場合に、そのような第３の箇所に右打ちされた遊技球を検出する検出手段を設定し、３箇所での遊技球の検出に基づく右打ち検出ポイントの合算値に基づいて、左打ち報知演出を実行する条件が成立したか否かを判断するようにしてもよい。
【０２４８】
（４）  前述した実施の形態では、左打ちをする必要がある遊技状態において右打ちされた遊技球が検出されたことに基づいて、左打ち報知演出を実行する例を示した。しかし、これに限らず、逆に、大当り遊技状態、および、確変状態（高ベース状態、時短状態等を含む）のように右打ちをする必要がある遊技状態において左打ちされた遊技球が検出されたことに基づいて、右打ち報知演出を実行する制御をしてもよい。たとえば、第１経路（左遊技領域）において遊技球の流下割合が異な第１始動入賞口１３および一般入賞口等の複数の箇所において、右打ちをする必要がある遊技状態において、遊技球を検出するごとに、前述した右打ち検出ポイントに相当する左打ち検出ポイントを更新（加算、減算含む）し、その左打ち検出ポイントが所定値となったことを条件として右打ち報知演出を実行すればよい。
【０２４９】
（５）  前述した実施の形態では、ゲートスイッチ３２ａおよび一般入賞スイッチ３３ａの検出による右打ち検出ポイント数の変化量は、検出箇所の遊技球の流下割合と同じ割合となるように設定したが、これに限らず、ゲートスイッチ３２ａおよび一般入賞スイッチ３３ａの検出による右打ち検出ポイント数の変化量は、少なくとも、検出箇所の遊技球の流下割合の大小関係に対応するようなものであればよい。
【０２５０】
（６）  前述した実施の形態での左打ち報知処理に用いる遊技球の検出箇所は、ゲート３２、一般入賞口３３に限られるものではなく、その他の箇所であってもよい。そして、左打ち報知処理に用いる遊技球の検出手段は、ゲートおよび入賞口に既設されている検出手段を用いてよく、左打ち報知処理専用の検出手段を用いてもよい。
【０２５１】
（７）  前述した実施の形態での左打ち報知処理を実行するパチンコ遊技機１の遊技領域７の構成は、図１に示される構成に限らず、どのような構成であってもよい。また、右打ちされた遊技球をたとえばゲートと一般入賞口とのような複数の経路に振分ける構成は、図１に示した遊技釘を用いたものに限らず、振分装置を用いて遊技球を振分けるようにしてもよい。たとえば、遊技球１０球のうち、９球をゲート側に振分け（ゲート通過可能）、１球を一般入賞口側に振分ける（一般入賞口入賞可能）等、所定の割合で機械的に遊技球を振分ける振分装置を用いて、右打ちされた遊技球を振分けるようにしてもよい。
【０２５２】
（８）  前述した実施の形態では、報知演出の報知態様を所定条件が成立しているか否かにより異ならせるようにしてもよい。たとえば、報知演出の態様を複数種類の報知態様として、白色文字での報知演出と虹色文字での報知演出とが実行されるようにする。そして、大当り遊技中において、保留記憶バッファに大当り表示結果となる保留記憶があることに基づいて、通常白色文字で実行される報知演出を虹色文字で実行するようにしてもよい。このようにすれば、保留記憶バッファに大当り表示結果となる変動表示が記憶されていることを踏まえて報知演出の報知態様を決定することができ、大当り遊技中の遊技の興趣を向上させることができる。なお、保留記憶バッファに大当り表示結果となる変動表示が記憶されているときは、１００％の割合で報知演出が虹色文字で実行されるようにしてもよいし、所定の抽選割合（たとえば、５０％の割合）で報知演出が虹色文字で実行されるようにしてもよい。また、このような場合に、１回の大当りにおいて複数回報知演出が実行される可能性があるが、その度に、虹色文字にするか否かの抽選が実行されるようにしてもよい。また、一度に虹色文字による報知演出が実行されると、それ以降の報知演出は虹色文字により実行されるようにすればよい。
【０２５３】
（９）  前述した実施の形態では、大当り遊技中において、通常大当りから確変大当りへの昇格演出を実行するようにしてもよい。そのような場合には、昇格演出を実行するラウンドにおいて報知演出が実行されるときに、報知演出の態様を通常の態様とは異なる態様にしてもよい。
【０２５４】
（１０）  前述した実施の形態では、大当りの種類を複数種類設けてもよい。そして、大当りの種類により報知演出の態様が異なるようにしてもよい。たとえば、大当りの種類として、４Ｒ大当り、８Ｒ大当り、１５ラウンド大当りを設け、各大当りの種類により、報知演出の報知態様が異なるようにしてもよい。
【０２５５】
（１１）  前述した実施の形態では、獲得総数表示の表示に対し上限値を設けるようにしてもよい。そして、当該上限値まで遊技球を獲得した場合には、獲得総数表示の更新を停止するようにしてもよい。たとえば、１０万個を上限値と設定した場合において、遊技球の獲得総数が１０万個を超えた場合には、Ａモードでの獲得総数表示画像２０５やＢモードでの獲得総数表示画像２１５の表示画像の更新が停止されるようにすればよい。このようにすれば、遊技者が大量の遊技球を獲得できたことを更新を停止することで報知することができ、遊技者に優越感を与えることができる。なお、上限値に到達した場合には、獲得総数表示を通常の表示態様とは異なる態様に変更するようにしてもよい。
【０２５６】
（１２）  前述した実施の形態では、報知演出の態様を獲得した遊技球の総数によって変化させるようにしてもよい。たとえば、Ｂモードが選択されている場合において、遊技球の獲得総数が２５００個となったときは、第２報知画像２１４を白色文字の画像で表示し、遊技球の獲得総数が５０００個となったときは、第２報知画像２１４を赤色文字の画像で表示し、遊技球の獲得総数が１００００個となったときは、第２報知画像２１４を虹色文字の画像で表示してもよい。このようにすれば、獲得総数に合わせて報知態様が変化し、大当り遊技中の遊技の興趣を向上させることができる。なお、Ａモードの場合も遊技球の獲得総数に応じて報知態様が異なるようにしてもよい。このような場合には、２５００個、５０００個、１００００個などの区切りのよい数字のときにのみ、報知態様が異なるようにしてもよいし、５００個毎に報知態様が異なるようにしてもよい。
【０２５７】
（１３）  前述した実施の形態では、遊技球の獲得総数が所定値を超えることにより、報知演出の態様が異なるようにしてもよい。たとえば、遊技球の獲得総数が所定値を超えると報知演出を実行しないようにしてもよいし、異なる概念の表示が行なわれるようにしてもよい。より具体的には、遊技球の獲得総数が所定値を超えた後は、報知画像を表示しないようにしてもよい。また、遊技球の獲得総数が所定値を超えた後は、「おめでとう！」のような、獲得総数の表示と異なる概念の表示（所定値を達成したことを祝うような表示等）として数字から文字に変化する表示による報知演出が実行されるようにしてもよい。
【０２５８】
（１４）  前述した実施の形態では、演出状態により（ＡモードまたはＢモードにより）報知演出の態様として表示画像が異なる場合を示した。このような表示画像としては、文字の色が異なるようなものでもよいし、文字のフォントが異なるようにしてもよいし、文字の見せ方が異なるようにしてもよい。文字の見せ方が異なるとは、たとえば、文字（数字）の出現方向が演出表示装置９の表示画面の左から出てくるものと右から出てくるものとで異なるようにしてもよい。
【０２５９】
（１５）  前述した実施の形態では、報知演出を実行するときの画像が別々の素材から構成されるようにしてもよい。たとえば、Ａモードが選択された場合において、第１報知画像２０４と女の子画像２０３とが、別素材で構成されていてもよい。このようにすれば、表示させる画像を別々に設定することができる。そして、表示のさせ方として、たとえば、抽選により、いずれの画像の組合せで表示するかが決定されるようにしてもよい。このような場合に、同じ所定の画像が連続して表示されないように、制限をかけるようにしてもよい。
【０２６０】
（１６）  前述した実施の形態では、図１３（ａ）に示すようなモードの選択中は、遊技球の獲得総数が所定の値を超えたとしても報知演出を実行しないようにしてもよい。また、このような場合には、報知演出が実行されることをＲＡＭ１０３の記憶領域に記憶し、モードの選択終了後に遊技球の獲得総数が所定の値を超えたことが報知されるようにしてもよい。また、モードの選択中に遊技球の獲得総数が所定の値を超えた場合には、報知演出を実行しないようにしてもよい。
【０２６１】
（１７）  前述した実施の形態では、１ラウンド目においてＡモードとＢモードとの選択が可能である場合を示した。しかし、大当り遊技中は、常にＡモードとＢモードとの選択ができるようにしてもよい。その場合に、２ラウンド目以降においては、選択表示が演出表示装置９の表示画面の領域を大幅に占めることによりラウンド中の演出の妨げにならないように、表示画面の端の領域に選択可能であることを小さく表示するようにしてもよい。
【０２６２】
（１８）  前述した実施の形態では、１ラウンド目においてＡモードとＢモードとの選択が可能である場合を示した。しかし、特殊条件の成立により、遊技者によるモードの選択が不可能となるようにしてもよい。たとえば、大当り毎のラウンド中に何らかのストーリーが継続して表示されるものにおいて、大当りが２０回連続したことに基づいて、ストーリーのエンディングが表示されることを特殊条件の成立とする。この場合に、エンディングが表示される２０回目の大当り中は、モードの選択が不可能としてもよい。また、エンディングが表示される２０回目の大当り中は、報知演出を実行しないようにしてもよいし、報知演出のための小窓画像をエンディングが表示される領域とは異なる領域に表示し当該領域で報知演出が実行されるようにしてもよい。また、報知演出の態様を遊技者が選択できる大当りと遊技者が選択できない大当り（特殊条件での大当り）とで、異ならせるようにしてもよい。
【０２６３】
（１９）  前述した実施の形態では、遊技者にとって有利な大当りであるか不利な大当りであるかにより、報知演出の実行の有無を決定するようにしてもよい。たとえば、遊技者に有利な大当りである確変大当りの場合には、報知演出を実行し、遊技者にとって不利な大当りである通常大当りの場合には、報知演出を実行しないようにしてもよい。
【０２６４】
（２０）  前述した実施の形態では、報知演出のためにカウントされる遊技球は、遊技球の入賞に対して払出されるものについて説明した。しかし、遊技領域７に打込んでアウト口２６に取込まれた遊技球を払出される遊技球から差し引いた差球数を報知演出のためにカウントされる遊技球としてもよい。このようにするには、たとえば、打球の発射位置に発射センサを設けるとともに、アウト口２６に取込まれた遊技球をカウント可能なアウト口センサを設ければよい。そして、大入賞口を含む各入賞センサ、発射センサ、および、アウト口センサを監視することで、差球数のカウントが可能とすればよい。
【０２６５】
（２１）  前述した実施の形態では、パチンコ遊技機１と、インターネット網に接続された管理サーバとを含む構成の遊技システムにおいて、パチンコ遊技機１と管理サーバとが２次元コード読み取り機能およびインターネット網への接続機能を備える携帯端末を介してデータのやり取りを行ない、パチンコ遊技機１において、携帯端末（たとえば携帯電話）を所有する遊技者の選択によって自身の過去の遊技履歴や遊技者が選択した演出モード（登場するキャラクタが異なるモード）等を反映させた遊技モードで遊技を行なうことが可能となる遊技モード（携帯連動モード）を実行できるようにしてもよい。このような場合に、携帯連動モードを実行しているか否かにより大当り中の報知演出の態様が異なるようにしてもよい。また、遊技者が選択したモードの種類によって、大当り中の報知演出の態様が異なるようにしてもよい。
【０２６６】
（２２）  前述した実施の形態では、異なる抽選の報知により大当り中の報知演出の態様が異なるようにしてもよい。異なる抽選の報知とは、たとえば、大当り中に通常大当りから確変大当りとなることを報知する昇格演出において、１回の告知により確変昇格の有無を告知する完全告知モードと複数回の告知により確変昇格の有無を告知するチャンス告知モードとによる報知のようなものである。このような報知の違いを演出状態の違いとして、完全告知モードとチャンス告知モードとにより、大当り中の報知演出の態様が異なるようにしてもよい。
【０２６７】
（２３）  前述した実施の形態では、大当り中に流れる楽曲の違いにより、大当り中の報知演出の態様が異なるようにしてもよい。たとえば、Ａの楽曲が流れている場合とＢの楽曲が流れている場合とで、報知演出の態様が異なるようにしてもよい。
【０２６８】
（２４）  前述した実施の形態では、演出状態（演出モード）を大当り遊技中以外の遊技状態で変化可能としてもよい。たとえば、大当り遊技状態終了後の時短状態中に、演出状態を変化させることにより次回の大当り遊技中の報知演出の態様が変化するようにしてもよい。
【０２６９】
（２５）  前述した実施の形態に示した各種演出は、メダルが投入されて所定の賭け数が設定され、遊技者による操作レバーの操作に応じて複数種類の図柄を回転させ、遊技者によるストップボタンの操作に応じて表示手段における図柄を停止させたときに停止図柄の組合せが特定の図柄の組合せになると、所定数のメダルが遊技者に払出されるスロットマシン（スロット機）に適用することも可能である。スロットマシンにおいては、ビッグボーナス（ＢＢ）、レギュラーボーナス（ＲＢ）、といったボーナス、また内部抽選結果を報知する演出を実行するＡＴ、通常遊技状態と比較して再遊技役の当選確率が異なるＲＴ、ＡＴとＲＴとに移行されたＡＲＴへ制御されたときにおいて、前述したような報知演出が実行されるようにしてもよい。たとえば、ＡＴに制御されたときにおいて、演出状態のいずれかのモードの中から選択できるようにし、第１演出状態に制御されているときには、第１報知態様による報知演出を実行し、第２演出状態に制御されているときには、第２報知態様による報知演出を実行してもよい。
【０２７０】
（２６）  前述した実施の形態では、遊技者にとって有利な有利状態として、大当り遊技状態を代表例として説明した。しかし、これに限らず、遊技者にとって有利な有利状態としては、高確率状態（確変状態）、時短状態、および、高ベース状態等のその他の有利状態が含まれてもよい。
【０２７１】
（２７）  前述の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌ等）を制御する回路が搭載された第２の演出制御基板との２つの基板を設けるようにしてもよい。
【０２７２】
（２８）  前述した実施の形態では、変動時間およびリーチ演出の種類や擬似連の有無等の変動態様を示す変動パターンを演出制御用マイクロコンピュータに通知するために、変動を開始するときに１つの変動パターンコマンドを送信する例を示したが、２つ乃至それ以上のコマンドにより変動パターンを演出制御用マイクロコンピュータに通知する様にしてもよい。具体的には、２つのコマンドにより通知する場合、遊技制御マイクロコンピュータは、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御用マイクロコンピュータは２つのコマンドの組合せから導かれる変動時間に基づいて変動表示における演出制御を行なうようにすればよい。なお、遊技制御用マイクロコンピュータの方では２つのコマンドのそれぞれにより変動時間を通知し、それぞれのタイミングで実行される具体的な変動態様については演出制御用マイクロコンピュータの方で選択を行なう様にしてもよい。２つのコマンドを送る場合、同一のタイマ割込内で２つのコマンドを送信する様にしてもよく、１つ目のコマンドを送信した後、所定期間が経過してから（たとえば次のタイマ割込において）２つ目のコマンドを送信する様にしてもよい。なお、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。このように２つのコマンドにより変動パターンを演出制御用マイクロコンピュータに通知する構成においては、１つ目のコマンドを送信した後の２つ目のコマンドにおいて、入賞時演出処理による表示結果の判定結果、および、変動パターン種別のような先読み判定情報を送信し、その２つ目のコマンドを受信したことに基づいて、先読み予告の演出を実行するようにしてもよい。ここで擬似連とは、本来は１つの保留記憶に対応する１回の変動であるものの複数の保留記憶に対応する複数回の変動が連続して行なわれているように見せる演出表示である擬似連続変動を示す略語である。また、滑りとは、変動表示において図柄の停止直前に図柄を停止予測位置から滑らせる演出表示をいう。
【０２７３】
（２９）  本実施の形態として、入賞の発生に応じて遊技媒体を遊技者の手元に払い出す遊技機を説明したが、遊技媒体が封入され、入賞の発生に応じて遊技媒体を遊技者の手元に払い出すことなく遊技点（得点）を加算する封入式の遊技機を採用してもよい。封入式の遊技機には、遊技媒体の一例となる複数の玉を遊技機内で循環させる循環経路が形成されているとともに、遊技点を記憶する記憶部が設けられており、玉貸操作に応じて遊技点が記憶部に加算され、玉の発射操作に応じて遊技点が記憶部から減算され、入賞の発生に応じて遊技点が記憶部に加算されるものである。
【０２７４】
（３０）  前述した実施の形態では、たとえば「１」〜「９」の複数種類の特別図柄や演出図柄を変動表示し表示結果を導出表示する場合を示したが、変動表示は、そのような態様にかぎられない。たとえば、変動表示される図柄と導出表示される図柄とが必ずしも同じである必要なく、変動表示された図柄とは異なる図柄が導出表示されるものであってもよい。また、必ずしも複数種類の図柄を変動表示する必要はなく、１種類の図柄のみを用いて変動表示を実行するものであってもよい。この場合、たとえば、その１種類の図柄表示を交互に点灯および点滅を繰り返すことによって、変動表示を実行するものであってもよい。そして、この場合であっても、その変動表示に用いられる１種類の図柄が最後に導出表示されるものであってもよいし、その１種類の図柄とは異なる図柄が最後に導出表示されるものであってもよい。
【０２７５】
（３１）  前述した実施の形態では、「割合（比率、確率）」として、０％を越える所定の値を具体例に挙げて説明した。しかしながら、「割合（比率、確率）」としては、０％であってもよい。たとえば、所定の遊技期間における所定の遊技状態１の発生割合と他の遊技状態２との発生割合とを比較して、「一方の発生割合が他方の発生割合よりも高い」とした場合には、一方の遊技状態の発生割合が０％の場合も含んでいる。
【０２７６】
（３２）  前述した実施の形態では、変動表示の表示結果を確変大当りとすることが決定されたときの変動表示結果が導出表示された後、大当り遊技状態の終了後に、無条件で確変状態に制御される確変状態制御例を示した。しかし、これに限らず、特別可変入賞球装置２０における大入賞口内に設けられた特定領域を遊技球が通過したことが検出手段により検出されたときに、確変状態に制御される、確変判定装置タイプの確変状態制御が実行されるようにしてもよい。
【０２７７】
本発明は、以上に説明したものに限られるものではない。また、その具体的な構成は、上述の実施形態や後述の他の形態例に加えて、本発明の要旨を逸脱しない範囲における変更や追加があっても本発明に含まれる。
【０２７８】
また、上述した実施の形態及び各変形例に示した構成、後述の形態例及び各変形例に示した構成のうち、全部又は一部の構成を任意に組み合わせることとしてもよい。
【０２７９】
なお、今回開示された上述の実施形態及び後述の形態はすべての点で例示であって制限的なものではないと考えられるべきである。本発明の範囲は上述の説明及び後述の説明ではなく特許請求の範囲によって示され、特許請求の範囲と均等な意味および範囲内でのすべての変更が含まれることが意図される。
【０２８０】
本発明の遊技機としては、他にも、遊技者にとって有利な有利状態（大当り遊技状態、確変状態、時短状態、高ベース状態等）に制御可能な遊技機（パチンコ遊技機１）であって、遊技媒体（遊技球）が流下可能な第１経路（遊技領域７の左側の第１経路等）と、前記第１経路とは遊技媒体の流下方向が異なる第２経路（遊技領域７の右側の第２経路等）と、前記第２経路を流下した遊技媒体を検出可能な検出手段（ゲートスイッチ３２ａ、一般入賞スイッチ３３ａ等）と、前記有利状態よりも有利度が低い通常状態において、前記検出手段の検出結果に基づいて、遊技者に前記第１経路へ遊技媒体を流下させることを報知する特定報知（図９（Ｂ）の左打ち報知等）を実行可能な特定報知手段（演出制御用マイクロコンピュータ１００、図１１のＳ５０１、図１２のＳ９０７〜Ｓ９０９等）とを備え、前記有利状態では、前記第２経路を遊技媒体が流下する方が前記第１経路を遊技媒体が流下するよりも遊技者にとって有利であり（大当り遊技状態では右打ちで特別可変入賞球装置２０への入賞が可能、確変状態、時短状態、および、高ベース状態では、右打ちで次回の大当りを、持ち球をあまり減らすことなく早期に発生可能等）、前記検出手段は、第１位置で遊技媒体を検出する第１検出手段（ゲートスイッチ３２ａ）と、前記第１位置よりも遊技媒体の流下頻度が高い第２位置で遊技媒体を検出する第２検出手段（一般入賞スイッチ３３ａ）とを含み、前記特定報知手段は、前記第１検出手段により遊技媒体が検出されたときと、前記第２検出手段により遊技媒体が検出されたときとで、前記特定報知をするまでの条件が異なり（右打ち検出ポイントは、図１２のＳ９０２，Ｓ９０４でゲートスイッチ３２ａによる遊技球の検出が１ポイント加算、Ｓ９０４，Ｓ９０５で一般入賞スイッチ３３ａによる遊技球の検出が２ポイント加算等）、さらに、遊技者が接触可能な位置（例えば、パチンコ遊技機９０１の下方位置）に、動作可能に設けられた可動体（例えば、操作レバー９０３１を有する操作モジュール９０Ｍ）と、少なくとも前記可動体に関する異常報知を実行可能な異常報知手段（例えば、演出制御用ＣＰＵ９０１２０が、図３２に示すサブ側エラー処理を行う部分）と、を備え、前記可動体が第１状態（例えば、操作レバー９０３１を変位させるレバー用モータ９０３６が動作しておらず、操作可能位置に位置している状態）であるときに該可動体の動作が妨げられたときと、前記可動体が前記第１状態とは異なる第２状態（例えば、操作レバー９０３１を変位させるレバー用モータ９０３６が動作しており、操作可能位置から格納位置に変位中である状態）であるときに該可動体の動作が妨げられたときとで、前記異常報知手段による異常報知の態様が異なる（例えば、図３４に示すように、遊技者によるレバー操作が継続していることによる操作レバーエラーのときには、演出表示装置９０５にエラー表示を表示するがエラー音を出力しない態様にてエラーを報知し、異物が挟まったこと等により操作レバー９０３１の変位が不能となった過負荷エラーのときには、演出表示装置５にエラー表示を表示するとともにエラー音を出力する態様にてエラーを報知する部分）遊技機が挙げられる。
【０２８１】
このような構成によれば、遊技媒体の流下の検出に基づく好適な報知を行なうことができる。また、可動体の状況に応じた異常報知を行うことができる。
【０２８２】
また、上記遊技機において、特定報知と異常報知とを同じ演出装置（例えば、演出表示装置９０５）を用いて行うようにしてもよい。この場合に、それぞれの報知のタイミングが重複したときには、いずれか一方の報知を優先して行うようにしてもよい。例えば、特定報知の表示よりも、異常報知の表示が前側となるように表示してもよい。このような構成によれば、好適に異常報知を行うことができる。
【０２８３】
さらに、遊技媒体の流下の検出に基づく好適な報知を行なうことができ、また、可動体の状況に応じた異常報知を行うことができる遊技機の形態の一例として、遊技が可能な遊技機（例えば、パチンコ遊技機９０１）であって、遊技者が接触可能な位置（例えば、パチンコ遊技機９０１の下方位置）に、動作可能に設けられた可動体（例えば、操作レバー９０３１を有する操作モジュール９０Ｍ）と、少なくとも前記可動体に関する異常報知を実行可能な異常報知手段（例えば、演出制御用ＣＰＵ９０１２０が、図３２に示すサブ側エラー処理を行う部分）と、を備え、前記可動体が第１状態（例えば、操作レバー９０３１を変位させるレバー用モータ９０３６が動作しておらず、操作可能位置に位置している状態）であるときに該可動体の動作が妨げられたときと、前記可動体が前記第１状態とは異なる第２状態（例えば、操作レバー９０３１を変位させるレバー用モータ９０３６が動作しており、操作可能位置から格納位置に変位中である状態）であるときに該可動体の動作が妨げられたときとで、前記異常報知手段による異常報知の態様が異なる（例えば、図３４に示すように、遊技者によるレバー操作が継続していることによる操作レバーエラーのときには、演出表示装置９０５にエラー表示を表示するがエラー音を出力しない態様にてエラーを報知し、異物が挟まったこと等により操作レバー９０３１の変位が不能となった過負荷エラーのときには、演出表示装置５にエラー表示を表示するとともにエラー音を出力する態様にてエラーを報知する部分）遊技機が挙げられる。以下に、この遊技機の形態例の一例を他の形態例として説明する。
【０２８４】
（他の形態例）
以下、他の形態例を、図面を参照して説明する。まず、遊技機の一例であるパチンコ遊技機９０１の全体の構成について説明する。尚、以下の説明にて、図１６の手前側をパチンコ遊技機９０１の前方（前面、正面）側、奥側を後方（背面）側として説明する。尚、この実施例でパチンコ遊技機９０１の前面とは、遊技者側からパチンコ遊技機９０１を見たときに該遊技者と対向する対向面である。尚、フローチャートの各ステップの説明にて、例えば「ステップＳ９０１」と記載する箇所を「Ｓ９０１」と略記する場合がある。また、この実施例で『実行』と『実施』とは同義である。
【０２８５】
図１６は、この実施例のパチンコ遊技機９０１の正面図であり、主要部材の配置レイアウトを示す。パチンコ遊技機９０１（以下、遊技機と略記する場合がある）は、大別して、遊技盤面を構成する遊技盤９０２（ゲージ盤）と、遊技盤９０２を支持固定する遊技機用枠９０３（台枠）とから構成されている。遊技盤９０２には、ガイドレールによって囲まれた、ほぼ円形状の遊技領域が形成されている。遊技領域には、遊技球が打球発射装置から発射されて打ち込まれる。
【０２８６】
遊技盤９０２の所定位置（図１６に示す例では、遊技領域の右側方）には、第１特別図柄表示器９０４Ａと、第２特別図柄表示器９０４Ｂとが設けられている。第１特別図柄表示器９０４Ａと第２特別図柄表示器９０４Ｂはそれぞれ、例えば７セグメントやドットマトリクスのＬＥＤ（発光ダイオード）等から構成され、変動表示ゲームの一例となる特図ゲームにて、各々を識別可能な複数種類の識別情報（特別識別情報）である特別図柄（「特図」ともいう）が、変動可能に表示（変動表示または可変表示ともいう）される。例えば、第１特別図柄表示器９０４Ａと第２特別図柄表示器９０４Ｂはそれぞれ、「０」〜「９」を示す数字や「−」を示す記号等から構成される複数種類の特別図柄を変動表示する。尚、第１特別図柄表示器９０４Ａや第２特別図柄表示器９０４Ｂにて表示される特別図柄は、「０」〜「９」を示す数字や「−」を示す記号等から構成されるものに限定されず、例えば７セグメントのＬＥＤで点灯させるものと消灯させるものとの組合せを異ならせた複数種類の点灯パターンが、複数種類の特別図柄として予め設定されていればよい。以下では、第１特別図柄表示器９０４Ａにて変動表示される特別図柄を「第１特図」ともいい、第２特別図柄表示器９０４Ｂにて変動表示される特別図柄を「第２特図」ともいう。
【０２８７】
第１特別図柄表示器９０４Ａと第２特別図柄表示器９０４Ｂはともに、例えば方形状に形成されている。尚、第１特図の種類と第２特図の種類は同じ（例えば、ともに「０」〜「９」を示す数字、及び、「−」を示す記号）であってもよいし、種類が異なっていてもよい。また、第１特別図柄表示器９０４Ａと第２特別図柄表示器９０４Ｂはそれぞれ、例えば「００」〜「９９」を示す数字（あるいは２桁の記号）を変動表示するように構成されていてもよいし、これら「００」〜「９９」を示す各セグメントが、「００」〜「９９」を視認不能にランダムに配置された表示器により変動表示するように構成されていてもよい。
【０２８８】
遊技盤９０２の遊技領域の中央付近には、演出表示装置９０５が設けられている。演出表示装置９０５は、例えばＬＣＤ（液晶表示装置）等から構成され、各種の演出画像を表示する表示領域を形成している。演出表示装置９０５の表示領域では、第１特別図柄表示器９０４Ａによる第１特図の変動表示や第２特別図柄表示器９０４Ｂによる第２特図の変動表示のそれぞれに対応して、例えば３つといった複数の変動表示部となる演出図柄表示エリアにて、各々を識別可能な複数種類の識別情報（装飾識別情報）である演出図柄（飾り図柄ともいう）が変動表示される。この演出図柄の変動表示も、変動表示ゲームに含まれる。
【０２８９】
一例として、演出表示装置９０５の表示領域には、「左」、「中」、「右」の演出図柄表示エリア９０５Ｌ，９０５Ｃ，９０５Ｒが配置されている。そして、第１特別図柄表示器９０４Ａでの第１特図の変動と第２特別図柄表示器９０４Ｂでの第２特図の変動のうち、いずれかが開始されることに対応して、「左」、「中」、「右」の各演出図柄表示エリア９０５Ｌ，９０５Ｃ，９０５Ｒにて演出図柄の変動（例えば上下方向のスクロール表示）が開始される。その後、演出表示装置９０５の「左」、「中」、「右」の各演出図柄表示エリア９０５Ｌ，９０５Ｃ，９０５Ｒにて、確定演出図柄（最終停止図柄）が停止表示される。
【０２９０】
このように、演出表示装置９０５の表示領域では、第１特別図柄表示器９０４Ａでの第１特図を用いた特図ゲーム、または、第２特別図柄表示器９０４Ｂでの第２特図を用いた特図ゲームと同期して、各々が識別可能な複数種類の演出図柄の変動表示を行い、確定演出図柄を導出表示（あるいは単に「導出」ともいう）する。尚、演出図柄の変動表示中に変動表示が仮停止するようにしても良い。
【０２９１】
「左」、「中」、「右」の各演出図柄表示エリア９０５Ｌ，９０５Ｃ，９０５Ｒにて変動表示される演出図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。演出図柄のそれぞれには、対応する図柄番号が付されている。例えば、「１」〜「８」を示す英数字それぞれに対して、「１」〜「８」の図柄番号が付されている。尚、演出図柄は８種類に限定されず、「大当り」となる組合せや「はずれ」となる組合せなど適当な数の組合せを構成可能であれば、何種類であってもよい（例えば７種類や９種類など）。
【０２９２】
演出図柄の変動表示が開始された後、確定演出図柄が導出表示されるまでには、「左」、「中」、「右」の各演出図柄表示エリア９０５Ｌ，９０５Ｃ，９０５Ｒ、又は、演出図柄表示エリア９０５Ｌ，９０５Ｃ，９０５Ｒのうち少なくともいずれか１つ（例えば「左」の演出図柄表示エリア９０５Ｌなど）にて、例えば図柄番号が小さいものから大きいものへと順次に上方から下方へと流れるようなスクロール表示が行われ、図柄番号が最大（例えば「８」）である演出図柄が表示されると、続いて図柄番号が最小（例えば「１」）である演出図柄が表示される。
【０２９３】
演出表示装置９０５の表示領域の下部の左右２箇所には、第１保留記憶表示エリア９０５Ｄ、第２保留記憶表示エリア９０５Ｕが設定されている。第１保留記憶表示エリア９０５Ｄ、第２保留記憶表示エリア９０５Ｕでは、特図ゲームに対応した変動表示の保留記憶数（特図保留記憶数）を特定可能に表示する保留記憶表示が行われる。
【０２９４】
ここで、特図ゲームに対応した変動表示の保留は、普通入賞球装置９０６Ａが形成する第１始動入賞口や、普通可変入賞球装置９０６Ｂが形成する第２始動入賞口を、遊技球が通過（進入）することによる始動入賞に基づいて発生する。即ち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機９０１が大当り遊技状態に制御されていることなどにより、変動表示ゲームの開始を許容する開始条件が成立していないときに、成立した始動条件に対応する変動表示の保留が行われる。この実施例では、第１始動入賞口を遊技球が通過（進入）することによる始動入賞に基づいて発生した保留記憶表示を丸型の白色表示とし、第２始動入賞口を遊技球が通過（進入）することによる始動入賞に基づいて発生した保留記憶表示を丸型の青色表示とする。
【０２９５】
尚、以下の説明では、第１保留記憶表示エリア９０５Ｄ、第２保留記憶表示エリア９０５Ｕでの表示を保留表示と総称することがある。
【０２９６】
図１６に示す例では、保留記憶表示エリアとともに、第１特別図柄表示器９０４Ａ及び第２特別図柄表示器９０４Ｂの上部と下部に、特図保留記憶数を特定可能に表示するための第１保留表示器９０２５Ａと第２保留表示器９０２５Ｂとが設けられている。第１保留表示器９０２５Ａは、第１特図保留記憶数を特定可能に表示する。第２保留表示器９０２５Ｂは、第２特図保留記憶数を特定可能に表示する。第１特図保留記憶数と第２特図保留記憶数とを加算した変動表示の保留記憶数は、特に、合計保留記憶数ともいう。
【０２９７】
演出表示装置９０５の下方には、普通入賞球装置９０６Ａと、普通可変入賞球装置９０６Ｂとが設けられている。普通入賞球装置９０６Ａは、例えば所定の玉受部材によって常に一定の開放状態に保たれる第１始動入賞口を形成する。普通可変入賞球装置９０６Ｂは、図１７に示す普通電動役物用となるソレノイド９０８１によって、垂直位置となる通常開放状態と傾動位置となる拡大開放状態とに変化する一対の可動翼片を有する電動チューリップ型役物（普通電動役物）を備え、第２始動入賞口を形成する。
【０２９８】
一例として、普通可変入賞球装置９０６Ｂでは、普通電動役物用のソレノイド９０８１がオフ状態であるときに可動翼片が垂直位置となることにより、遊技球が第２始動入賞口を通過（進入）しがたい通常開放状態となる。その一方で、普通可変入賞球装置９０６Ｂでは、普通電動役物用のソレノイド９０８１がオン状態であるときに可動翼片が傾動位置となる傾動制御により、遊技球が第２始動入賞口を通過（進入）しやすい拡大開放状態となる。尚、普通可変入賞球装置９０６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置９０６Ｂは、通常開放状態にて、例えば第２始動入賞口を閉鎖することなどにより、第２始動入賞口には遊技球が進入しないように構成してもよい。このように、第２始動入賞口は、遊技球が通過（進入）しやすい拡大開放状態と、遊技球が通過（進入）しにくいまたは通過（進入）できない通常開放状態とに変化する。
【０２９９】
普通入賞球装置９０６Ａに形成された第１始動入賞口を通過（進入）した遊技球は、例えば図１７に示す第１始動口スイッチ９０２２Ａによって検出される。普通可変入賞球装置９０６Ｂに形成された第２始動入賞口を通過（進入）した遊技球は、例えば図１７に示す第２始動口スイッチ９０２２Ｂによって検出される。第１始動口スイッチ９０２２Ａによって遊技球が検出されたことに基づき、所定個数（例えば３個）の遊技球が賞球として払い出され、第１特図保留記憶数が所定の上限値（例えば「４」）未満であれば、第１始動条件が成立する。第２始動口スイッチ９０２２Ｂによって遊技球が検出されたことに基づき、所定個数（例えば３個）の遊技球が賞球として払い出され、第２特図保留記憶数が所定の上限値（例えば「４」）未満であれば、第２始動条件が成立する。尚、第１始動口スイッチ９０２２Ａによって遊技球が検出されたことに基づいて払い出される賞球の個数と、第２始動口スイッチ９０２２Ｂによって遊技球が検出されたことに基づいて払い出される賞球の個数は、互いに同一の個数であってもよいし、異なる個数であってもよい。
【０３００】
普通入賞球装置９０６Ａと普通可変入賞球装置９０６Ｂの下方位置には、特別可変入賞球装置９０７が設けられている。特別可変入賞球装置９０７は、図１７に示す大入賞口扉用となるソレノイド９０８２によって開閉駆動される大入賞口扉を備え、その大入賞口扉によって開放状態と閉鎖状態とに変化する所定領域としての大入賞口を形成する。
【０３０１】
一例として、特別可変入賞球装置９０７では、大入賞口扉用のソレノイド９０８２がオフ状態であるときに大入賞口扉が大入賞口を閉鎖状態として、遊技球が大入賞口を通過（進入）できなくする。その一方で、特別可変入賞球装置９０７では、大入賞口扉用のソレノイド９０８２がオン状態であるときに大入賞口扉が大入賞口を開放状態として、遊技球が大入賞口を通過（進入）し易くする。このように、大入賞口は、遊技球が通過（進入）し易く遊技者にとって有利な開放状態と、遊技球が通過（進入）できず遊技者にとって不利な閉鎖状態とに変化する。尚、遊技球が大入賞口を通過（進入）できない閉鎖状態に代えて、あるいは閉鎖状態の他に、遊技球が大入賞口を通過（進入）しにくい一部開放状態を設けてもよい。
【０３０２】
大入賞口を通過（進入）した遊技球は、例えば図１７に示すカウントスイッチ９０２３によって検出される。カウントスイッチ９０２３によって遊技球が検出されたことに基づき、所定個数（例えば１５個）の遊技球が賞球として払い出される。こうして、開放状態となった特別可変入賞球装置９０７の大入賞口を遊技球が通過（進入）したときには、他の入賞口（例えば第１始動入賞口や第２始動入賞口）を遊技球が通過（進入）したときよりも多くの賞球が払い出される。従って、特別可変入賞球装置９０７の大入賞口が開放状態となれば、その大入賞口に遊技球が進入可能となり、遊技者にとって有利な第１状態となる。その一方で、特別可変入賞球装置９０７の大入賞口が閉鎖状態となれば、大入賞口に遊技球を通過（進入）させて賞球を得ることが不可能または困難になり、遊技者にとって不利な第２状態となる。
【０３０３】
遊技盤９０２の所定位置（図１６に示す例では、遊技領域の下方）には、普通図柄表示器９０２０が設けられている。一例として、普通図柄表示器９０２０は、第１特別図柄表示器９０４Ａや第２特別図柄表示器９０４Ｂと同様に７セグメントやドットマトリクスのＬＥＤ等から構成され、特別図柄とは異なる複数種類の識別情報である普通図柄（「普図」あるいは「普通図」ともいう）を変動可能に表示（変動表示）する。このような普通図柄の変動表示は、普図ゲーム（「普通図ゲーム」ともいう）と称される。
【０３０４】
普通図柄表示器９０２０の側方には、普図保留表示器９０２５Ｃが設けられている。普図保留表示器９０２５Ｃは、例えば４個のＬＥＤを含んで構成され、通過ゲート９０４１を通過した有効通過球数としての普図保留記憶数を表示する。
【０３０５】
遊技盤９０２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【０３０６】
遊技機用枠９０３の左右上部位置には、効果音等を再生出力するためのスピーカ９０８Ｌ，９０８Ｒが設けられており、更に遊技領域周辺部には、演出用ＬＥＤ９０９が設けられている。
【０３０７】
遊技機用枠９０３の右下部位置には、遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【０３０８】
遊技領域下方の遊技機用枠９０３の所定位置には、賞球として払い出された遊技球や貸し出しによって払い出された遊技球を、打球発射装置へと供給可能に保持（貯留）する上皿（打球供給皿）が設けられている。遊技機用枠９０３の下部には、上皿から溢れた余剰球などを、パチンコ遊技機９０１の外部へと排出可能に保持（貯留）する下皿（図示略）が設けられている。
【０３０９】
また、上皿の下方位置には、遊技機の前方に膨出する膨出部９０３０が形成されており、該膨出部９０３０の上面には、遊技者が操作可能な操作レバー９０３１が上方側に突出可能に設けられている。操作レバー９０３１は、その上端面に、遊技者が押圧操作可能なプッシュボタン９０３１Ａが設けられているとともに、膨出部９０３０の上面から突出した状態において、プッシュボタン９０３１Ａが設けられている操作レバー９０３１の上端の略五角形状の把持部を遊技者側に引く傾倒操作が可能とされている。
【０３１０】
ここで、図１８を用いて、この実施例の操作レバー９０３１が突出する機構について簡潔に説明する。膨出部９０３０の内部には、図１８に示すように、操作レバー９０３１を有する操作モジュール９０Ｍが格納されている。尚、膨出部９０３０の上部には、プッシュボタン９０３１Ａを有する把持部を収納可能な収納凹部９０３０’が形成されており、該収納凹部９０３０’に把持部が収納されている状態においては、プッシュボタン９０３１Ａの操作のみが可能とされ、操作レバー９０３１の傾倒操作は不能とされている。
【０３１１】
操作モジュール９０Ｍは、該操作モジュール９０Ｍを固定するための固定ベース部９０２９と、該固定ベース部９０２９に対し、その下端部が前後方向に揺動自在に連結された筒状の昇降ユニット９０３３と、昇降ユニット９０３３の上端面の中心位置から上方に向けて突出するように設けられ、プッシュボタン９０３１Ａを有する操作レバー９０３１とから主に構成されている。
【０３１２】
尚、操作レバー９０３１は、昇降ユニット９０３３内部に挿通された昇降アーム９０３２を有しており、該昇降アーム９０３２が昇降ユニット９０３３によって上昇・下降されることで、収納凹部９０３０’に把持部が格納された状態と、収納凹部９０３０’から把持部が突出した状態とに変位可能（出没可能）とされている。
【０３１３】
昇降ユニット９０３３の下端部には、後述する演出制御基板９０１２に接続されて、該演出制御基板９０１２によって動作が制御されるレバー用モータ９０３６が内蔵されており、該レバー用モータ９０３６によって回転される回転軸９０３６’が昇降アーム９０３２の下端から昇降アーム９０３２の内部に挿通されている。尚、この実施例では、レバー用モータ９０３６としてステッピングモータが適用されている。
【０３１４】
この実施例の回転軸９０３６’には螺旋状の溝部が形成されているとともに、昇降アーム９０３２には、該溝部と螺号する溝係合部が形成されており、回転軸９０３６’を正回転させることで、昇降アーム９０３２が上昇し、回転軸９０３６’を逆回転させることで、昇降アーム９０３２が下降するようになっている。
【０３１５】
また、昇降ユニット９０３３の後方側には、図１８に示すように、昇降ユニット９０３３の側面と膨出部９０３０の内部側面（背面）との間に略水平状にスプリング９０３９が架設されており、昇降ユニット９０３３並びに操作レバー９０３１が、非操作状態の所定位置（図１８（Ａ）に示す位置）に常に位置するように付勢されており、該スプリング９０３９の付勢に抗して傾倒操作された操作レバー９０３１の操作が終了された際（遊技者が手を離した場合）には、操作レバー９０３１がスプリング９０３９の付勢によって非操作状態の所定位置に戻るようになっている。
【０３１６】
尚、収納凹部９０３０’には、昇降アーム９０３２が挿通される挿通孔部９０３４と、該挿通孔部９０３４を塞ぐように設けられた弾性部材から成るブーツが設けられており、ブーツによって挿通孔部９０３４が塞がれていることによって、遊技球やゴミ等が膨出部９０３０の内部に侵入することを防止できるようになっている。
【０３１７】
また、昇降ユニット９０３３内部には、昇降アーム９０３２が最も下降した位置である原点位置の近傍に、昇降アーム９０３２が原点位置に位置しているか否かを検出するためのレバー原点検出センサ９０３８が設けられている。また、固定ベース部９０２９の内部には、操作レバー９０３１を前方に傾倒するレバー操作の有無を検出するためのレバー操作検出センサ９０３５Ａが設けられており、操作レバー９０３１の内部には、プッシュボタン９０３１Ａの操作を検出するためのプッシュセンサ９０３５Ｂが設けられており、これらの各センサは、後述する演出制御基板９０１２に接続されており、該演出制御基板９０１２に対して検出信号を出力可能とされている。
【０３１８】
パチンコ遊技機９０１には、例えば、図１７に示すような主基板９０１１、演出制御基板９０１２、音声制御基板９０１３、ランプ制御基板９０１４といった、各種の制御基板が搭載されている。また、パチンコ遊技機９０１には、主基板９０１１と演出制御基板９０１２との間で伝送される各種の制御信号を中継するための中継基板９０１５なども搭載されている。その他にも、遊技盤９０２などの背面には、例えば払出制御基板、情報端子基板、発射制御基板、インタフェース基板、電源基板などといった、各種の基板が配置されている。
【０３１９】
主基板９０１１は、メイン側の制御基板であり、パチンコ遊技機９０１での遊技の進行を制御するための各種回路が搭載されている。主基板９０１１は、主として、特図ゲームにて用いる乱数の設定機能、所定位置に配設されたスイッチ等からの出力信号を入力可能とする機能、演出制御基板９０１２などからなるサブ側の制御基板に宛てて、指令情報の一例となる制御コマンドを制御信号として出力して送信する機能、外部に各種情報を出力する機能などを備えている。また、主基板９０１１は、第１特別図柄表示器９０４Ａと第２特別図柄表示器９０４Ｂを構成する各ＬＥＤ（例えばセグメントＬＥＤ）などの点灯／消灯制御を行って第１特図や第２特図の変動表示を制御することや、普通図柄表示器９０２０の点灯／消灯／発色制御などを行って普通図柄表示器９０２０による普通図柄の変動表示を制御することといった、所定の表示図柄の変動表示を制御する機能も備えている。
【０３２０】
主基板９０１１には、例えば遊技制御用マイクロコンピュータ９０１００や、遊技球検出用の各種スイッチからの検出信号を取り込んで遊技制御用マイクロコンピュータ９０１００に伝送するスイッチ回路９０１１０、遊技制御用マイクロコンピュータ９０１００からのソレノイド駆動信号をソレノイド９０８１，９０８２に伝送するソレノイド回路９０１１１などが搭載されている。
【０３２１】
演出制御基板９０１２は、主基板９０１１とは独立したサブ側の制御基板であり、中継基板９０１５を介して主基板９０１１から伝送された制御信号を受信して、演出表示装置９０５、スピーカ９０８Ｌ，９０８Ｒ及び演出用ＬＥＤ９０９といった演出用の電気部品による演出動作を制御するための各種回路が搭載されている。即ち、演出制御基板９０１２は、演出表示装置９０５の表示動作や、第１可動役物９０３００、第２可動役物９０４００、第３可動役物９０５００、操作モジュール９０Ｍの動作や、スピーカ９０８Ｌ，９０８Ｒからの音声出力動作の全部または一部、演出用ＬＥＤ９０９などの点灯／消灯動作の全部または一部といった、演出用の電気部品に所定の演出動作を実行させるための制御内容を決定する機能を備えている。尚、中継基板９０１５を有しない構成としても良い。
【０３２２】
音声制御基板９０１３は、演出制御基板９０１２とは別個に設けられた音声出力制御用の制御基板であり、演出制御基板９０１２からの指令や制御データ（音番号や音量レベル等）などに基づき、スピーカ９０８Ｌ，９０８Ｒから音声を出力させるための音声信号処理を実行する処理回路などが搭載されている。ランプ制御基板９０１４は、演出制御基板９０１２とは別個に設けられたランプ出力制御用の制御基板であり、演出制御基板９０１２からの指令や制御データなどに基づき、演出用ＬＥＤ９０９などの点灯／消灯駆動を行うランプドライバ回路などが搭載されている。
【０３２３】
図１７に示すように、主基板９０１１には、ゲートスイッチ９０２１、第１始動口スイッチ９０２２Ａ、第２始動口スイッチ９０２２Ｂ、カウントスイッチ９０２３からの検出信号を伝送する配線が接続されている。尚、ゲートスイッチ９０２１、第１始動口スイッチ９０２２Ａ、第２始動口スイッチ９０２２Ｂ、カウントスイッチ９０２３は、例えばセンサと称されるものなどのように、遊技球を検出できる任意の構成を有するものであればよい。また、主基板９０１１には、第１特別図柄表示器９０４Ａ、第２特別図柄表示器９０４Ｂ、普通図柄表示器９０２０、第１保留表示器９０２５Ａ、第２保留表示器９０２５Ｂ、普図保留表示器９０２５Ｃなどの表示制御を行うための指令信号を伝送する配線が接続されている。
【０３２４】
主基板９０１１から演出制御基板９０１２に向けて伝送される制御信号は、中継基板９０１５によって中継される。中継基板９０１５を介して主基板９０１１から演出制御基板９０１２に対して伝送される制御コマンドは、例えば電気信号として送受信される演出制御コマンドである。
【０３２５】
図１９は、この実施例で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。尚、図１９に示されたコマンド形態は一例であって、他のコマンド形態を用いてもよい。ここで、ＸＸＨは不特定の１６進数であることを示し、演出制御コマンドによる指示内容に応じた値であればよい。
【０３２６】
コマンド８００１Ｈは、第１特別図柄表示器９０４Ａでの変動開始を指定する第１変動開始コマンドである。コマンド８００２Ｈは、第２特別図柄表示器９０４Ｂでの変動開始を指定する第２変動開始コマンドである。コマンド８１ＸＸＨは、変動パターン（変動時間）を指定する変動パターン指定コマンドであり、指定する変動パターンなどに応じて、異なるＥＸＴデータが設定される。
【０３２７】
コマンド８ＣＸＸＨは、変動表示結果通知コマンドであり、変動表示結果を指定する演出制御コマンドである。尚、コマンド８Ｃ００Ｈは、「はずれ」となる旨の事前決定結果を示すコマンドである。コマンド８Ｃ０１Ｈは、「大当り」で大当り種別が「確変大当りＡ」となる旨を通知するコマンドである。コマンド８Ｃ０２Ｈは、「大当り」で大当り種別が「確変大当りＢ」となる旨を通知するコマンドである。コマンド８Ｃ０３Ｈは、「大当り」で大当り種別が「非確変大当り」となる旨を通知するコマンドである。
【０３２８】
コマンド８Ｆ００Ｈは、演出図柄の変動停止（確定）を指定する図柄確定コマンドである。コマンド９５ＸＸＨは、その時点の遊技状態を指定する遊技状態指定コマンドである。
【０３２９】
コマンドＡ０ＸＸＨは、大当り遊技状態の開始を指定する大当り開始指定コマンド（「ファンファーレコマンド」ともいう）である。コマンドＡ１ＸＸＨは、大当り遊技状態にて、大入賞口が開放状態となったこと及び大入賞口が開放状態である期間であることを通知する大入賞口開放中通知コマンドである。コマンドＡ２ＸＸＨは、大当り遊技状態にて、大入賞口が開放状態から閉鎖状態となったこと及び大入賞口が閉鎖状態である期間であることを通知する大入賞口開放後通知コマンドである。コマンドＡ３ＸＸＨは、大当り遊技状態の終了を指定する大当り終了指定コマンドである。
【０３３０】
尚、大入賞口開放中通知コマンドや大入賞口開放後通知コマンドでは、例えば通常開放大当り状態や短期開放大当り状態のラウンドの実行回数（例えば「１」〜「１６」または「１」〜「５」）に対応したＥＸＴデータが設定される。
【０３３１】
コマンドＢ１００Ｈは、普通入賞球装置９０６Ａが形成する第１始動入賞口への入賞によって第１始動条件が成立したことを通知する第１始動口入賞指定コマンドである。コマンドＢ２００Ｈは、普通可変入賞球装置９０６Ｂが形成する第２始動入賞口への入賞によって第２始動条件が成立したことを通知する第２始動口入賞指定コマンドである。
【０３３２】
コマンドＣ１ＸＸＨは、第１特図保留記憶数を通知する第１保留記憶数通知コマンドである。コマンドＣ２ＸＸＨは、第２特図保留記憶数を通知する第２保留記憶数通知コマンドである。
【０３３３】
主基板９０１１に搭載された遊技制御用マイクロコンピュータ９０１００は、例えば１チップのマイクロコンピュータであり、遊技制御用のプログラムや固定データ等を記憶するＲＯＭ（Read Only Memory）９０１０１と、遊技制御用のワークエリアを提供するＲＡＭ（Random Access Memory）９０１０２と、遊技制御用のプログラムを実行して制御動作を行うＣＰＵ（Central Processing Unit）９０１０３と、ＣＰＵ９０１０３とは独立して乱数値を示す数値データの更新を行う乱数回路９０１０４と、Ｉ／Ｏ（Input/output port）９０１０５とを備えて構成される。
【０３３４】
一例として、遊技制御用マイクロコンピュータ９０１００では、ＣＰＵ９０１０３がＲＯＭ９０１０１から読み出したプログラムを実行することにより、遊技の進行を制御するための各種処理が実行される。
【０３３５】
主基板９０１１では、特図表示結果判定用の乱数値ＭＲ１´、大当り種別判定用の乱数値ＭＲ２´、変動パターン判定用の乱数値ＭＲ３´、普図表示結果判定用の乱数値ＭＲ４´等の各種乱数値の数値データが、カウント可能に制御される。尚、乱数回路９０１０４は、これらの乱数値ＭＲ１´〜ＭＲ４´の一部または全部を示す数値データをカウントできるものであればよく、乱数回路９０１０４にてカウントしない乱数値については、ＣＰＵ９０１０３が、ソフトウェアによって各種の数値データを更新することでカウントするようにすればよい。
【０３３６】
図２０は、この実施例の変動パターンを示している。この実施例では、図２０に示すような複数の変動パターンが予め用意されている。具体的に、この実施例では、変動表示結果が「はずれ」となる場合のうち、演出図柄の変動表示態様が「非リーチ」である場合と「リーチ」である場合のそれぞれに対応して、また、変動表示結果が「大当り」となる場合などに対応して、複数の変動パターンが予め用意されている。
【０３３７】
変動表示結果が「大当り」である場合に対応した変動パターンである大当り変動パターンや、演出図柄の変動表示態様が「リーチ」である場合のリーチ変動パターンには、ノーマルリーチのリーチ演出が実行されるノーマルリーチ変動パターンと、スーパーリーチα、スーパーリーチβといったスーパーリーチのリーチ演出が実行されるスーパーリーチ変動パターンとがある。尚、この実施例では、ノーマルリーチ変動パターンを１種類のみしか設けていないが、本発明はこれに限定されるものではなく、スーパーリーチと同様に、ノーマルリーチα、ノーマルリーチβ、…のように、複数のノーマルリーチ変動パターンを設けても良い。また、スーパーリーチ変動パターンでも、スーパーリーチαやスーパーリーチβに加えてスーパーリーチγ…といった３以上のスーパーリーチ変動パターンを設けても良い。
【０３３８】
図２０に示すように、この実施例におけるノーマルリーチのリーチ演出が実行されるノーマルリーチ変動パターンの特図変動時間については、スーパーリーチ変動パターンであるスーパーリーチα、スーパーリーチβよりも短く設定されている。また、この実施例におけるスーパーリーチα、スーパーリーチβといったスーパーリーチのリーチ演出が実行されるスーパーリーチ変動パターンの特図変動時間については、スーパーリーチβのスーパーリーチ演出が実行される変動パターンの方が、スーパーリーチαのスーパーリーチ演出が実行される変動パターンよりも特図変動時間が長く設定されている。
【０３３９】
尚、この実施例では、前述したようにスーパーリーチβ、スーパーリーチα、ノーマルリーチの順に変動表示結果が「大当り」となる大当り期待度（大当り信頼度）が高くなるように設定されているため、ノーマルリーチ変動パターン及びスーパーリーチ変動パターンにおいては変動時間が長いほど大当り期待度（大当り信頼度）が高くなっている。また、この実施例では、大当りとなる場合に、必ずリーチ状態となってスーパーリーチβ、スーパーリーチα、ノーマルリーチのいずれかが実行されるようになっているが、本発明はこれに限定されるものではなく、非リーチの変動パターンでも大当りとなる場合があるようにしてもよい。
【０３４０】
図１７に示す遊技制御用マイクロコンピュータ９０１００が備えるＲＯＭ９０１０１には、ゲーム制御用のプログラムの他にも、遊技の進行を制御するために用いられる各種の選択用データ、テーブルデータなどが格納されている。例えば、ＲＯＭ９０１０１には、ＣＰＵ９０１０３が各種の判定や決定、設定を行うために予め用意された複数の判定テーブルや設定テーブルなどを構成するデータが記憶されている。また、ＲＯＭ９０１０１には、ＣＰＵ９０１０３が主基板９０１１から各種の制御コマンドとなる制御信号を送信するために用いられる複数のコマンドテーブルを構成するテーブルデータや、図２０に示すような変動パターンを複数種類格納する変動パターンテーブルを構成するテーブルデータなどが、記憶されている。
【０３４１】
図２１は、ＲＯＭ９０１０１に記憶される表示結果判定テーブルの構成例を示している。この実施例では、表示結果判定テーブルとして、第１特図と第２特図とで共通の表示結果判定テーブルを用いているが、本発明はこれに限定されるものではなく、第１特図と第２特図とで個別の表示結果判定テーブルを用いるようにしても良い。
【０３４２】
表示結果判定テーブルは、第１特別図柄表示器９０４Ａや第２特別図柄表示器９０４Ｂの特図ゲームにおいて確定特別図柄が導出表示される前に、その変動表示結果を「大当り」として大当り遊技状態に制御するか否かを、乱数値ＭＲ１´に基づいて決定するために参照されるテーブルである。
【０３４３】
この実施例の表示結果判定テーブルでは、遊技状態が通常状態または時短状態（低確状態）であるか、確変状態（高確状態）であるかに応じて、乱数値ＭＲ１´と比較される数値（判定値）が、「大当り」や「はずれ」の特図表示結果に割り当てられている。
【０３４４】
表示結果判定テーブルでは、特図表示結果を「大当り」として大当り遊技状態に制御するか否かの決定結果に対して判定用データが割り当てられている。具体的に、この実施例では、遊技状態が確変状態（高確状態）であるときに、通常状態または時短状態（低確状態）であるときよりも多くの判定値が、「大当り」の特図表示結果に割り当てられている。これにより、確変制御が行われる確変状態（高確状態）では、通常状態または時短状態（低確状態）であるときに特図表示結果を「大当り」として大当り遊技状態に制御すると決定される確率（この実施例では約１／３００）に比べて、特図表示結果を「大当り」として大当り遊技状態に制御すると決定される確率が高くなる（この実施例では約１／３０）。即ち、表示結果判定テーブルでは、遊技状態が確変状態（高確状態）であるときに、通常状態や時短状態であるときに比べて大当り遊技状態に制御すると決定される確率が高くなるように、判定用データが大当り遊技状態に制御するか否かの決定結果に割り当てられている。
【０３４５】
尚、ＲＯＭ９０１０１には、大当り遊技状態に制御すると決定されたときに、乱数値ＭＲ２´に基づき、大当り種別を複数種類のいずれかに決定するために参照される大当り種別判定テーブルや、乱数値ＭＲ３´に基づいて変動パターンを、前述した図２０に示す変動パターンのいずれかに決定するための変動パターン判定テーブルも記憶されている。
【０３４６】
図２２（Ａ）に示す設定例では、変動特図が第１特図であるか第２特図であるかに応じて、「確変大当りＡ」と「確変大当りＢ」の大当り種別に対する判定値の割当てが異なっている。つまり、変動特図が第２特図である場合には、ラウンド数の少ない「確変大当りＢ」の大当り種別に割当てがなく、第２特図の変動表示では「確変大当りＢ」が発生しないようにすることで、時短制御に伴う高開放制御により、普通可変入賞球装置９０６Ｂが形成する第２始動入賞口に遊技球が進入しやすい遊技状態中に、得られる賞球が少ない「確変大当りＢ」が頻発して遊技興趣が低下してしまうことを防止できるようになっている。尚、図２２（Ａ）に示す設定例は一例に過ぎず、図２２（Ａ）に示す以外の大当り種別を設けるようにしても良いし、それぞれの大当りの決定割合や決定の有無等は、適宜に設定すれば良い。
【０３４７】
また、ＲＯＭ９０１０１に記憶されている変動パターン判定テーブルとしては、「大当り」とすることが事前決定されたときに使用される大当り用変動パターン判定テーブルと、「はずれ」にすることが事前決定されたときに使用されるはずれ用変動パターン判定テーブルとが予め用意されている。尚、この実施例では、はずれのときよりも大当りとなるときの方がリーチの変動パターンが決定されやすくなり、リーチが発生した場合の方が大当りになる可能性（信頼度や期待度）が高くなるとともに、同じリーチの変動パターンであっても、ノーマルリーチよりもスーパーリーチの方が大当りになる可能性（信頼度や期待度）が高く、同じスーパーリーチであってもスーパーリーチβの変動パターンの方が、確変大当りになる可能性（信頼度や期待度）が高くなるように、大当り用変動パターン判定テーブルとはずれ用変動パターン判定テーブルにおいて、各変動パターンに対応する判定値が設定されている。
【０３４８】
尚、はずれ用変動パターン判定テーブルは、合計保留記憶数や時短状態に対応した複数のテーブルを含んでおり、保留記憶数や時短状態に応じて、合計保留記憶数が２〜４個に対応する短縮の非リーチはずれの変動パターン（ＰＡ１´−２）や、合計保留記憶数が５〜８個に対応する短縮の非リーチはずれの変動パターン（ＰＡ１´−３）や、短縮の非リーチはずれの変動パターン（ＰＡ１´−４）を、合計保留記憶数や遊技状態（時短状態）に応じて決定することで、合計保留記憶数が多くなる程、短い変動パターンが実行され易い、つまり、単位時間当りの変動回数が高まることで、無駄な始動入賞の発生を防ぐことが可能であるとともに、時短制御中（時短状態中）では、時短制御が実行されていないときよりも、短縮の非リーチはずれの変動パターン（ＰＡ１´−４）が多く決定されて単位時間当りの変動回数が高まることで、次の大当りまでの期間を短縮でき、遊技者の連荘感を向上できるようになっている。
【０３４９】
図１７に示す遊技制御用マイクロコンピュータ９０１００が備えるＲＡＭ９０１０２は、その一部または全部が所定の電源基板からのバックアップ電源によってバックアップされているバックアップＲＡＭであればよい。すなわち、パチンコ遊技機９０１に対する電力供給が停止しても、所定期間（バックアップ電源としてのコンデンサが放電してバックアップ電源が電力供給不能になるまで）は、ＲＡＭ９０１０２の一部または全部の内容は保存され、再度の電源投入にて、遊技状態すなわち遊技制御手段の制御状態に応じたデータ（特図プロセスフラグなど）と未払出賞球数を示すデータ等の遊技の進行状態を示すデータを引き継ぐようにすればよい。
【０３５０】
このようなＲＡＭ９０１０２には、遊技の進行などを制御するために用いられる各種のデータを保持する領域として、図示しない遊技制御用データ保持エリアが設けられている。遊技制御用データ保持エリアは、普通入賞球装置９０６Ａが形成する第１始動入賞口を遊技球が通過（進入）して始動入賞（第１始動入賞）が発生したものの未だ開始されていない第１特図を用いた特図ゲームの保留データとして、乱数値ＭＲ１´、乱数値ＭＲ２´、乱数値ＭＲ３´を示す数値データなどを記憶する第１特図保留記憶部と、普通可変入賞球装置９０６Ｂが形成する第２始動入賞口を遊技球が通過（進入）して始動入賞（第２始動入賞）が発生したものの未だ開始されていない第２特図を用いた特図ゲームの保留データとして、乱数値ＭＲ１´、乱数値ＭＲ２´、乱数値ＭＲ３´を示す数値データなどを記憶する第２特図保留記憶部と、普図保留記憶部と、特図プロセスフラグ等の遊技の進行状況などに応じて状態を更新可能な複数種類のフラグが設けられている遊技制御フラグ設定部と、遊技の進行を制御するために用いられる各種のタイマが設けられている遊技制御タイマ設定部と、遊技の進行を制御するために用いられるカウント値を計数するための複数種類のカウンタが設けられている遊技制御カウンタ設定部と、遊技の進行を制御するために用いられるデータを一時的に記憶する各種のバッファが設けられている遊技制御バッファ設定部とを備えている。
【０３５１】
図１７に示すように、演出制御基板９０１２には、プログラムに従って制御動作を行う演出制御用ＣＰＵ９０１２０と、演出制御用のプログラムや固定データ等を記憶するＲＯＭ９０１２１と、演出制御用ＣＰＵ９０１２０のワークエリアを提供するＲＡＭ９０１２２と、演出表示装置９０５での表示動作の制御内容を決定するための処理などを実行する表示制御部９０１２３と、演出制御用ＣＰＵ９０１２０とは独立して乱数値を示す数値データの更新を行う乱数回路９０１２４と、Ｉ／Ｏ９０１２５とが搭載されている。
【０３５２】
一例として、演出制御基板９０１２では、演出制御用ＣＰＵ９０１２０がＲＯＭ９０１２１から読み出した演出制御用のプログラムを実行することにより、演出用の電気部品による演出動作を制御するための各種処理が実行される。例えば、これら演出動作を制御するための処理として、演出制御用ＣＰＵ９０１２０がＩ／Ｏ９０１２５を介して演出制御基板９０１２の外部から各種信号の入力を受け付ける受信処理、演出制御用ＣＰＵ９０１２０がＩ／Ｏ９０１２５を介して演出制御基板９０１２の外部へと各種信号を出力する送信処理なども行われる。
【０３５３】
尚、演出制御基板９０１２の側でも、主基板９０１１と同様に、例えば、各種演出の実行、非実行や、演出の種別等を決定するための各種の乱数値（演出用乱数ともいう）が設定されている。また、ＲＯＭ９０１２１には、演出制御用のプログラムの他にも、第１可動役物９０３００、第２可動役物９０４００、第３可動役物９０５００、操作モジュール９０Ｍの動作を含む演出動作を制御するために用いられる各種のテーブルデータ、例えば、各種演出の実行、非実行や、演出の種別等を決定するための複数の判定テーブルを構成するテーブルデータ、各変動パターンに対応する演出制御パターンを構成するパターンデータなどが記憶されている。
【０３５４】
演出制御パターンのうち、特図変動時演出制御パターンは、各変動パターンに対応して、特別図柄の変動が開始されてから確定特別図柄が導出表示されるまでの期間における、演出図柄の変動表示動作や各可動体（第１可動役物９０３００、第２可動役物９０４００、第３可動役物９０５００、操作モジュール９０Ｍ）を動作させるリーチ演出等の様々な演出動作の制御内容を示すデータなどから構成されている。
【０３５５】
また、ＲＡＭ９０１２２には、演出動作を制御するために用いられる各種データを保持する領域として、例えば図示しない演出制御用データ保持エリアが設けられている。演出制御用データ保持エリアは、演出動作状態や主基板９０１１から送信された演出制御コマンド等に応じて状態を更新可能な複数種類のフラグが設けられている演出制御フラグ設定部と、各種演出動作の進行を制御するために用いられる複数種類のタイマやカウンタが設けられている演出制御タイマ設定部や演出制御カウンタ設定部と、各種演出動作の進行を制御するために用いられるデータを一時的に記憶する各種のバッファが設けられている演出制御バッファ設定部とを備えている。
【０３５６】
尚、この実施例では、演出制御バッファ設定部の所定領域に、第１特図保留記憶の合計保留記憶数の最大値（例えば「４」）に対応した格納領域（バッファ番号「１−１」〜「１−４」に対応した領域）と、第２特図保留記憶の合計保留記憶数の最大値（例えば「４」）に対応した格納領域（バッファ番号「２−１」〜「２−４」に対応した領域）が設けられ、その時点の保留記憶の状況を特定可能な保留記憶バッファを構成するデータが記憶されており、該保留記憶バッファのデータに基づいて、第１保留記憶表示エリア９０５Ｄと第２保留記憶表示エリア９０５Ｕの保留表示が表示される。
【０３５７】
演出制御基板９０１２には、可動体としての第１可動役物９０３００、第２可動役物９０４００、第３可動役物９０５００、操作モジュール９０Ｍが接続されており、該第１可動役物９０３００、第２可動役物９０４００、第３可動役物９０５００、操作モジュール９０Ｍの動作が演出制御基板９０１２（演出制御用ＣＰＵ９０１２０）により制御される。
【０３５８】
具体的には、図１７に示すように、第１可動役物９０３００を駆動するための第１可動役物駆動モータ９０３０３、第１可動役物９０３００が原点位置に位置しているか否かを検出するための第１可動役物原点検出センサ９０３１６（フォトセンサ）、第２可動役物９０４００を駆動するための第２可動役物駆動モータ９０４１１，９０４２１、第２可動役物９０４００が原点位置に位置しているか否かを検出するための第２可動役物原点検出センサ９０４４０Ａ，９０４４０Ｂ（フォトセンサ）、第３可動役物９０５００を駆動するための第３可動役物駆動モータ９０５２０、操作モジュール９０Ｍが有する操作レバー９０３１を動作させるためのレバー用モータ９０３６、操作レバー９０３１が原点位置に位置しているか否かを検出するためのレバー原点検出センサ９０３８（フォトセンサ）が接続されており、第１可動役物駆動モータ９０３０３、第２可動役物駆動モータ９０４１１，９０４２１、第３可動役物駆動モータ９０５２０、レバー用モータ９０３６の動作を制御することで、第１可動役物９０３００、第２可動役物９０４００、第３可動役物９０５００、操作モジュール９０Ｍ（操作レバー９０３１）の動作を、演出制御基板９０１２（演出制御用ＣＰＵ９０１２０）が個別に制御することが可能とされているとともに、第１可動役物９０３００、第２可動役物９０４００、第３可動役物９０５００、操作レバー９０３１が原点位置（初期位置）に位置しているか否かを、演出制御基板９０１２（演出制御用ＣＰＵ９０１２０）が検知できるようになっている。
【０３５９】
また、演出制御用ＣＰＵ９０１２０は、遊技制御用マイクロコンピュータ９０１００から送信された演出制御コマンド（制御情報）に基づいて、演出図柄の変動表示制御や予告演出といった遊技に関連する各種演出を実行可能とされている。演出制御用ＣＰＵ９０１２０が演出図柄の変動表示中において実行する予告演出としては、例えば、大当りの可能性を示唆する大当り予告演出（リーチ演出やスーパーリーチ演出等を含む）、リーチになるか否かを示唆するリーチ予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。そして演出制御用ＣＰＵ９０１２０は、これら予告演出を含む各種演出において、各可動体（第１可動役物９０３００、第２可動役物９０４００、第３可動役物９０５００、操作モジュール９０Ｍ）を原点位置から演出位置や操作可能位置まで動作させる可動体演出を実行可能としている。
【０３６０】
ここで、操作モジュール９０Ｍ以外の可動体である第１可動役物９０３００、第２可動役物９０４００、第３可動役物９０５００それぞれの構造について、簡単に説明する。
【０３６１】
第１可動役物９０３００は、遊技盤９０２と該遊技盤９０２の背面側に設けられる演出表示装置９０５との間における演出表示装置９０５の下方位置に設けられ、所定箇所に固設されたベース部９０３０１と、該ベース部に対し回動可能に設けられた第１可動部９０３０２と、第１可動部９０３０２が横向きに傾倒している第１退避位置（原点位置、初期位置）と、第１退避から離れた位置において第１可動部９０３０２が縦向きに起立している第１演出位置と、の間で往復動作（揺動）させる第１可動役物駆動モータ９０３０３と、を有する。尚、この実施例では、第１可動役物駆動モータ９０３０３としてステッピングモータが適用されている。
【０３６２】
ベース部９０３０１には、回動軸９０３１０を挿通可能な軸受孔が貫通して形成されているとともに、該軸受孔の周辺には、軸受孔を中心とする円弧形状をなすガイド溝が形成されている。ベース部９０３０１の背面における軸受孔の右下方位置には第１可動役物駆動モータ９０３０３が背面に固設されており、ベース部９０３０１を貫通して前側に突出した駆動軸（図示略）の先端には、回転盤が固着されている。
【０３６３】
回転盤の周縁所定箇所には、前後方向を向く軸部材が突設されており、該軸部材には、リンク部材の下端が回動可能に軸支されている。また、回転盤の周縁における軸部材の反対側には被検出部が突設されており、該被検出部が回転盤の下方に設けられた第１可動役物原点検出センサ９０３１６により検出されることで、演出制御用ＣＰＵ９０１２０は第１可動部が傾倒位置（原点位置）に位置していることを特定できるようになっている。つまり、第１可動役物９０３００は後述する非検出時動作制御または検出時動作制御の対象となる動作対象可動体とされている。
【０３６４】
尚、この実施例では、第１可動部９０３０２は、横向きに傾倒している第１退避位置にあるときには演出表示装置９０５の表示画面の下方に退避し（図１６参照）、起立状態となる第１退避位置から離れた第１演出位置において演出表示装置９０５の表示画面の前面側に少なくとも一部が重畳するようになっている。
【０３６５】
第１可動部９０３０２は、ベース部９０３０１に対し回動可能に設けられた回動部材９０３２０に設けられ、例えば内蔵された発光体（図示略）により前面部が発光可能とされている。回動部材９０３２０は、左右方向に延びる略板状の部材からなり、前面右側には、軸受孔に後側から挿入される回動軸９０３１０と、回動軸９０３１０の左側に突設されガイド溝に後側から挿入される第１ガイド軸と、回動軸９０３１０の右上に突設されガイド溝に後側から挿入される第２ガイド軸と、を有する。
【０３６６】
ガイド溝を挿通してベース部９０３０１の前面側に突出した第２ガイド軸の先端には、リンク部材の上端が回動可能に軸支されている。つまり、回転盤と回動部材９０３２０とはリンク部材を介して連結されている。また、回動軸９０３１０の外周には、回動部材９０３２０を第１演出位置側へ向けて常時付勢するコイルバネが設けられている。
【０３６７】
このように構成された第１可動役物９０３００は、原点位置（初期位置）において、第１可動部９０３０２が傾倒位置に位置する。そして、第１可動役物駆動モータ９０３０３により回転盤が正面視時計周りに回動することにより、リンク部材により第２ガイド軸が下方に引かれることで、回動軸９０３１０を中心として正面視時計回りに約９０度回転し、第１可動部９０３０２が第１演出位置である起立位置まで回転する。尚、第１退避位置から第１演出位置へ回動する際に、コイルバネの付勢力が作用するため、第１可動役物駆動モータ９０３０３にかかる負荷が軽減される。また、第１可動役物駆動モータ９０３０３を逆駆動させることで、第１演出位置から第１退避位置へ回動する。
【０３６８】
また、第１可動役物９０３００が第１退避位置へ移動したときに第１ガイド軸がガイド溝の一端に当接することにより、第１可動役物９０３００の正面視反時計回りの回動が規制され、第１可動役物９０３００が第１演出位置へ移動したときに第２ガイド軸がガイド溝の他端に当接することにより、第１可動役物９０３００の正面視時計回りの回動が規制されるようになっている。  
【０３６９】
また、第２可動役物９０４００は、左右方向に延設され演出表示装置９０５の左右寸法よりも若干短寸をなす第２可動部９０４０１と、上下方向に延設され演出表示装置９０５の上下寸法よりもほぼ同寸をなす第２可動部９０４０２と、を有する。第２可動部９０４０１，９０４０２は、遊技盤９０２と演出表示装置９０５との間に設けられている。また、第２可動部９０４０２は、第２可動部９０４０１よりも後方の位置に設けられている。尚、第２可動部９０４０１は、後述する第２退避位置にあるときに、例えば、パチンコ遊技機９０１の機種名などが表示されたパネルであって演出表示装置９０５の上方位置における第２可動部９０４０１より前方位置に設けられたロゴパネル９０４５０により一部が隠蔽されるようになっている。
【０３７０】
第２可動部９０４０１の左端部には、上下方向を向くラックギヤが固定されており、該ラックギヤには、ステッピングモータからなる第２可動役物駆動モータ９０４１１の駆動軸に固着されたピニオンギヤが噛合されている。第２可動役物駆動モータ９０４１１は、演出表示装置９０５の左側方に設けられる図示しないベース部に固定されている。また、第２可動部９０４０１は、図示しない案内部材により上下方向に移動可能に案内されている。
【０３７１】
よって、第２可動部９０４０１は、第２可動役物駆動モータ９０４１１により、演出表示装置９０５の上方の第２退避位置（原点位置、初期位置、演出表示装置９０５と重ならない位置）と、演出表示装置９０５の前方における上下方向の略中央位置に配置され第２退避位置から離れた第２演出位置（演出表示装置９０５と重なり、第２可動部９０４０１，９０４０２が互いに十文字状となる位置）と、の間で上下方向に往復移動可能とされている。
【０３７２】
また、第２可動部９０４０１の右側端部には被検出部が突設されており、該被検出部がベース部側に設けられた第２可動役物原点検出センサ９０４４０Ａにより検出されることで、演出制御用ＣＰＵ９０１２０は第２可動部９０４０１が第２退避位置（原点位置）に位置していることを特定できるようになっている。
【０３７３】
第２可動部９０４０２の上端部には、左右方向を向くラックギヤが固定されており、該ラックギヤには、ステッピングモータからなる第２可動役物駆動モータ９０４２１の駆動軸に固着されたピニオンギヤが噛合されている。第２可動役物駆動モータ９０４２１は、演出表示装置９０５の上方における左右方向の略中央位置にて図示しないベース部に固定されている。また、第２可動部９０４０２は、図示しない案内部材により上下方向に移動可能に案内されている。
【０３７４】
よって、第２可動部９０４０２は、第２可動役物駆動モータ９０４２１により、演出表示装置９０５の左方の第２退避位置（原点位置、初期位置、演出表示装置９０５と重ならない位置）と、演出表示装置９０５の前方における左右方向の略中央位置に配置される第２演出位置（演出表示装置９０５と重なり、第２可動部９０４０１，９０４０２が互いに十文字状となる位置）と、の間で左右方向に往復移動可能とされている。
【０３７５】
また、第２可動部９０４０２の下端部には被検出部が突設されており、該被検出部がベース部側に設けられた第２可動役物原点検出センサ９０４４０Ｂにより検出されることで、演出制御用ＣＰＵ９０１２０は第２可動部９０４０２が第２退避位置（原点位置）に位置していることを特定できるようになっている。つまり、第２可動役物９０４００は後述する非検出時動作制御または検出時動作制御の対象となる動作対象可動体とされている。
【０３７６】
このように構成された第２可動役物９０４００は、第２退避位置（原点位置、初期位置）において、第２可動部９０４０１が演出表示装置９０５の上方、第２可動部９０４０２が演出表示装置９０５の左側方に位置する。そして、第２可動部９０４０１，９０４０２は、第２可動役物駆動モータ９０４１１，９０４２１を駆動させることにより、演出表示装置９０５と重なる第２演出位置まで移動し、第２可動役物駆動モータ９０４１１，９０４２１を逆駆動させることにより第２演出位置から第２退避位置へ移動する。
【０３７７】
また、第２可動役物９０４００は、特に図示しないが、第２退避位置へ移動したときに第２可動部９０４０１，９０４０２の被規制部がベース部側の規制部に当接することで、第２可動役物９０４００の第２退避位置方向への移動が規制されるようになっている。
【０３７８】
また、第３可動役物９０５００は、遊技盤９０２と該遊技盤９０２の背面側に設けられる演出表示装置９０５との間における演出表示装置９０５の右側下部位置に一部が演出表示装置９０５に重畳するように設けられている。第３可動役物９０５００は、所定箇所に固設された正面視円形をなすベース部と、該ベース部に対し回動可能に設けられた第３可動部と、第３可動部を前後方向を向く回転軸を中心として（回転）させる第３可動役物駆動モータ９０５２０と、を有する。尚、この実施例では、第３可動役物駆動モータ９０５２０としてステッピングモータが適用されている。
【０３７９】
ベース部の背面における回転軸の上方位置には第３可動役物駆動モータ９０５２０が設けられ、第３可動役物駆動モータ９０５２０の駆動軸の先端には第１ギヤが固着されている。第１ギヤには第２ギヤが噛合され、第２ギヤには、回転軸の後端に固着された第３ギヤが噛合されており、第３可動役物駆動モータ９０５２０により第１ギヤが回転することで、該第１ギヤの回転力が第２ギヤと第３ギヤとを介して第３可動部に伝達されることで、第３可動部が回転軸を中心として正転または逆転する。
【０３８０】
第３可動部は、正面視円形をなし、前面に所定の花模様が施されているとともに、内蔵された図示しない発光体により前面が発光可能に設けられている。このように第３可動部は、正面視円形をなし、また、所定の模様には特に上下がないとともに、回転軸を中心として回転するだけで所定位置から移動することがないので、原点位置を設けていない。よって、原点位置を検出する原点検出センサを有していない動作非対象役物とされている。
【０３８１】
次に、この実施例のパチンコ遊技機９０１の動作（作用）を説明する。主基板９０１１では、所定の電源基板からの電力供給が開始されると、遊技制御用マイクロコンピュータ９０１００が起動し、ＣＰＵ９０１０３によって遊技制御メイン処理となる所定の処理が実行される。遊技制御メイン処理を開始すると、ＣＰＵ９０１０３は、割込み禁止に設定した後、必要な初期設定を行う。この初期設定では、例えばＲＡＭ９０１０２がクリアされる。また、遊技制御用マイクロコンピュータ９０１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ９０１０３へ送出され、ＣＰＵ９０１０３は定期的にタイマ割込み処理を実行することができる。初期設定が終了すると、割込みを許可した後、ループ処理に入る。尚、遊技制御メイン処理では、パチンコ遊技機９０１の内部状態を前回の電力供給停止時の状態に復帰させるための処理を実行してから、ループ処理に入るようにしてもよい。
【０３８２】
こうした遊技制御メイン処理を実行したＣＰＵ９０１０３は、ＣＴＣからの割込み要求信号を受信して割込み要求を受け付けると、図２３のフローチャートに示す遊技制御用タイマ割込み処理を実行する。図２３に示す遊技制御用タイマ割込み処理を開始すると、ＣＰＵ９０１０３は、まず、所定のスイッチ処理を実行することにより、スイッチ回路９０１１０を介してゲートスイッチ９０２１、第１始動口スイッチ９０２２Ａ、第２始動口スイッチ９０２２Ｂ、カウントスイッチ９０２３といった各種スイッチから入力される検出信号の状態を判定する（Ｓ９０１１）。続いて、所定のメイン側エラー処理を実行することにより、パチンコ遊技機９０１の異常診断を行い、その診断結果に応じて必要ならば警告を発生可能とする（Ｓ９０１２）。この後、所定の情報出力処理を実行する（Ｓ９０１３）。
【０３８３】
次に、乱数値ＭＲ１´〜ＭＲ４´といった遊技用乱数の少なくとも一部をソフトウェアにより更新するための遊技用乱数更新処理を実行する（Ｓ９０１４）。この後、図２４に示す特別図柄プロセス処理を実行する（Ｓ９０１５）。
【０３８４】
特別図柄プロセス処理に続いて、普通図柄表示器９０２０での表示動作（例えばセグメントＬＥＤの点灯、消灯など）を制御して、普通図柄の変動表示や普通可変入賞球装置９０６Ｂの可動翼片の傾動動作設定などを行う普通図柄プロセス処理が実行される（Ｓ９０１６）。その後、コマンド制御処理を実行することにより、主基板９０１１から演出制御基板９０１２などのサブ側の制御基板に対して制御コマンドを送信（出力）する（Ｓ９０１７）。
【０３８５】
図２４は、特別図柄プロセス処理の一例を示すフローチャートである。この特別図柄プロセス処理では、まず、始動入賞判定処理を実行する（Ｓ９０２１）。その後、遊技制御フラグ設定部９０１５２に設けられた特図プロセスフラグの値に応じて、Ｓ９０２２〜Ｓ９０２９の処理のいずれかを選択して実行する。
【０３８６】
Ｓ９０２１の始動入賞処理では、第１始動口スイッチ９０２２Ａや第２始動口スイッチ９０２２Ｂによる第１始動入賞や第２始動入賞があったか否かを判定し、入賞があった場合には、乱数値ＭＲ１´、ＭＲ２´、ＭＲ３´を抽出して、第１始動入賞である場合には、第１特図保留記憶部の空きエントリの最上位に格納し、第２始動入賞である場合には、第２特図保留記憶部の空きエントリの最上位に格納する。
【０３８７】
Ｓ９０２２の特別図柄通常処理は、特図プロセスフラグの値が“０”のときに実行される。特別図柄通常処理では、保留データの有無などに基づいて特図ゲームを開始するか否かの判定が行われる。また、乱数値ＭＲ１´を示す数値データに基づき、変動表示結果を「大当り」とするか否かを、その変動表示結果が導出表示される前に決定（事前決定）する。さらに、変動表示結果に対応して確定特別図柄（大当り図柄やはずれ図柄のいずれか）が設定される。そして、特図プロセスフラグの値が“１”に更新される。
【０３８８】
Ｓ９０２３の変動パターン設定処理は、特図プロセスフラグの値が“１”のときに実行される。変動パターン設定処理には、変動表示結果を「大当り」とするか否かの事前決定結果などに基づき、乱数値ＭＲ３´を示す数値データを用いて変動パターンを複数種類のいずれかに決定する処理などが含まれている。そして、特図プロセスフラグの値が“２”に更新される。
【０３８９】
Ｓ９０２４の特別図柄変動処理は、特図プロセスフラグの値が“２”のときに実行される。特別図柄変動処理には、第１特別図柄表示器９０４Ａや第２特別図柄表示器９０４Ｂにて特別図柄を変動させるための設定を行う処理や、その特別図柄が変動を開始してからの経過時間を計測する処理などが含まれている。尚、特別図柄の変動経過時間が特図変動時間に達したときには、特図プロセスフラグの値が“３”に更新される。
【０３９０】
Ｓ９０２５の特別図柄停止処理は、特図プロセスフラグの値が“３”のときに実行される。特別図柄停止処理には、第１特別図柄表示器９０４Ａや第２特別図柄表示器９０４Ｂにて特別図柄の変動表示結果となる確定特別図柄を停止表示（導出）させるための設定を行う処理が含まれている。そして、大当りフラグがオンとなっているか否かの判定などが行われ、大当りフラグがオンである場合には特図プロセスフラグの値が“４”に更新される。その一方で、大当りフラグがオフである場合には、特図プロセスフラグの値が“０”に更新される。
【０３９１】
Ｓ９０２６の大当り開放前処理は、特図プロセスフラグの値が“４”のときに実行される。大当り開放前処理には、変動表示結果が「大当り」となったことなどに基づき、大当り遊技状態にてラウンドの実行を開始して大入賞口を開放状態とするための設定を行う処理などが含まれている。具体的には、大入賞口を開放状態とする期間の上限を「２９秒」に設定するとともに、ラウンドを実行する上限回数となる大入賞口の開放回数を、「非確変大当り」または「確変大当りＡ」である場合には、「１６回」に設定する。一方、大当り種別が「確変大当りＢ」である場合には、ラウンドを実行する上限回数となる大入賞口の開放回数を「５回」に設定する。このときには、特図プロセスフラグの値が“５”に更新される。
【０３９２】
Ｓ９０２７の大当り開放中処理は、特図プロセスフラグの値が“５”のときに実行される。この大当り開放中処理には、大入賞口を開放状態としてからの経過時間を計測する処理や、その計測した経過時間やカウントスイッチ９０２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド９０８２に対するソレノイド駆動信号の供給を停止させる処理などを実行した後、特図プロセスフラグの値が“６”に更新される。
【０３９３】
Ｓ９０２８の大当り開放後処理は、特図プロセスフラグの値が“６”のときに実行される。この大当り開放後処理には、大入賞口を開放状態とするラウンドの実行回数が大入賞口開放回数最大値に達したか否かを判定する処理や、大入賞口開放回数最大値に達した場合に大当り終了指定コマンドを送信するための設定を行う処理などが含まれている。そして、ラウンドの実行回数が大入賞口開放回数最大値に達していないときには、特図プロセスフラグの値が“５”に更新される一方、大入賞口開放回数最大値に達したときには、特図プロセスフラグの値が“７”に更新される。
【０３９４】
Ｓ９０２９の大当り終了処理は、特図プロセスフラグの値が“７”のときに実行される。この大当り終了処理には、大当り遊技状態の終了を報知するエンディング演出が実行される期間に対応した待ち時間が経過するまで待機する処理などが含まれている。こうした設定が行われたときには、特図プロセスフラグの値が“０”に更新される。
【０３９５】
尚、大当り終了処理では、遊技制御バッファ設定部に記憶されている大当り種別バッファ値を読み出して、大当り種別が「非確変大当り」、「確変大当りＡ」、「確変大当りＢ」のいずれであったかを特定する。そして、特定した大当り種別が「非確変大当り」ではないと判定された場合には、確変制御を開始するための設定（確変フラグのセット）を行う。
【０３９６】
また、特定した大当り種別が「非確変大当り」である場合には、時短制御を開始するための設定（時短フラグのセットと時短制御中に実行可能な特図ゲームの上限値に対応して予め定められたカウント初期値（この実施例では「１００」）を時短回数カウンタにセット）を行う。
【０３９７】
次に、演出制御基板９０１２の動作を説明する。先ず、演出制御用ＣＰＵ９０１２０は、電源が投入されると、図２５に示すメイン処理の実行を開始する。メイン処理では、まず、ＲＡＭ領域のクリアや各種初期値の設定、また演出制御の起動間隔（例えば、２ｍｓ）を決めるためのタイマの初期設定等を行うための第１初期化処理（Ｓ９０５０）と、各可動体（第１可動役物９０３００、第２可動役物９０４００、第３可動役物９０５００、操作モジュール９０Ｍ）の原点位置への復帰と動作確認を行うための第２初期化処理を行う（Ｓ９０５１）。その後、演出制御用ＣＰＵ９０１２０は、タイマ割込フラグの監視（Ｓ９０５２）を行うループ処理に移行する。タイマ割込が発生すると、演出制御用ＣＰＵ９０１２０は、タイマ割込処理によりタイマ割込フラグをセットする。メイン処理で、タイマ割込フラグがセット（オン）されていたら、演出制御用ＣＰＵ９０１２０は、そのフラグをクリアし（Ｓ９０５３）、以下の処理を実行する。
【０３９８】
演出制御用ＣＰＵ９０１２０は、まず、コマンド解析処理を行う（Ｓ９０５４）。コマンド解析処理では、受信コマンドバッファに格納されている主基板９０１１から送信されてきたコマンドが、どのコマンド（図１９参照）であるのか解析する。尚、遊技制御用マイクロコンピュータ９０１００から送信された演出制御コマンドは、演出制御ＩＮＴ信号にもとづく割込処理で受信され、ＲＡＭに形成されているバッファ領域に保存されている。そして、受信した演出制御コマンドに応じたフラグをセットする処理等を行う。
【０３９９】
次いで、演出制御用ＣＰＵ９０１２０は、演出制御プロセス処理を行う（Ｓ９０５５）。演出制御プロセス処理では、制御状態に応じた各プロセスのうち、現在の制御状態（演出制御プロセスフラグ）に対応した処理を選択して演出表示装置９０５の表示制御を実行する。
【０４００】
次いで、大当り図柄判定用乱数などの演出用乱数を生成するためのカウンタのカウント値を更新する演出用乱数更新処理を実行した後（Ｓ９０５６）、図３２に示すサブ側エラー処理（Ｓ９０５７）を実行し、その後、Ｓ９０５２に移行する。
【０４０１】
図２６は、この実施例の第２初期化処理（Ｓ９０５１）を示すフローチャートである。第２初期化処理において演出制御用ＣＰＵ９０１２０は、先ず、設定データに基づいて最初に動作させる可動体を特定する（Ｓ９０１０１）。設定データには、可動体の順序データが含まれており、この実施例では、該順序として第１可動役物９０３００→第２可動役物９０４００→操作モジュール９０Ｍ→第３可動役物９０５００の順が予め設定されている。よって、最初にＳ９０１０１が実行されるときには、第１可動役物９０３００が対象の可動体として特定されることになる。尚、実施例では、遊技者が操作する操作モジュール９０Ｍよりも優先して第１可動役物９０３００→第２可動役物９０４００を動作させる形態を例示したが、本発明はこれに限定されるものではなく、遊技者が操作する操作モジュール９０Ｍを、遊技者が操作しない第１可動役物９０３００→第２可動役物９０４００よりも優先して動作させるように設定してもよい。
【０４０２】
次いで、Ｓ９０１０１で特定した可動体が原点検出を行うことが必要な原点検出対象可動体であるか否かを判定する（Ｓ９０１０２）。
【０４０３】
この実施例において、これら原点検出を行うことが必要な原点検出対象可動体としては、第１可動役物原点検出センサ９０３１６を有する第１可動役物９０３００と第２可動役物原点検出センサ９０４４０Ａ，９０４４０Ｂを有する第２可動役物９０４００とレバー原点検出センサ９０３８を有する操作モジュール９０Ｍとが該当し、原点検出センサを有しない第３可動役物９０５００は該当しない。よって、Ｓ９０１０１で特定した可動体が第１可動役物９０３００、第２可動役物９０４００、操作モジュール９０Ｍのいずれかである場合には、該判定において「Ｙ」と判定される一方、Ｓ９０１０１で特定した可動体が第３可動役物９０５００である場合には、「Ｎ」と判定されることになる。
【０４０４】
Ｓ９０１０２において「Ｎ」と判定された場合にはＳ９０１３０に進む。一方、Ｓ９０１０２において「Ｙ」と判定された場合には、Ｓ９０１０３に進んで、動作対象可動体に対応する原点検出センサの検出状態を特定し（Ｓ９０１０３）、原点検出センサが検出状態であるか否か、つまり、対象の可動体が原点位置（初期位置）に位置しているか否かを判定する（Ｓ９０１０４）。
【０４０５】
原点位置（初期位置）に位置していない場合（Ｓ９０１０４；Ｎ）には、Ｓ９０１０５に進んで、非検出時動作制御の実行回数を計数するための非検出時動作回数カウンタに０をセットした後（Ｓ９０１０５）、動作対象可動体を動作させるための制御速度として、後述する実動作確認用動作制御（ロング初期化動作制御）における最低速度（図２８、図２９参照）と同じ動作速度で動作対象可動体を動作させるための最低制御速度を設定し（Ｓ９０１０６）、動作対象可動体の駆動モータ、例えば、動作対象可動体が第１可動役物９０３００であれば、第１可動役物駆動モータ９０３０３を原点位置方向に駆動開始し、例えば、動作対象可動体が操作モジュール９０Ｍであれば、レバー用モータ９０３６を原点位置方向に駆動開始するとともに（Ｓ９０１０７）、非検出時動作期間タイマのタイマカウントを開始する（Ｓ９０１０８）。尚、非検出時動作期間タイマのタイマカウントは、例えば、第１初期化処理にて初期化されたＣＴＣから一定期間毎に出力される信号の数をカウントすること等により行うようにすればよい。
【０４０６】
そして、原点検出センサが検出状態となるかとともに、非検出時動作期間タイマが上限時間に対応する値となったか否かを監視する監視状態に移行する（Ｓ９０１０９、Ｓ９０１１０）。
【０４０７】
動作対象可動体の駆動装置（例えば、第１可動役物駆動モータ９０３０３等）を原点位置方向に駆動させることで動作対象可動体が原点位置（初期位置）に位置して原点検出センサが検出状態となった場合には、駆動モータの駆動を停止してＳ９０１３０に進む。一方、非検出時動作期間タイマが上限時間に対応する値となった場合、つまり、上限時間が経過しても動作対象可動体が原点位置（初期位置）に位置しなかった場合には、Ｓ９０１１２に進んで、非検出時動作回数カウンタに１を加算して（Ｓ９０１１２）、該加算後の非検出時動作回数カウンタの値が、動作エラー判定回数（例えば３）に達したか否かを判定する（Ｓ９０１１３）。
【０４０８】
Ｓ９０１１３において非検出時動作回数カウンタの値が動作エラー判定回数に達している場合には、駆動モータの駆動を停止し、当該動作対象可動体の原点復帰エラーを記憶し（Ｓ９０１１４）、Ｓ９０１３０に進む。つまり、非検出時動作制御において動作対象可動体が原点位置（初期位置）に位置しなかった場合には、当該動作対象可動体について後述する実動作確認用動作制御を実行しないようにする（当該動作対象可動体をデッドエンド状態する）ために原点復帰エラーを記憶し、Ｓ９０１３０に進む。
【０４０９】
尚、この実施例では、Ｓ９０１１３において非検出時動作回数カウンタの値が動作エラー判定回数に達している場合には、当該動作対象可動体をデッドエンド状態する形態を例示したが、本発明はこれに限定されるものではなく、Ｓ９０１１３において非検出時動作回数カウンタの値が動作エラー判定回数に達している場合に、初期化エラー処理を開始し、該初期化エラー処理を実行することにより、第２初期化処理を中断することで、演出制御メイン処理がＳ９０５２に進むことなく中断され、演出制御基板９０１２（演出制御用ＣＰＵ９０１２０など）は起動しない状態（デットエンド状態）にするようにしてもよい。
【０４１０】
また、動作対象可動体をデッドエンド状態とした場合、演出制御基板９０１２（演出制御用ＣＰＵ９０１２０など）は起動するが、例えば、演出制御用ＣＰＵ９０１２０は、可動体を動作させることを示す入力信号（例えば、演出ボタン等の検出信号）の受付けを無効としたり、該入力信号が入力されても、当該動作対象可動体を動作させないようにするといった処理を実行することが好ましい。
【０４１１】
一方、非検出時動作回数カウンタの値が動作エラー判定回数に達していない場合には、駆動モータの駆動を停止してＳ９０１０６に戻り、再度、Ｓ９０１０６〜Ｓ９０１０８の処理を行うことにより、動作対象可動体を、実動作確認用動作制御（ロング初期化動作制御）における最低速度にて原点位置に移動させる動作（非検出時動作制御）を開始して、前述したＳ９０１０９、Ｓ９０１１０の監視状態に移行する。
【０４１２】
よって、Ｓ９０１１０にてエラー判定時間が経過したと判定されたとしても、動作エラー判定回数に達するまで繰返し動作対象可動体を原点位置（初期位置）に移動させる動作（非検出時動作制御）を実行している間に動作対象可動体が原点位置（初期位置）にて検出した場合には、Ｓ９０１１４に進むことなく、Ｓ９０１３０に進むことになる。
【０４１３】
一方、上記したＳ９０１０４において「Ｙ」と判定されてＳ９０１２０に進んだ場合には、検出時動作回数カウンタに０をセットした後、検出時動作プロセスデータをセットし（Ｓ９０１２１ａ）、検出時動作プロセスタイマのタイマカウントを開始する（Ｓ９０１２１ｂ）。尚、検出時動作プロセスタイマのタイマカウントとしては、前述した非検出時動作期間タイマのタイマカウントと同様に、第１初期化処理にて初期化されたＣＴＣから一定期間毎に出力される信号の数をカウントすること等により行うようにすればよい。また、この実施例の検出時動作プロセスデータには、動作対象可動体を動作させるための制御速度として、後述する実動作確認用動作制御（ロング初期化動作制御）における最低速度（図２８、図２９参照）と同じ動作速度で動作対象可動体を動作させるための最低制御速度が記述（設定）されている。
【０４１４】
次いで、セットされた検出時動作プロセスデータに設定されている最低制御速度に基づいて動作対象可動体を動作させるとともに（Ｓ９０１２２）、プロセスデータが完了したか否かを判定し（Ｓ９０１２３）、プロセスデータが完了していない場合には、Ｓ９０１２２に戻り、動作対象可動体を検出時動作プロセスデータに設定されている最低制御速度に基づいて動作させる。
【０４１５】
このように、検出時動作制御においては、検出時動作プロセスデータが完了するまで、検出時動作プロセスデータに設定されている最低制御速度に基づく最低速度、つまり、実動作確認用動作制御（ロング初期化動作制御）における最低速度にて、原点位置（初期位置）から一旦離れ、該原点位置（初期位置）から離れた位置から原点位置（初期位置）に戻るという動作を行う（図２８参照）。尚、原点位置から離れた位置とは、原点位置の近傍位置、つまり、各原点センサにより各可動体の被検出部を検出できない位置であって各演出位置よりも原点位置に近い所定位置（検出時動作位置）として設定されている。
【０４１６】
Ｓ９０１２３の判定において、セットされている検出時動作プロセスデータが完了したと判定した場合には、可動役物駆動モータの駆動を停止してＳ９０１２４に進んで、原点検出センサが検出状態になっているか否か、つまり、動作対象可動体が原点位置（初期位置）に位置しているか否かを判定（確認）する。
【０４１７】
原点検出センサが検出状態になっている場合、つまり、動作対象可動体が原点位置（初期位置）に位置している場合にはＳ９０１３０に進む。
【０４１８】
一方、原点検出センサが検出状態になっていない場合、つまり、動作対象可動体が原点位置（初期位置）に位置していない場合には、検出時動作回数カウンタに１を加算して（Ｓ９０１２６）、該加算後の検出時動作回数カウンタの値が、動作エラー判定回数（例えば３）に達したか否かを判定する（Ｓ９０１２７）。検出時動作回数カウンタの値が動作エラー判定回数に達している場合には、Ｓ９０１２８に進んで当該動作対象可動体の原点復帰エラーを記憶し（Ｓ９０１２８）、Ｓ９０１３０に進む。つまり、検出時動作制御において動作対象可動体が原点位置（初期位置）に位置しなかった場合には、当該動作対象可動体について後述する実動作確認用動作制御を実行しないようにする（当該動作対象可動体をデッドエンド状態する）ために原点復帰エラーを記憶し、Ｓ９０１３０に進む。
【０４１９】
尚、この実施例では、Ｓ９０１２７において検出時動作回数カウンタの値が動作エラー判定回数に達している場合には、当該動作対象可動体をデッドエンド状態する形態を例示したが、本発明はこれに限定されるものではなく、Ｓ９０１１３において検出時動作回数カウンタの値が動作エラー判定回数に達している場合に、初期化エラー処理を開始し、該初期化エラー処理を実行することにより、第２初期化処理が中断されることで、演出制御メイン処理がＳ９０５２に進むことなく中断され、演出制御基板９０１２は起動しない状態（デットエンド状態）にするようにしてもよい。
【０４２０】
また、動作対象可動体をデッドエンド状態とした場合、演出制御基板９０１２（演出制御用ＣＰＵ９０１２０など）は起動するが、例えば、演出制御用ＣＰＵ９０１２０は、可動体を動作させる入力信号（例えば、演出ボタン等の検出信号）の受付けを無効としたり、該入力信号が入力されても当該動作対象可動体を動作させないようにするといった処理を実行することが好ましい。
【０４２１】
Ｓ９０１０２で「Ｎ］と判定された場合、Ｓ９０１０９で「Ｙ」と判定された場合、もしくはＳ９０１２４で「Ｙ」と判定された場合に実行するＳ９０１３０においては、可動体のうちで未だ動作対象としていない残りの可動体が存在するか否かを判定し、残りの可動体が存在しない場合（具体的には、動作対象可動体が第３可動役物９０５００である場合）には、図２７に示す実動作確認用動作制御を行う処理に移行する。一方、残りの可動体が存在する場合には、Ｓ９０１３１に進んで、次に動作させる可動体を特定した後、Ｓ９０１０２に戻って、該特定した動作対象可動体について、Ｓ９０１０２以降の上記した処理を同様に実行する。
【０４２２】
尚、動作対象可動体が第１可動役物９０３００である場合にＳ９０１３１が実行される場合には、設定データに基づいて第２可動役物９０４００が動作対象可動体として特定され、動作対象可動体が第２可動役物９０４００である場合にＳ９０１３１が実行される場合には、設定データに基づいて操作モジュール９０Ｍ（操作レバー９０３１）が動作対象可動体として特定され、動作対象可動体が操作モジュール９０Ｍ（操作レバー９０３１）である場合にＳ９０１３１が実行される場合には、設定データに基づいて第３可動役物９０５００が動作対象可動体として特定される。
【０４２３】
次に図２７に示す処理について説明すると、図２７に示すＳ９０２００において演出制御用ＣＰＵ９０１２０は、先ず、前述のＳ９０１０１と同様に、設定データに基づいて最初に動作確認する可動体（確認対象可動体）を特定する（Ｓ９０２００)。次いで、当該対象可動体の原点復帰エラーの記憶が有るか否かを判定する（Ｓ９０２０１)。
【０４２４】
確認対象可動体の原点復帰エラーの記憶が有る場合は、Ｓ９０２０２ａ〜Ｓ９０２１３までの処理を実行することなくＳ９０２２０に進む。このようにすることで、この実施例では、これら非検出時動作制御や検出時動作制御において原点復帰エラーと判定された可動体については実動作確認用動作制御を行わないようになっている。
【０４２５】
一方、確認対象可動体の原点復帰エラーの記憶が無い場合は、Ｓ９０２０２ａに進んで、確認対象可動体に対応する実動作確認用プロセスデータをセットする。つまり、確認対象可動体が第１可動役物９０３００であれば、第１可動役物９０３００の実動作確認用プロセスデータをセットし、確認対象可動体が第２可動役物９０４００であれば、第２可動役物９０４００の実動作確認用プロセスデータをセットし、確認対象可動体が操作モジュール９０Ｍ（操作レバー９０３１）であれば、操作モジュール９０Ｍ（操作レバー９０３１）の実動作確認用プロセスデータをセットし、確認対象可動体が第３可動役物９０５００であれば、第３可動役物９０５００の実動作確認用プロセスデータをセットする。尚、これら各実動作確認用プロセスデータには、演出において当該可動体が可動体演出において実際に行う動作と同一の動作を行うように制御速度等が記述（設定）されている。
【０４２６】
次いで、実動作確認用プロセスタイマのタイマカウントを開始する（Ｓ９０２０２ｂ）。尚、実動作確認用プロセスタイマのタイマカウントとしては、前述した非検出時動作期間タイマのタイマカウントと同様に、第１初期化処理にて初期化されたＣＴＣから一定期間毎に出力される信号の数をカウントすること等により行うようにすればよい。
【０４２７】
そして、セットされた実動作確認用プロセスデータにおいて実動作確認用プロセスタイマのタイマカウント値に対応して設定されている制御速度にて確認対象可動体を動作させるとともに（Ｓ９０２０３）、プロセスデータが完了したか否かを判定し（Ｓ９０２０４）、プロセスデータが完了していない場合には、Ｓ９０２０３に戻り、確認対象可動体を、その時点の実動作確認用プロセスタイマのタイマカウント値に対応して設定されている制御速度に基づいて動作させる。
【０４２８】
このように、実動作確認用プロセスデータが完了するまで、実動作確認用プロセスデータに実動作確認用プロセスタイマのタイマカウント値に対応して設定されている制御速度にて確認対象可動体を動作させることにより、確認対象可動体の制御速度を、時系列的に順次変更して、可動体演出において当該可動体を実際に動作させる際に設定する制御速度と同一の加速または減速を行うことができる。
【０４２９】
そして、Ｓ９０２０４の判定において、セットされている実動作確認用プロセスデータが完了したと判定した場合には、駆動モータの駆動を停止し、当該確認対象可動体は原点検出対象可動体であるか否かを判定する（Ｓ９０２０４ａ）。当該確認対象可動体が原点検出対象可動体でなければ、つまり、第３可動役物９０５００であればＳ９０２２０に進む。一方、当該対象役物が原点検出対象可動体であれば、つまり、第１可動役物９０３００または第２可動役物９０４００であれば原点検出センサが検出状態になっているか否か、つまり、動作対象可動体が原点位置（初期位置）に位置しているか否かを判定（確認）する（Ｓ９０２０５）。
【０４３０】
原点検出センサが検出状態になっている場合、つまり、確認対象可動体が原点位置（初期位置）に位置している場合にはＳ９０２２０に進む。一方、原点検出センサが検出状態になっていない場合、つまり、確認対象可動体が原点位置（初期位置）に位置していない場合には、前述した非検出時動作制御を（図２６参照）を行って確認対象可動体を原点位置（初期位置）に位置させるためにＳ９０２０６〜Ｓ９０２１３の処理を行う。
【０４３１】
具体的には、非検出時動作制御の実行回数を計数するための非検出時動作回数カウンタに０をセットした後（Ｓ９０２０６）、制御速度として実動作確認用動作制御（ロング初期化動作制御）における最低速度と同じ動作速度で動作対象可動体を動作させるための最低制御速度を設定し（Ｓ９０２０７）、確認対象可動体の駆動装置、例えば、確認対象可動体が第１可動役物９０３００であれば、第１可動役物駆動モータ９０３０３を原点位置（初期位置）方向に駆動開始するとともに（Ｓ９０２０８）、非検出時動作期間タイマのタイマカウントを開始する（Ｓ９０２０９）。
【０４３２】
そして、原点検出センサが検出状態となるかとともに、非検出時動作期間タイマが上限時間に対応する値となったか否かを監視する監視状態に移行する（Ｓ９０２１０、Ｓ９０２１１）。
【０４３３】
確認対象可動体の駆動装置（例えば、第１可動役物駆動モータ９０３０３）を原点位置（初期位置）方向に駆動させることで確認対象可動体が原点位置（初期位置）に位置して原点検出センサが検出状態となった場合には、Ｓ９０２１０にて「Ｙ」と判定されてＳ９０２２０に進む。一方、非検出時動作期間タイマが上限時間に対応する値となった場合、つまり、上限時間が経過しても確認対象可動体が原点位置（初期位置）に位置しなかった場合には、Ｓ９０２１２に進んで、非検出時動作回数カウンタに１を加算して（Ｓ９０２１２）、該加算後の非検出時動作回数カウンタの値が、動作エラー判定回数（例えば３）に達したか否かを判定する（Ｓ９０２１３）。
【０４３４】
非検出時動作回数カウンタの値が動作エラー判定回数に達している場合には、Ｓ９０２２０に進む。尚、この実施例では、Ｓ９０２１３において非検出時動作回数カウンタの値が動作エラー判定回数に達している場合には、当該動作対象可動体をデッドエンド状態する形態を例示したが、本発明はこれに限定されるものではなく、Ｓ９０２１３において非検出時動作回数カウンタの値が動作エラー判定回数に達している場合に、当該動作対象可動体の原点復帰エラーを記憶し、当該動作対象可動体について以後は実動作を実行しないようにするようにしてもよい。あるいは、初期化エラー処理を開始し、該初期化エラー処理を実行することにより、第２初期化処理が中断されることで、演出制御メイン処理がＳ９０５２に進むことなく中断され、演出制御基板９０１２は起動しない状態（デットエンド状態）にするようにしてもよい。
【０４３５】
また、動作対象可動体をデッドエンド状態とした場合、演出制御基板９０１２（演出制御用ＣＰＵ９０１２０など）は起動するが、例えば、演出制御用ＣＰＵ９０１２０は、可動体を動作させる入力信号（例えば、演出ボタン等の検出信号）の受付けを無効としたり、該入力信号が入力されても当該動作対象可動体を動作させないようにするといった処理を実行することが好ましい。
【０４３６】
一方、非検出時動作回数カウンタの値が動作エラー判定回数に達していない場合には、Ｓ９０２０７に戻り、再度、Ｓ９０２０７、Ｓ９０２０８、Ｓ９０２０９の処理を行うことにより、確認対象可動体を、実動作確認用動作制御（ロング初期化動作制御）における最低速度にて原点位置（初期位置）に移動させる動作（原点復帰時動作）を開始して、前述したＳ９０２１０、Ｓ９０２１１の監視状態に移行する。
【０４３７】
よって、Ｓ９０２１１にてエラー判定時間が経過したと判定されたとしても、動作エラー判定回数に達するまで繰返し確認対象可動体を原点位置（初期位置）に移動させる動作（非検出時動作制御）を実行している間において、確認対象可動体が原点位置（初期位置）にて検出された場合には、Ｓ９０２２０に進むことになる。
【０４３８】
Ｓ９０２０１で「Ｙ」と判定された場合、Ｓ９０２０４ａで「Ｎ」と判定された場合、Ｓ９０２０５で「Ｙ」と判定された場合、もしくはＳ９０２１０で「Ｙ」と判定された場合に実行するＳ９０２２０においては、可動体のうちで未だ動作確認の確認対象としていない残りの可動体が存在するか否かを判定し、残りの可動体が存在しない場合（具体的には、動作確認の対象役物が第３可動役物９０５００である場合）には、Ｓ９０１１４やＳ９０１２８で記憶したエラーの記録をクリア（Ｓ９０２２２）して、当該処理を終了する一方、残りの可動体が存在する場合には、Ｓ９０２２１に進んで、次に動作確認する可動体を特定した後、Ｓ９０２０１に戻って、該特定した対象体について、Ｓ９０２０１以降の上記した処理を同様に実行する。
【０４３９】
ここで、これら図２６、図２７に示す第２初期化処理が実行されることによる可動体の動作態様及び制御内容について、図２８、図２９を用いて説明する。図２８は、演出制御用ＣＰＵ９０１２０が行う非検出時動作制御、検出時動作制御及び実動作確認用動作制御の動作態様を示す概略説明図である。図２９は、（Ａ）は実動作確認用動作制御における制御速度を示す説明図、（Ｂ）は検出時動作制御における制御速度を示す説明図、（Ｃ）は非検出時動作制御における制御速度を示す説明図である。
【０４４０】
尚、図２８及び図２９においては、原点検出対象可動体である第１可動役物９０３００、第２可動役物９０４００、操作モジュール９０Ｍにおける非検出時動作制御（ショート初期化動作制御）、検出時動作制御（ショート初期化動作制御）及び実動作確認用動作制御（ロング初期化動作制御）についてのみ説明し、原点検出対象可動体でない第３可動役物９０５００についての説明は省略することとする。また、第１可動役物９０３００の第１可動部９０３０２の往復動作距離（回動範囲）と第２可動役物９０４００の第２可動部９０４０１，９０４０２それぞれの往復動作距離（移動範囲）や操作モジュール９０Ｍの操作レバー９０３１の往復動作距離（移動範囲）とは同一ではないが、説明の便宜上、同一の概念図を用いて説明することとする。
【０４４１】
図２８に示すように、第１可動役物９０３００の第１可動部９０３０２や第２可動役物９０４００の第２可動部９０４０１，９０４０２や操作モジュール９０Ｍの操作レバー９０３１は、それぞれ原点位置（退避位置、初期位置）と演出位置（操作可能位置）との間で往復動作可能に設けられており、原点位置から演出位置への往動作や演出位置から原点位置への復動作は、前述した可動体演出等において実際に行う実動作とされている。
【０４４２】
演出制御用ＣＰＵ９０１２０は、第２初期化処理を実行したときに可動体の被検出部が原点検出センサにより検出されない場合、つまり、可動体が何らかの理由（例えば、搬送や遊技島への設置時に原点位置から動いてしまっている場合、前回の動作時に原点復帰できなかった場合（例えば、演出の実行時において、モータの脱調、故障、引っ掛かりなどにより可動体の原点復帰が確認できなかったり動作できなくなるといった可動体エラー（動作異常）が発生した場合など）、遊技機の振動により原点位置から動いてしまった場合など）により原点位置以外の位置（例えば、図２８における非検出時動作制御に対応する黒丸で示す位置など、原点位置と演出位置との間の所定位置）にある場合、原点復帰させるための非検出時動作制御を実行する。この非検出時動作制御を実行する場合、可動体は原点位置から離れた位置にあるため、動作としては可動体を原点位置方向に移動させる動作のみとされている。
【０４４３】
また、演出制御用ＣＰＵ９０１２０は、第２初期化処理を実行したときに第１可動役物９０３００の第１可動部９０３０２や第２可動役物９０４００の第２可動部９０４０１，９０４０２や操作モジュール９０Ｍの操作レバー９０３１の被検出部が原点検出センサにより検出された場合、検出時動作制御を実行する。
【０４４４】
例えば、被検出部が原点検出センサにより確実に検出されるように、被検出部が原点検出センサにより検出されたときから可動体の原点位置方向への動作が規制されるまでの間に所定の動作可能範囲（例えば、遊び）が設定されている場合などにおいては、原点復帰して原点検出センサにより検出された位置よりもさらに奥側にずれた位置に停止することがある。よって、被検出部が原点検出センサにより検出されていても、可動体をより正確な原点位置に復帰させるための検出時動作制御を行う。
【０４４５】
この検出時動作制御は、原点検出センサによる被検出部の検出状態を一旦解除するために可動体を原点位置から離れた位置へ移動させた後に原点位置に復帰させる必要があるが、演出位置まで移動させる必要はないので、可動体を原点位置から該原点位置の近傍である検出時動作位置まで移動させた後、原点位置に復帰させる。つまり、実動作よりも短い距離で往復動作させる（図３３（ａ）（ｂ）参照）。
【０４４６】
また、演出制御用ＣＰＵ９０１２０は、第２初期化処理において非検出時動作制御または検出時動作制御を実行した後、実動作確認用動作制御を実行する。実動作確認用動作制御は、可動体が各種演出等において実際に行う実動作と同一の動作とされている。
【０４４７】
次に、演出制御用ＣＰＵ９０１２０が非検出時動作制御、検出時動作制御及び実動作確認用動作制御を実行する際に設定する制御速度について比較する。尚、図２９（Ａ）、図２９（Ｂ）、図２９（Ｃ）にて示す速度は、演出制御用ＣＰＵ９０１２０が各可動体を動作させるために設定する制御速度であって、可動体の実際の動作速度とは異なる。つまり、例えば、所定の可動体を動作させる場合において、原点位置と演出位置との間における一の移動区間と他の移動区間に同一の制御速度を設定した場合でも、一の移動区間と他の移動区間とで態様が異なる場合（例えば、バネがある区間とない区間、直線区間と曲線区間）や、同一の移動区間でも上昇する場合と下降する場合においては、可動体を実際に動作させた場合の動作速度は制御速度とは異なることがある。また、可動体に対し同一の制御速度を設定しても、各可動体の大きさ、重量、動作態様、動作距離、駆動機構等の違いがある場合、各可動体の実際の動作速度は必ずしも同一にはならない。複数の可動体を同一性能のステッピングモータにて動作させる場合において、各可動体に対し同一の制御速度を設定しても、各可動体の大きさ、重量、動作態様、動作距離、駆動機構等の違いがある場合、各可動体の実際の動作速度は必ずしも同一にはならない。
【０４４８】
図２９（Ａ）に示すように、演出制御用ＣＰＵ９０１２０は、実動作確認用動作制御を実行する場合、セットした実動作確認用プロセスデータにおいて実動作確認用プロセスタイマのタイマカウント値に対応して設定されている制御速度に基づいて確認対象可動体を動作させる。具体的には、原点位置から加速した後に減速して演出位置に停止させるとともに、演出位置から加速した後に減速して原点位置に停止させる制御を行う。すなわち、各可動体が正常に動作可能であることを確認するための実動作確認用動作制御では、原点位置と演出位置との間において、可動体の制御速度を低速→高速→低速の順に変化させる。つまり、演出制御用ＣＰＵ９０１２０は、各可動体の可動体演出を実行する場合、第１速度である最低速度（低速）と該最低速度よりも速い第２速度としての最高速度（高速）との範囲内の速度で各可動体が動作するように制御するため、実動作確認用動作制御を実行する場合においても、第１速度である最低速度（低速）と該最低速度よりも速い第２速度としての最高速度（高速）との範囲内の速度で各可動体が動作するように制御する。
【０４４９】
すなわち、上記第１速度としての最低速度や第２速度としての最高速度は、可動体の実際の動作速度であって、該動作速度としての最低速度や最高速度となるように制御速度が設定されることになる。尚、以下においては、最低制御速度に基づいて可動体を動作させた場合は最低速度にて動作し、最高制御速度に基づいて可動体を動作させた場合は最高速度にて動作するものとして説明する。
【０４５０】
ここで、可動体の加速時及び減速時における動作速度が、実動作確認用動作制御における最低速度となるように制御速度が設定されている。また、演出位置に移動した後に原点位置に復帰させる際においては、演出位置に停止させるときよりも長い時間にわたり実動作確認用動作制御における最低速度となるように制御することで、可動体を確実に減速させてから原点検出センサにより被検出部が検出されるようにしている。
【０４５１】
図２９（Ｂ）に示すように、演出制御用ＣＰＵ９０１２０は、検出時動作制御を実行する場合、原点位置から演出位置まで移動させる期間及び演出位置から原点位置まで移動させる期間において、常に実動作確認用動作制御における最低速度（第１速度）にて可動体が動作するように制御する。つまり、演出制御用ＣＰＵ９０１２０は、第１動作制御としての検出時動作制御における最高速度が、第２動作制御としての実動作確認用動作制御における最低速度以下の速度（この実施例では、実動作確認用動作制御における最低速度と同じ速度）となるように、常に実動作確認用動作制御において設定されている制御速度のうち最も低い最低制御速度に基づいて可動体を動作させる制御を行う。
【０４５２】
また、検出時動作制御の場合、実動作確認用動作制御に比べて可動体の動作距離が短いため、実動作確認用動作制御において加速したときの制御速度、つまり高速で動作させると、原点検出センサにて被検出部を確実に検出できなかったり、近距離から可動体が原点位置に復帰して移動規制されたときの衝撃により可動体等が破損したりする虞があるため、実動作確認用動作制御における最低速度にて動作するように制御する。
【０４５３】
また、図２９（Ｃ）に示すように、演出制御用ＣＰＵ９０１２０は、非検出時動作制御を実行する場合、原点位置と演出位置との間の任意の位置から原点位置まで移動させる期間において、常に実動作確認用動作制御における最低速度（第１速度）にて動作するように制御する。つまり、演出制御用ＣＰＵ９０１２０は、第１動作制御としての非検出時動作制御における最高速度（最大動作速度）が、第２動作制御としての実動作確認用動作制御における最低速度以下の速度（この実施例では、実動作確認用動作制御における最低速度と同じ速度）となるように、常に実動作確認用動作制御において設定されている制御速度のうち最も低い最低制御速度に基づいて可動体を動作させる制御を行う。
【０４５４】
この場合、可動体は原点位置からどの程度離れた位置にあるかが不明であるため、可動体が原点位置の近傍に位置していた場合、実動作確認用動作制御において加速したときの制御速度、つまり高速で動作させると、可動体が原点位置に復帰したときに原点検出センサにて被検出部を確実に検出できなかったり、近距離から可動体が原点位置に復帰して移動規制されたときの衝撃により可動体等が破損したりする虞があるため、実動作確認用動作制御における最低速度にて動作するように制御する。
【０４５５】
このようにこの実施例では、演出制御用ＣＰＵ９０１２０は、第１動作制御としての非検出時動作制御や検出時動作制御を実行する場合、実動作確認用動作制御において設定されている最低制御速度に基づいて常に単一（一定）の動作速度で可動体が動作するように制御を行う。そして、これら最低速度は、各可動体に対応する実動作確認用動作制御における最低速度であり、各可動体に共通する動作速度ではないので、各可動体における最低速度は異なる場合がある。
【０４５６】
具体的には、第１可動役物９０３００の第１可動部９０３０２と第２可動役物９０４００の第２可動部９０４０１，９０４０２と操作モジュール９０Ｍの操作レバー９０３１は、図１６に示すように、大きさ、重量、動作態様、動作距離、駆動モータを含む駆動機構が各々異なるため、同一の制御速度を設定した場合でも可動体の実際の動作速度は異なる。また、各可動体に対し異なる制御速度を設定した場合においても可動体の実際の動作速度は異なる。このように、最低速度は各可動体に応じて設定された制御速度に基づく動作速度であり、可動体に最適な最低速度にて動作するように制御するため、態様が異なる複数の可動体を原点位置にて確実に検出させることが可能となる。
【０４５７】
図３０は、演出制御メイン処理の演出制御プロセス処理（Ｓ９０５５）を示すフローチャートである。演出制御プロセス処理では、演出制御用ＣＰＵ９０１２０は、先ず、演出表示装置９０５の第１保留記憶表示エリア９０５Ｄ及び第２保留記憶表示エリア９０５Ｕでの保留記憶表示を、保留記憶バッファの記憶内容に応じた表示に更新する保留表示更新処理を実行する（Ｓ９０７２）。
【０４５８】
その後、演出制御用ＣＰＵ９０１２０は、演出制御プロセスフラグの値に応じてＳ９０７３〜Ｓ９０７９のうちのいずれかの処理を行う。各処理においては、以下のような処理を実行する。
【０４５９】
変動パターン指定コマンド受信待ち処理（Ｓ９０７３）：遊技制御用マイクロコンピュータ９０１００から変動パターン指定コマンドを受信しているか否か確認する。具体的には、コマンド解析処理で変動パターン指定コマンドを受信しているか否か確認する。変動パターン指定コマンドを受信していれば、演出制御プロセスフラグの値を演出図柄変動開始処理（Ｓ９０７４）に対応した値に変更する。
【０４６０】
演出図柄変動開始処理（Ｓ９０７４）：演出図柄の変動が開始されるように制御する。そして、演出制御プロセスフラグの値を演出図柄変動中処理（Ｓ９０７５）に対応した値に更新する。
【０４６１】
演出図柄変動中処理（Ｓ９０７５）：変動パターンを構成する各変動状態（変動速度）の切替タイミング等を制御するとともに、変動時間の終了を監視する。そして、変動時間が終了したら、演出制御プロセスフラグの値を演出図柄変動停止処理（Ｓ９０７６）に対応した値に更新する。
【０４６２】
演出図柄変動停止処理（Ｓ９０７６）：全図柄停止を指示する演出制御コマンド（図柄確定コマンド）を受信したことにもとづいて、演出図柄の変動を停止し表示結果（停止図柄）を導出表示する制御を行う。そして、演出制御プロセスフラグの値を大当り表示処理（Ｓ９０７７）または変動パターン指定コマンド受信待ち処理（Ｓ９０７３）に対応した値に更新する。
【０４６３】
大当り表示処理（Ｓ９０７７）：変動時間の終了後、演出表示装置９０５に大当りの発生を報知するための画面を表示する制御を行う。そして、演出制御プロセスフラグの値を大当り遊技中処理（Ｓ９０７８）に対応した値に更新する。
【０４６４】
大当り遊技中処理（Ｓ９０７８）：大当り遊技中の制御を行う。例えば、大入賞口開放中指定コマンドや大入賞口開放後指定コマンドを受信したら、演出表示装置９０５におけるラウンド数の表示制御等を行う。そして、演出制御プロセスフラグの値を大当り終了演出処理（Ｓ９０７９）に対応した値に更新する。
【０４６５】
大当り終了演出処理（Ｓ９０７９）：演出表示装置９０５において、大当り遊技状態が終了したことを遊技者に報知する表示制御を行う。そして、演出制御プロセスフラグの値を変動パターン指定コマンド受信待ち処理（Ｓ９０７３）に対応した値に更新する。
【０４６６】
尚、演出制御用ＣＰＵ９０１２０は、演出図柄変動中処理（Ｓ９０７５）、大当り表示処理（Ｓ９０７７）、大当り遊技中処理（Ｓ９０７８）、大当り終了演出処理（Ｓ９０７９）などにおける所定のタイミング（例えば、可動体演出の実行条件が成立したタイミング）で、可動役物を原点位置と演出位置との間で移動させる可動体演出を実行可能としている。
【０４６７】
図３１は、この実施例の演出図柄変動中処理の一例を示すフロー図である。演出図柄変動中処理において、演出制御用ＣＰＵ９０１２０は、プロセスタイマ、変動時間タイマ、変動制御タイマのそれぞれの値を−１する（Ｓ９０３０１，Ｓ９０３０２，Ｓ９０３０３）。
【０４６８】
そして、演出制御用ＣＰＵ９０１２０は、プロセスタイマがタイマアウトしたか否か確認する（Ｓ９０３０４）。プロセスタイマがタイマアウトしていない場合には、プロセスタイマに対応するプロセスデータの内容（表示制御実行データ、ランプ制御実行データ、音制御実行データ、操作部制御データ等）に従って演出装置（演出用部品）の制御を実行する（Ｓ９０３０５）。
【０４６９】
一方、プロセスタイマがタイマアウトしていたら、プロセスデータの切り替えを行う（Ｓ９０３０６）。即ち、プロセステーブルにおける次に設定されているプロセスタイマ設定値をプロセスタイマに設定することによってプロセスタイマをあらためてスタートさせる（Ｓ９０３０７）。また、その次に設定されている表示制御実行データ、ランプ制御実行データ、音制御実行データ、操作部制御データ等にもとづいて演出装置（演出用部品）に対する制御状態を変更する（Ｓ９０３０８）。
【０４７０】
そして、演出制御用ＣＰＵ９０１２０は、レバー操作エラーフラグまたは過負荷エラーフラグがセットされているか否かを判定する（Ｓ９０３０９）。これらのエラーフラグがいずれもセットされていない場合には、操作レバー９０３１を突出させるレバー突出処理実行タイミングであるか否かを、プロセスデータに基づいて判定する（Ｓ９０３１０）。
【０４７１】
レバー突出処理実行タイミング、つまり、レバー突出処理を実行する期間である場合には、Ｓ９０３１１のレバー突出処理を実行してＳ９０３１２に進み、レバー突出処理実行タイミングでなければ、Ｓ９０３１１のレバー突出処理を実行せずにＳ９０３１２に進む。よって、演出図柄の変動表示中の予め定められたタイミングとなったときに、レバー突出処理が開始されて、操作レバー９０３１が傾倒操作不能な格納状態から、傾倒操作可能な突出状態に変位する演出（操作レバー演出）が実行される。
【０４７２】
次に、操作レバー９０３１の操作案内、具体的には、図３５（Ｄ）に示すように、演出表示装置９０５に操作レバー９０３１の画像と「引け」のメッセージとを表示するレバー操作案内演出の実行タイミングであるか否かを判定する（Ｓ９０３１２）。レバー操作案内演出の実行タイミングである場合には、Ｓ９０３１３の操作案内演出処理を実行してＳ９０３１４に進み、レバー操作案内演出の実行タイミングではない場合には、Ｓ９０３１３の操作案内演出処理を実行せずにＳ９０３１４に進む。尚、レバー操作案内の表示は、操作案内演出処理において、レバー操作案内演出の実行期間が経過するときに終了される。
【０４７３】
Ｓ９０３１４では、レバー操作検出センサ９０３５Ａからの検出信号の入力の有無によって、操作レバー９０３１の傾倒操作があったか否かを判定する。操作レバー９０３１の傾倒操作があった場合には、更に、操作レバー９０３１の操作有効期間であるか否かを判定し、操作レバー９０３１の操作有効期間である場合には、Ｓ９０３１６の特別演出処理を実行することで、特別演出、具体的には、バトル演出における勝敗を報知する勝敗報知演出（図３５（Ｅ）または図３５（Ｆ）参照）が実行される。尚、操作レバー９０３１の操作有効期間でない場合には、Ｓ９０３１５で「Ｎ」と判定されてＳ３２０に進む。
【０４７４】
一方、操作レバー９０３１の傾倒操作がない場合には、既に、特別演出を実行した状態（実行中を含む）であるか否かを判定し（Ｓ９０３１７）、特別演出を実行した状態でなければ、更に、操作レバー９０３１の操作有効期間の終了タイミングであるか否かを判定する（Ｓ９０３１８）。そして、操作レバー９０３１の操作有効期間の終了タイミングである場合には、Ｓ９０３１６の特別演出処理を実行することで、操作レバー９０３１の操作有効期間において、操作レバー９０３１の傾倒操作がなくても、操作有効期間の終了タイミングにおいて、操作レバー９０３１の傾倒操作があったものとして特別演出が実行されるようになっている。
【０４７５】
特別演出を実行した状態であることによってＳ９０３１７において「Ｙ」と判定された場合、またはレバー操作有効期間の終了タイミングではないことによってＳ９０３１８において「Ｎ」と判定された場合にはＳ９０３２０に進む。
【０４７６】
尚、図３１においては、図示を省略しているが、一旦、Ｓ９０３１６の特別演出処理が実行された場合には、該特別演出処理が実行中であることを示す特別演出実行中フラグが、特別演出が終了するまでセットされることにより、特別演出処理は、特別演出が終了するまで、タイマ割り込みが発生する毎に実行されるようになっている。
【０４７７】
Ｓ９０３２０においては、操作レバー９０３１を格納するレバー格納処理実行タイミングであるか否かを、プロセスデータに基づいて判定する（Ｓ９０３２０）。
【０４７８】
レバー格納処理実行タイミング、つまり、レバー格納処理を実行する期間である場合には、更に、レバー操作エラーフラグがセットされているか否かを判定する。レバー操作エラーフラグがセットされている場合には、Ｓ９０３２３のレバー格納処理を実行することなくＳ９０３３０に進む。一方、レバー操作エラーフラグがセットされていない場合には、操作レバー９０３１の傾倒操作の有無、つまり、操作レバー９０３１を格納する期間となっても、操作レバー９０３１の傾倒操作が継続されているか否かを判定する（Ｓ９０３２２）。操作レバー９０３１の傾倒操作が継続されている場合には、操作レバー９０３１を格納することができないので、Ｓ９０３２５に進んで、レバー操作エラーと判定し、レバー操作エラーフラグをセットした後、Ｓ９０３２３のレバー格納処理を実行することなくＳ９０３３０に進む。
【０４７９】
一方、操作レバー９０３１の傾倒操作がないことによりＳ９０３２２において「Ｎ」と判定された場合、つまり、操作レバー９０３１を格納する期間となる前に、傾倒操作が終了されている場合には、レバー用モータ９０３６を動作させて、操作レバー９０３１を操作可能位置（突出位置）から原点位置（格納位置）に変位させて格納するレバー格納処理を実行することにより、操作レバー９０３１が操作不能な原点位置（格納位置）に変位する演出（操作レバー演出）が実行される（Ｓ９０３２３）。
【０４８０】
尚、このレバー格納処理が実行される場合には、必ずＳ９０３２４においてレバー用モータ９０３６が過負荷となっているか否かが判断（監視）される。つまり、遊技者の手、携帯電話、或いは遊技球等の異物等が挟まっていることによって、操作レバー９０３１を格納できない状態となっているか否かを判定し、レバー用モータ９０３６が過負荷となっている場合には、Ｓ９０３２６に進んで、レバー用モータ９０３６による駆動を停止して、レバー用モータ９０３６の故障や操作レバー９０３１等が損傷することを防ぐとともに、過負荷エラーと判定し、過負荷エラーフラグをセットする（Ｓ９０３２７）。
【０４８１】
Ｓ９０３０９に戻り、該Ｓ９０３０９において「Ｙ」と判定される場合、つまり、レバー操作エラーフラグまたは過負荷エラーフラグのいずれかがセットされている場合には、Ｓ９０３４０に進んで、操作レバー９０３１の操作有効期間の終了タイミングであるか否かを判定し、操作レバー９０３１の操作有効期間の終了タイミングでない場合には、Ｓ９０３３０に進む一方、操作レバー９０３１の操作有効期間の終了タイミングである場合には、Ｓ９０３４１の特別演出処理を実行してＳ９０３３０に進む。これにより、上記したＳ９０３１１のレバー突出処理やＳ９０３１３の操作案内演出処理やＳ９０３２３のレバー格納処理は実行されないので、レバー操作エラーフラグまたは過負荷エラーフラグのいずれかがセットされている場合には、操作レバー９０３１が突出、格納する操作レバー演出や、操作レバー９０３１の傾倒操作を促す操作促進演出については、いずれも実行されない。このように、レバー操作エラーフラグや過負荷エラーフラグがセットされている場合、つまり、操作レバー９０３１に異常が発生している状態においては、該操作レバー９０３１を用いた演出を実行しないことで、不適切な演出が実行されてしまうことを防ぐことができるようになっている。
【０４８２】
Ｓ９０３３０においては、変動制御タイマがタイマアウトしているか否かを確認する（Ｓ９０３３０）。変動制御タイマがタイマアウトしている場合には（Ｓ９０３３０；Ｙ）、演出制御用ＣＰＵ９０１２０は、左中右の演出図柄の次表示画面（前回の演出図柄の表示切り替え時点から３０ｍｓ経過後に表示されるべき画面）の画像データを作成し、ＶＲＡＭの所定領域に書き込む（Ｓ９０３３１）。そのようにして、演出表示装置９０５において、演出図柄の変動制御が実現される。表示制御部９０１２３は、設定されている背景画像等の所定領域の画像データと、プロセステーブルに設定されている表示制御実行データにもとづく画像データとを重畳したデータに基づく信号を演出表示装置９０５に出力する。そのようにして、演出表示装置９０５において、演出図柄の変動における背景画像、キャラクタ画像及び演出図柄が表示される。また、変動制御タイマに所定値を再セットする（Ｓ９０３３２）。
【０４８３】
また、変動制御タイマがタイマアウトしていない場合（Ｓ９０３３０；Ｎ）、Ｓ９０３３２の実行後、演出制御用ＣＰＵ９０１２０は、変動時間タイマがタイマアウトしているか否か確認する（Ｓ９０３３３）。変動時間タイマがタイマアウトしていれば、演出制御プロセスフラグの値を演出図柄変動停止処理（Ｓ９０７６）に応じた値に更新する（Ｓ９０３３５）。変動時間タイマがタイマアウトしていなくても、図柄確定指定コマンドを受信したことを示す確定コマンド受信フラグがセットされていたら（Ｓ９０３３４；Ｙ）、演出制御プロセスフラグの値を演出図柄変動停止処理（Ｓ９０７６）に応じた値に更新する（Ｓ９０３３５）。変動時間タイマがタイマアウトしていなくても図柄確定指定コマンドを受信したら変動を停止させる制御に移行するので、例えば、基板間でのノイズ等に起因して長い変動時間を示す変動パターン指定コマンドを受信したような場合でも、正規の変動時間経過時（特別図柄の変動終了時）に、演出図柄の変動を終了させることができる。
【０４８４】
尚、演出図柄の変動制御に用いられているプロセステーブルには、演出図柄の変動表示中のプロセスデータが設定されている。つまり、プロセステーブルにおけるプロセスデータ１〜ｎのプロセスタイマ設定値の和は演出図柄の変動時間に相当する。よって、Ｓ９０３３４の処理において最後のプロセスデータｎのプロセスタイマがタイマアウトしたときには、切り替えるべきプロセスデータ（表示制御実行データやランプ制御実行データ等）はなく、プロセステーブルにもとづく演出図柄の演出制御は終了する。
【０４８５】
次に、演出制御用ＣＰＵ９０１２０が、メイン処理のＳ９０５７において実行するサブ側エラー処理について、図３２を用いて簡潔に説明する。
【０４８６】
サブ側エラー処理において演出制御用ＣＰＵ９０１２０は、まず、レバー操作エラーフラグがセットされているか否かを判定する（Ｓ９０４０１）。
【０４８７】
レバー操作エラーフラグがセットされていない場合にはＳ９０４０４に進む。一方、レバー操作エラーフラグがセットされている場合には、レバー操作エラー表示、具体的には、図３４（ａ）に示すように、「エラー発生！！  操作レバーから手を離してください。」のメッセージ表示の表示中であるか否かを判定する。
【０４８８】
レバー操作エラー表示が表示中である場合には、Ｓ９０４０４に進み、レバー操作エラー表示が表示中でない場合には、Ｓ９０４０３に進んで、上記した「エラー発生！！  操作レバーから手を離してください。」のメッセージ表示から成るレバー操作エラー表示を演出表示装置５において開始し、Ｓ９０４０４に進む。よって、遊技者に対して案内された操作である、操作レバー９０３１の傾倒操作が継続されていることによってレバー操作エラーフラグがセットされている場合には、演出表示装置９０５にエラーメッセージが表示されるだけで、エラー音等は出力しないようになっており、案内された操作を実行したにもかかわらず、周囲の遊技者にエラーの発生が認識されてしまう騒がしいエラー報知が実行されて、遊技者に不快感を与えてしまうことを防ぐようになっている。
【０４８９】
一方、Ｓ９０４０４においては、過負荷エラーフラグがセットされているか否かを判定する。過負荷エラーフラグがセットされていない場合にはＳ９０４０７に進む。一方、過負荷エラーフラグがセットされている場合には、図３４（ｂ）に示すように、過負荷エラー表示とエラー音の出力とを実行中であるか否かを判定する。
【０４９０】
過負荷エラー表示とエラー音の出力とを実行中である場合にはＳ９０４０７に進み、過負荷エラー表示とエラー音の出力とを実行中でない場合には、図３４（ｂ）に示すように、「エラー発生！！操作レバーから異物を取り除いてください。」のメッセージ表示から成る過負荷エラー表示を演出表示装置９０５において開始するともに、スピーカ９０８Ｌ，９０８Ｒからのエラー音の出力を開始し、Ｓ９０４０７に進む。このように過負荷エラーが発生した状態、つまり、遊技者の手、携帯電話、或いは遊技球等の異物等が挟まっている状態においては、遊技者に対して案内した操作によるエラーではないので、レバー操作エラーの場合に比較して、周囲にいる店員等が容易に認識できる騒がしい（大げさな）エラー報知を実行して、エラーの発生を報知するともに、遊技者が、故意に異物等を挟むことや、格納位置に変位中の操作レバー９０３１を引く等の悪戯をすることを防止できるようになっている。
【０４９１】
つまり、レバー操作エラーの場合のエラー報知の態様は、認識のし易さ（認識度合い（レベル））が低い態様とし、過負荷エラーの場合のエラー報知の態様は、認識のし易さ（認識度合い（レベル））が高い態様とすればよいが、本発明はこれに限定されるものではなく、レバー操作エラーの場合と過負荷エラーの場合とを区別できるようにすることのみを目的とする場合には、逆に、レバー操作エラーの場合のエラー報知の態様を、認識のし易さ（認識度合い（レベル））が高い態様とし、過負荷エラーの場合のエラー報知の態様を、認識のし易さ（認識度合い（レベル））が低い態様としてもよい。
【０４９２】
Ｓ９０４０７においては、その他のエラーフラグがセットされているか否かを判定する。その他のエラーフラグがセットされていない場合にはＳ９０４１０に進む。一方、その他のエラーフラグがセットされている場合には、エラーフラグに対応するエラー報知の実行中であるか否かを判定する。
【０４９３】
エラーフラグに対応するエラー報知の実行中である場合にはＳ９０４１０に進み、エラーフラグに対応するエラー報知の実行中でない場合には、エラーフラグに対応するエラー報知を開始する。
【０４９４】
また、Ｓ９０４１０では、レバー操作エラー表示または過負荷エラー表示を表示中であるか否かを判定する。
【０４９５】
レバー操作エラー表示または過負荷エラー表示を表示中ではない場合にはＳ９０４１３に進み、レバー操作エラー表示または過負荷エラー表示を表示中である場合には、Ｓ９０４１１に進んで、レバー原点検出センサ９０３８がＯＮであるか否か、つまり、操作レバー９０３１が、エラーの発生後において、遊技場の店員等によって原点位置に戻されたか否かを判定する。
【０４９６】
レバー原点検出センサ９０３８がＯＮではない場合、つまり、操作レバー９０３１が原点位置に戻されていない場合には、Ｓ９０４１３に進む。一方、レバー原点検出センサ９０３８がＯＮである場合には、Ｓ９０４１２に進んで、レバー操作エラーフラグがセットされている場合にはレバー操作エラーフラグをクリアするとともに演出表示装置９０５におけるレバー操作エラー表示を終了し、過負荷エラーフラグがセットされている場合には過負荷エラーフラグをクリアするとともに演出表示装置９０５における過負荷エラー表示とエラー音の出力とを終了する。
【０４９７】
このように、この実施例では、レバー操作エラー表示や過負荷エラー表示を、操作レバー９０３１が原点位置に戻されてレバー操作エラーフラグや過負荷エラーフラグがクリアされるまで表示する形態を例示しているが、本発明はこれに限定されるものではなく、これらレバー操作エラー表示や過負荷エラー表示を、一定期間において表示するようにしても良い。この場合、レバー操作エラー表示は所定期間の経過で終了するが、過負荷エラー表示については操作レバー９０３１が原点位置に戻されるまで継続して表示するようにしても良いし、レバー操作エラー表示の表示期間を過負荷エラー表示期間よりも短くするようにしてもよい。
【０４９８】
また、Ｓ９０４１３では、その他のエラーの報知中であるか否かを判定し、その他のエラーの報知中でない場合には、当該サブ側エラー処理を終了する。一方、その他のエラーの報知中である場合には、Ｓ９０４１４に進んで、報知中のエラーが解消しているか否かを判定し、解消していない場合には、当該サブ側エラー処理を終了する。
【０４９９】
報知中のエラーが解消している場合には、Ｓ９０４１５に進んで、報知しているエラーのエラーフラグをクリアするともに、該エラー報知を終了した後、当該サブ側エラー処理を終了する。
【０５００】
ここで、これら図３２に示すサブ側エラー処理と前述した図３１に示す演出図柄変動中処理とが実行されることによるエラー報知と操作レバー９０３１の状態との関係について、図３３、図３５を用いて説明する。尚、図３３（ａ）は、レバー操作エラーが発生する場合の状況を示す図であり、図３３（ｂ）は、過負荷エラーが発生する場合の状況を示す図である。
【０５０１】
この実施例において、操作レバー９０３１が突出状態とされる操作レバー演出が実行されるのは、図３５に示すように、変動パターンとしてスーパーリーチの変動パターンが決定されることで、図３５（Ａ）に示すリーチ状態となった後、スーパーリーチ演出、具体的には、味方キャラクタと敵キャラクタとが対戦するバトル演出が実行される（図３５（Ｂ）、図３５（Ｃ））。そして、バトル演出が開始された後の所定の時期においてレバー突出処理実行タイミングとなることにより、操作レバー９０３１が突出（変位）する操作レバー演出が開始され、操作レバー９０３１が格納位置（原点位置）から操作可能位置（演出位置）に変位する。そして、操作レバー９０３１が操作可能位置（演出位置）に変位した後に、図３５（Ｄ）に示すように、操作レバー９０３１の画像と「引け！」のメッセージが演出表示装置９０５に表示されるレバー操作案内演出が実行される。
【０５０２】
このレバー操作案内演出の案内に応じて、遊技者が操作レバー９０３１を自分側に引いて傾倒する傾倒操作を行った場合は、該傾倒操作に応じて、バトル演出における勝敗を報知する勝敗報知演出（図３５（Ｅ）または図３５（Ｆ）参照）が実行される。具体的には、当該変動表示において大当りの演出図柄が導出表示されて大当り遊技状態に制御される場合には、図３５（Ｅ）に示すように、味方のキャラクタがバトルに勝利する態様の勝敗報知演出が実行される一方、当該変動表示においてはずれの演出図柄が導出表示されて大当り遊技状態に制御されない場合には、図３５（Ｆ）に示すように、味方のキャラクタがバトルに敗北する態様の勝敗報知演出が実行される。
【０５０３】
これら勝敗報知演出が実行された後の所定の時期に、レバー格納処理実行タイミングとなると、前述したレバー格納処理が実行されて、操作レバー９０３１が格納位置（原点位置）に変位する操作レバー演出が実行されるはずであるが、レバー格納処理実行タイミングとなっても遊技者が操作レバー９０３１を引いたままの状態であると、図３３（ａ）に示すように、レバー操作エラーと判定されてレバー操作エラーフラグがセットされることにより、演出表示装置９０５においてレバー操作エラー表示が表示される。但し、エラー音は出力されない。
【０５０４】
一方、レバー格納処理実行タイミングとなったときに、遊技者による操作レバー９０３１の傾倒操作が行われていない場合には、前述したレバー格納処理が開始されて、操作レバー９０３１が格納位置（原点位置）に向けて変位する。しかしながら、例えば、図３４（ｂ）に示すように、遊技者の携帯電話９０Ｐ等の異物が、膨出部９０３０の上面と操作レバー９０３１との間に挟まってしまってレバー用モータ９０３６が過負荷状態となってしまった場合には、図３３（ｂ）に示すように、過負荷エラーと判定されてレバー用モータ９０３６の駆動が停止され、過負荷エラーフラグがセットされることにより、演出表示装置９０５において過負荷エラー表示が表示されるとともにエラー音が出力される。
【０５０５】
以上説明したように、本発明の実施例としてのパチンコ遊技機９０１にあっては、図３３に示すように、可動体である操作レバー９０３１が、レバー用モータ９０３６によって駆動されていない状態において案内された操作が継続している場合のエラーであるレバー操作エラーの場合には、図３４（ａ）に示すように、エラー音の出力を伴わないエラー表示による異常報知が実行され、操作レバー９０３１がレバー用モータ９０３６によって駆動されている状態において案内された操作以外の操作や異物等による場合のエラーである過負荷エラーの場合には、図３４（ｂ）に示すように、エラー音の出力を伴うエラー表示による異常報知が実行されるので、可動体である操作レバー９０３１の状況、具体的には、レバー用モータ９０３６によって駆動されて変位中であるか否かや、エラーの原因が案内された操作の継続によるものか否かに応じた異常報知を行うことができる。
【０５０６】
また、前記実施例によれば、操作レバー９０３１が、格納位置（原点位置）への変位中に、遊技者が誤って操作をしてレバー用モータ９０３６が過負荷となっても過負荷エラーと判定されて図３４（ｂ）に示すエラー音の出力を伴うエラー表示による異常報知が実行されるので、遊技者による誤った操作等によって可動体である操作レバー９０３１の動作が妨げられても、操作レバー９０３１の状況に応じた異常報知を行うことができる。
【０５０７】
また、前記実施例によれば、レバー操作エラーの場合の異常報知と、過負荷エラーの場合の異常報知の報知態様として、表示メッセージの態様が違うだけではなく、エラー音の出力の有無が異なるため、異常報知の態様の違いを認識し易くできるので、異常が発生した可動体の状況を容易に把握できる。
【０５０８】
また、前記実施例によれば、過負荷エラーが発生した場合には、レバー用モータ９０３６の動作（駆動）が停止されるので、レバー用モータ９０３６の故障や操作レバー９０３１の損傷を防ぐことができる。
【０５０９】
また、前記実施例によれば、操作レバーエラーや過負荷エラーが発生して、操作レバーエラーフラグや過負荷エラーフラグがセットされている場合には、操作レバー９０３１を傾倒操作可能な突出状態に変位させる操作レバー演出が実行されることがないので、異常が発生している状態で操作レバー演出が行われることで、不適切な操作レバー演出が実行されてしまうことを防ぐことができる。
【０５１０】
また、前記実施例によれば、第１可動部９０３０２が横向きに傾倒する第１退避位置と、第１退避から離れた位置において第１可動部９０３０２が縦向きに起立する第１演出位置との間で回動可能に設けられた第１可動役物９０３００や、演出表示装置９０５の側方に退避する第２退避位置（原点位置、初期位置）と演出表示装置９０５の前方における上下方向の略中央位置に配置され第２退避位置から離れた第２演出位置との間で往復移動可能に設けられた第２可動役物９０４００と、格納位置（原点位置）と操作可能位置（演出位置）との間において変位可能に設けられた操作モジュール９０Ｍ、可動体を動作させるための駆動手段としての第１可動役物駆動モータ９０３０３、第２可動役物駆動モータ９０４１１，９０４２１と、レバー用モータ９０３６と、第１可動役物駆動モータ９０３０３や第２可動役物駆動モータ９０４１１，９０４２１、レバー用モータ９０３６による可動体の動作を制御する制御手段としての演出制御用ＣＰＵ９０１２０と、を備え、演出制御用ＣＰＵ９０１２０は、第１動作制御としての非検出時動作制御や検出時動作制御と、可動体が正常に動作可能であることを確認するための第２動作制御としての実動作確認用動作制御と、可動体による可動体演出を行うための第３動作制御と、を実行可能であり、実動作確認用動作制御を実行する場合、第１速度である最低速度（低速）と該最低速度よりも速い第２速度としての最高速度（高速）との範囲内の速度で可動体が動作するように制御し、非検出時動作制御や検出時動作制御を実行する場合、第２動作制御としての実動作確認用動作制御における最低速度以下の速度で可動体が動作するように制御する。
【０５１１】
このようにすることで、第１動作制御において、可動体はいかなるタイミングでも停止可能な速度で動作するため、安全に原点位置に位置させることができる。具体的には、非検出時動作制御や検出時動作制御では、実動作確認用動作制御に比べて可動体を原点位置まで移動させる距離が短い場合があるため、非検出時動作制御や検出時動作制御における最高速度を、実動作確認用動作制御における最低速度とすることで、被検出部を検出手段により確実に検出させることができるとともに、可動体を高速で移動させたまま移動規制された衝撃で破損することを回避できる。
【０５１２】
尚、非検出時動作制御や検出時動作制御を実行する際に、実動作確認用動作制御における最低速度以下の速度で可動体が動作するように制御する場合、非検出時動作制御や検出時動作制御を実行する際に設定する制御速度と、実動作確認用動作制御において設定する最低制御速度とは同一の制御速度でもよいし異なる制御速度でもよい。
【０５１３】
また、演出制御用ＣＰＵ９０１２０は、非検出時動作制御及び検出時動作制御を実行する場合、常に予め設定された単一（一定）の動作速度、つまり、常に実動作確認用動作制御における最低速度にて第１可動役物９０３００や第２可動役物９０４００が動作するように制御する。
【０５１４】
このようにすることで、第１可動役物９０３００や第２可動役物９０４００や操作レバー９０３１を原点位置に位置させる際の速度を一定とすることができ、第１可動役物９０３００や第２可動役物９０４００や操作レバー９０３１の破損等を防ぐことができる。
【０５１５】
また、演出制御用ＣＰＵ９０１２０は、非検出時動作制御及び検出時動作制御を実行する場合、実動作確認用動作制御における最低速度（第１速度）にて第１可動役物９０３００や第２可動役物９０４００が動作するように制御する。
【０５１６】
このようにすることで、第１可動役物９０３００や第２可動役物９０４００の安全動作を確保しつつ、過度に速度を下げる（例えば、実動作確認用動作制御における最低速度よりも遅い速度とするなど）ことなく安全に動作できる最高速度（第１速度）を選択することで、非検出時動作制御や検出時動作制御の期間を短縮することができる。
【０５１７】
また、第１可動役物９０３００や第２可動役物９０４００や操作レバー９０３１が原点位置に位置していることを検出可能な検出手段としての第１可動役物原点検出センサ９０３１６、第２可動役物原点検出センサ９０４４０Ａ，９０４４０Ｂ、レバー原点検出センサ９０３８を備え、演出制御用ＣＰＵ９０１２０は、第２初期化処理におけるＳ９０１０４にて原点検出センサが検出状態ではない場合はＳ９０１０５〜Ｓ９０１１４の非検出時動作制御を実行し、Ｓ９０１０４にて原点検出センサが検出状態である場合はＳ９０１２０〜Ｓ９０１２８の検出時動作制御を実行し、非検出時動作制御を実行する場合、検出時動作制御における最低速度で可動体が動作するように制御する。
【０５１８】
このようにすることで、非検出時動作制御や検出時動作制御によって、第１可動役物原点検出センサ９０３１６や第２可動役物原点検出センサ９０４４０Ａ，９０４４０Ｂやレバー原点検出センサ９０３８の不具合の有無も把握することができる。また、非検出時動作制御を実行する場合は、可動体が原点位置の近くにあるか否かが不明であるのに対し、検出時動作制御を実行する場合は、可動体は原点位置にあることため、検出時動作制御においては、非検出時動作制御よりも速い速度であって、実動作確認用動作制御における最低速度以下の速度で動作するようにしてもよい。
【０５１９】
また、演出制御用ＣＰＵ９０１２０は、特定の異常（例えば、演出の実行時に発生した動作異常など）が発生している場合において、第２初期化処理におけるステップＳ９０１０９にて原点検出センサが検出状態でない場合、動作エラー判定回数が「３」に達するまで、実動作確認用動作制御における最低速度にて第１可動役物９０３００や第２可動役物９０４００が原点位置方向へ向けて移動するように制御する。
【０５２０】
このようにすることで、特定の異常（例えば、演出の実行時に発生した動作異常などのエラー）が発生している場合に実行される異常時動作においても、第１可動役物９０３００や第２可動役物９０４００や操作レバー９０３１を安全に動作させることができる。具体的には、例えば、演出の実行時に動作異常が発生した場合、その後に第２初期化処理が行われるときは、可動体は原点位置に復帰していないため、非検出時動作制御が実行されることになる。また、動作異常が発生した場合、第２初期化処理においても可動体は動作しないことが考えられるため、異常時動作として実動作確認用動作制御における最低速度にて第１可動役物９０３００や第２可動役物９０４００が原点位置方向へ向けて動作するように制御する。
【０５２１】
また、演出制御用ＣＰＵ９０１２０は、第２初期化処理におけるステップＳ９０２０１にて当該対象役物の原点復帰エラーの記憶が有る場合、Ｓ９０２２０に進んで実動作確認用動作制御を行わない。
【０５２２】
このようにすることで、異常によって第１可動役物９０３００や第２可動役物９０４００や操作レバー９０３１が実動作確認用動作制御中に原点位置以外で停止してしまうことを防ぐことができる。具体的には、例えば、演出の実行時に動作異常が発生した場合、第２初期化処理においても可動体は動作しないことが考えられるため、その場合は実動作確認用動作制御を実行しても駆動手段に負荷がかかるだけで無駄になるため、実動作確認用動作制御は実行しないことが好ましい。
【０５２３】
また、第１可動体としての第１可動役物９０３００、第２可動役物９０４００及び操作モジュール９０Ｍ（操作レバー９０３１）と、第２可動体としての第３可動役物９０５００とを有し、演出制御用ＣＰＵ９０１２０は、第２初期化処理におけるステップＳ９０１０２において、可動体が原点検出を行うことが必要な原点検出対象可動体であると判定した場合、非検出時動作制御または検出時動作制御と実動作確認用動作制御とを実行する一方、ステップＳ９０１０２において可動体が原点検出を行うことが必要な原点検出対象可動体でないと判定した場合、ステップＳ９０１３０に進み非検出時動作制御と検出時動作制御とを行わない。
【０５２４】
このようにすることで、必要な可動体だけ実動作確認用動作制御を行うことができ、実動作確認用動作制御による動作確認時間を短縮することができる。
【０５２５】
また、第１可動体としての第１可動役物９０３００、第２可動役物９０４００及び操作モジュール９０Ｍ（操作レバー９０３１）と、第２可動体としての第３可動役物９０５００とを有し、演出制御用ＣＰＵ９０１２０は、第１可動役物９０３００と第２可動役物９０４００と操作モジュール９０Ｍ（操作レバー９０３１）の各々の第１動作としての非検出時動作制御や検出時動作制御を実行する場合、各々の実動作確認用動作制御における最低速度にて可動体が動作するように制御し、実動作確認用動作制御の動作速度は、第１可動役物９０３００と第２可動役物９０４００と操作モジュール９０Ｍ（操作レバー９０３１）とで異なるようにする。
【０５２６】
このようにすることで、各々の可動体に応じた動作速度によって各可動体の安全動作を確保しつつ、非検出時動作制御及び検出時動作制御の期間を短縮することができる。例えば、第１可動役物９０３００と第２可動役物９０４００と操作モジュール９０Ｍ（操作レバー９０３１）とにおいて、実動作確認用動作制御において同一の制御速度を設定しても、各可動体の大きさ、重量、動作態様、動作距離、駆動機構等の違いがある場合、非検出時動作制御及び検出時動作制御を実行した場合の各可動体の実際の動作速度は異なることになる。
【０５２７】
具体的には、非検出時動作制御及び検出時動作制御において、同一の制御速度（実動作確認用動作制御において設定されている最低制御速度）を設定した場合でも、複数の可動体のうち重量が大きい可動体の実際の動作速度は、重量が小さい可動体の実際の動作速度よりも遅くなる。また、可動体を上昇させる場合、下降させる場合に比べて実際の動作速度は遅くなる。また、駆動機構として可動部を演出方向に付勢するバネ等が設けられている場合、バネが縮んでいる状態で付勢力に抗する方向に移動させる場合、バネが伸びている状態で付勢力に抗する方向に移動させる場合に比べて実際の動作速度は遅くなる。このように、非検出時動作制御及び検出時動作制御において、可動体を実動作確認用動作制御における最低速度以下の速度で可動体が動作するように制御する場合、各可動体の大きさ、重量、動作態様、動作距離、駆動機構等を考慮して、各々の実動作確認用動作制御において個別の最低制御速度を設定することが好ましい。
【０５２８】
例えば、第１可動部と第２可動部とが、原点位置に向けて移動する際に遊技者から見たときに第１可動部の手前側に第２可動部が重なるように前後に配置されるものにおいて、非検出時動作制御、検出時動作制御及び実動作確認用動作制御のいずれかを実行する際に、第１可動部及び第２可動部双方の動作制御を一緒に行う場合、第１可動部と第２可動部の動作速度（最低速度）が異なるように制御することが好ましい。このようにすることで、仮に、第１可動部と第２可動部とが何らかの理由でそれぞれ原点位置から離れた位置まで移動した状態で電源がオン状態とされ、Ｓ９０５１の第２初期化処理において第１可動部及び第２可動部双方の非検出時動作制御が一緒に実行される場合において、第１可動部及び第２可動部双方の動作速度（最低速度）が同一になるように制御されると、第２可動部により第１可動部が隠れて原点位置へ移動する状況が見え難くなるが、第１可動部と第２可動部の最低速度が異なるように制御することで、第１可動部と第２可動部とが移動する際にずれていくので、第１可動部及び第２可動部各々の原点復帰動作を確認しやすくなる。
【０５２９】
また、第１可動部と、該第１可動部よりも大きい（あるいは長い）第２可動部とを有する場合においても、第１可動部と第２可動部の動作速度（最低速度）が異なるように制御することが好ましい。このようにすることで、例えば、第２可動部よりも小さい（あるいは短い）ので目立たない第１可動部の非検出時動作制御、検出時動作制御及び実動作確認用動作制御のいずれかにおける最低速度が、第１可動部よりも大きい（あるいは長い）ので目立つ第２可動部の非検出時動作制御、検出時動作制御及び実動作確認用動作制御のいずれかにおける最低速度よりも遅くすることで、第１可動部及び第２可動部それぞれの動作を確認しやすくなる。
【０５３０】
このように、第１可動部と該第１可動部とは異なる第２可動部とを有する場合において、第１可動部と第２可動部それぞれの非検出時動作制御、検出時動作制御及び実動作確認用動作制御における動作速度（最低速度）が異なるように制御することが好ましい。尚、このように第１可動部と第２可動部の動作速度（最低速度）が異なるように制御する場合、第１可動部と第２可動部それぞれの非検出時動作制御、検出時動作制御及び実動作確認用動作制御において設定する最低制御速度は異なっていてもよいし、同一でもよい。
【０５３１】
以上、本発明の実施例を図面により説明してきたが、具体的な構成はこれら実施例に限られるものではなく、本発明の要旨を逸脱しない範囲における変更や追加があっても本発明に含まれる。
【０５３２】
例えば、前記実施例では、操作レバー９０３１が操作可能位置に変位する操作レバー演出が実行される前に、操作レバー演出が実行されることを示唆する演出等を実行しない形態を例示しているが、本発明はこれに限定されるものではなく、例えば、図３６に示すように、操作レバー演出が実行されることを示唆する演出を実行するようにしてもよい。
【０５３３】
具体的には、たとえば、前述した勝敗報知演出の実行を、操作レバー９０３１の操作だけではなく、プッシュボタン９０３１Ａの操作によっても実行可能とし、操作レバー９０３１の操作が案内されて、該操作レバー９０３１を操作して勝敗報知演出が実行された場合は、プッシュボタン９０３１Ａの操作が案内されて、該プッシュボタン９０３１Ａを操作して勝敗報知演出が実行された場合よりも、味方が勝利する勝敗報知演出が実行されて大当り図柄が導出表示される割合が高くなるように、各演出の実行を決定することで、操作レバー９０３１の操作を行う方がプッシュボタン９０３１Ａの操作を行う場合よりも、大当りとなり易いことで、操作レバー９０３１の操作の方が遊技者にとって有利とした場合を例に、図３６を用いて説明する。
【０５３４】
まず、左右の演出図柄が停止してリーチ状態が発生した後（図３６（Ａ））、バトル演出の開始されるときには、例えば、操作に関する画像として、プッシュボタン９０３１Ａの操作を示唆する「プッシュボタン９０３１Ａ」の画像を演出表示装置９０５に表示する（図３６（Ｂ））。
【０５３５】
そして、スーパーリーチ演出であるバトル演出の実行中において、「プッシュボタン９０３１Ａ」に作用する弾丸を発射するキャラクタが登場し、弾丸を発射する演出（作用演出）が実行される。但し、弾丸を発射する演出（作用演出）は、図３６（Ｃ）に示すように、弾丸が「プッシュボタン９０３１Ａ」の画像に命中しない場合もあれば、図３６（Ｄ）に示すように、弾丸が「プッシュボタン９０３１Ａ」の画像に命中する場合もあり、弾丸は、最大２回発射される。尚、図３６には例示していないが、最初に発射された弾丸が「プッシュボタン９０３１Ａ」の画像に命中する場合もあれば、２発とも「プッシュボタン９０３１Ａ」の画像に命中しない場合もある。尚、２発とも「プッシュボタン９０３１Ａ」の画像に命中しない場合には、「プッシュボタン９０３１Ａ」の表示が継続されることで、勝敗報知演出の実行に際して、プッシュボタン９０３１Ａの操作が案内される。
【０５３６】
キャラクタにより発射されたいずれかの弾丸が「プッシュボタン９０３１Ａ」の画像に命中した場合には、図３６（Ｅ）に示すように、「プッシュボタン９０３１Ａ」の画像に代えて、中間画像として「煙幕」の画像が表示された後、図３６（Ｆ）に示すように、操作レバー９０３１が突出している状態の画像が表示される。このように勝敗報知演出の実行に際して、操作レバー９０３１が操作可能位置に突出（変位）する操作レバー演出が実行されることが示唆されことで、大当りとなることへの遊技者の期待感を効果的に高めて、遊技興趣を向上できるようになるとともに、弾丸を発射して命中させる作用演出を実行することで、遊技者にとって有利な操作レバー９０３１が突出している状態の画像に変化することが解り易くなるので、遊技者の期待感を高めるための操作レバー９０３１の画像を表示する演出の演出効果を向上できる。
【０５３７】
つまり、図３６において示す変形例では、遊技者の操作（動作）を検出可能なプッシュボタン９０３１Ａや操作レバー９０３１に対応した「プッシュボタン９０３１Ａ」の画像や「操作レバー９０３１」の画像等の特定表示を演出表示装置９０５に表示する制御を演出制御用ＣＰＵ９０１２０が行い、特定表示として、第１特定表示となる「プッシュボタン９０３１Ａ」の画像と、「プッシュボタン９０３１Ａ」の画像よりも遊技者にとって有利度が高い第２特定表示となる「操作レバー９０３１」の画像を表示可能であり、「プッシュボタン９０３１Ａ」の画像を表示した後、該「プッシュボタン９０３１Ａ」の画像に作用する作用演出として、発射された弾丸が命中する演出が実行されることにより、第２特定表示となる「操作レバー９０３１」の画像を表示可能とされている。
【０５３８】
尚、図３６において示す変形例では、第１特定表示となる「プッシュボタン９０３１Ａ」の画像が、遊技者にとって有利度が高い第２特定表示となる「操作レバー９０３１」の画像にのみ変化する形態を例示しているが、本発明はこれに限定されるものではなく、これら「プッシュボタン９０３１Ａ」の画像が「操作レバー９０３１」の画像に変化する第１変化パターンに加えて、「プッシュボタン９０３１Ａ」の画像が、「プッシュボタン９０３１Ａ」の画像と同様の画像であって、色や大きさが異なることで遊技者にとって有利度が「プッシュボタン９０３１Ａ」の画像よりも高いが「操作レバー９０３１」の画像よりも低い画像（第３特定表示）に変化する第２変化パターンを有することで、第２特定表示と第３特定表示のいずれに変化するのかに遊技者を注目させることで、遊技興趣を向上できるようにしてもよい。
【０５３９】
また、前記実施例では、異常報知を異なる態様にて行う対象を、遊技者が操作可能（接触可能）な操作レバー９０３１とした形態を例示しているが、本発明はこれに限定されるものではなく、例えば、これら操作レバー以外の可動体、例えば、通常の格納位置から突出位置に変位する演出ボタンや、パチンコ遊技機９０１の上方位置や側方位置に、パチンコ遊技機９０１の前面に遊技者が接触可能または操作可能に設けられた役物（ギミック）等の可動体であってもよく、これら可動体は、１つではなく複数であってもよい。
【０５４０】
また、前記実施例では、第１報知態様として演出表示装置９０５にエラー表示のみを表示する態様とし、第２報知態様として演出表示装置９０５にエラー表示を行うとともにエラー音を出力する形態を例示しているが、本発明はこれに限定されるものではなく、例えば、第１報知態様としてはエラー表示を実行せず、第２報知態様ではエラー表示を実行するようにしてもよいし、第１報知態様として、演出表示装置９０５にエラー表示を行うともに操作レバー９０３１を振動させてエラー報知を行うとともに、第２報知態様として、演出表示装置９０５にエラー表示を行うともに操作レバー９０３１を振動させ、更にエラー音を出力する態様としたり、第２報知態様として、演出表示装置９０５にエラー表示を行うともに演出用ＬＥＤ９０９の点灯態様を異常時の点灯態様（例えば、赤の点滅）とし、更にエラー音を出力する態様としてもよく、これら第１報知態様と第２報知態様とは、態様の違いを認識できるものであれば適宜に決定すればよい。つまり、本発明における「異常報知の態様が異なる」ことには、報知を実行しない態様も１態様として含まれる。
【０５４１】
また、前記実施例では、可動体演出となる操作レバー演出の実行を制限する手法として、該操作レバー演出に対応する処理であるレバー突出処理等を実行しない形態を例示したが、本発明はこれに限定されるものではなく、異常報知が実行されている場合には、これら操作レバー演出の実行を伴うスーパーリーチの変動パターン自体を決定しないようにすることで制限したり、或いは、異常報知が実行されている場合に操作レバー演出の実行を伴うスーパーリーチの変動パターンが決定された場合には、操作レバー演出の実行を伴うバトル演出とは異なる演出を実行するように、演出を変更することで制限するようにしてもよく、これら制限する手法は、使用するメモリの記憶容量等に応じて適宜に決定すればよい。
【０５４２】
また、前記実施例では、操作レバーエラーの場合と過負荷エラーの場合とで同様の制限をする形態を例示しているが、本発明はこれに限定されるものではなく、例えば、操作レバーエラーの場合には、操作レバー演出の実行を伴うバトル演出とは異なる演出を実行し、過負荷エラーの場合には演出を実行しないようにする等のように、操作レバーエラーの場合と過負荷エラーの場合とで異なる制限を行うようにしてもよい。
【０５４３】
また、前記実施例では、遊技者の動作を検出する検出手段として、プッシュボタン９０３１Ａや操作レバー９０３１を設けた形態を例示しているが、本発明はこれに限定されるものではなく、例えば、赤外線センサや画像センサ等を用いて、例えば、手をかざす等の遊技者の動作の有無を検出するようにしてもよい。
【０５４４】
また、前記変形例では、異なる操作を、「プッシュボタン９０３１Ａ」の操作と「操作レバー９０３１」の操作とした形態を例示したが、本発明はこれに限定されるものではなく、例えば、上記したように、赤外線センサや画像センサ等を用いた場合には、例えば、異なる操作を、「プッシュボタン９０３１Ａ」の操作と、赤外線センサや画像センサ等を用いた操作（動作）としてもよい。
【０５４５】
また、前記実施例では、図３５（Ｄ）に示すように、操作レバー９０３１の操作を案内する操作案内演出を実行する形態を例示しているが、本発明はこれに限定されるものではなく、これら操作案内演出を実行しないものであってもよい。
【０５４６】
また、前記実施例では、エラー報知（異常報知）を、操作レバー９０３１が原点位置に戻されるまで継続する形態を例示しているが、本発明はこれに限定されるものではなく、例えば、所定時間の経過によってエラー報知（異常報知）を終了したり、或いは、エラー報知（異常報知）後において最初に操作レバー９０３１を動作させるときに、エラー報知（異常報知）を終了するようにしてもよい
【０５４７】
また、前記実施例では、可動体の一例として、原点位置と演出位置との間で回動可能な第１可動役物９０３００と、原点位置と演出位置との間で直線移動可能な第２可動役物９０４００と、回転軸を中心として回転可能な第３可動役物９０５００と、遊技者が操作可能な操作レバー９０３１を有する操作モジュール９０Ｍを適用した形態を例示したが、本発明はこれに限定されるものではなく、これら可動役物の動作態様（例えば、移動方向や回動方向）や設置数は上記のものに限らず種々に変更可能である。また、上記以外の動作態様にて動作する可動体を適用してもよい。
【０５４８】
また、前記実施例では、原点検出対象可動体として原点位置と演出位置との間で動作可能な第１可動役物９０３００、第２可動役物９０４００、操作レバー９０３１を有する操作モジュール９０Ｍを適用し、原点非対象役物として第３可動役物９０５００を適用した形態を例示したが、本発明はこれに限定されるものではなく、原点位置と演出位置との間で動作しない第３可動役物９０５００のような可動役物においても、第３可動部９０５０２の回転位置に原点位置を設定することにより原点検出対象可動体としてもよい。
【０５４９】
また、前記実施例では、第２初期化処理において、一の可動役物に対し第１動作制御としての非検出時動作制御または検出時動作制御を実行する形態を例示したが、本発明はこれに限定されるものではなく、少なくとも非検出時動作制御のみを実行するようにしてもよい。尚、非検出時動作制御のみを実行可能とする場合、第２初期化処理において原点検出センサにより可動役物が検出されている場合は非検出時動作制御を実行しなくてもよい。
【０５５０】
また、前記実施例では、演出制御用ＣＰＵ９０１２０が、第１動作制御としての非検出時動作制御や検出時動作制御を実行する場合、第２動作制御としての実動作確認用動作制御における最低速度と同じ速度で可動役物が動作するように制御する形態を例示したが、本発明はこれに限定されるものではなく、非検出時動作制御や検出時動作制御において、第２動作制御としての実動作確認用動作制御における最低速度以下の速度で可動役物が動作するように制御すればよく、例えば、実動作確認用動作制御における最低速度よりも遅い動作速度にて可動役物が動作するように制御してもよい。
【０５５１】
また、前記実施例では、第１動作制御である非検出時動作制御または検出時動作制御においては、常に予め設定された単一の動作速度（実動作確認用動作制御における最低速度）にて可動役物が動作する、つまり、可動役物が常に一定の速度にて動作するように制御する形態を例示したが、本発明はこれに限定されるものではなく、例えば、原点位置に復帰する際に、実動作確認用動作制御における最低速度から漸次減速させて最低速度よりも低い速度にて動作するように制御してもよい。つまり、第１動作制御である非検出時動作制御または検出時動作制御においては、実動作確認用動作制御における最低速度よりも低い速度であれば、所定の移動期間において速度が可変するようにしてもよい。
【０５５２】
また、前記実施例では、第１動作制御である非検出時動作制御または検出時動作制御においては、それぞれ同一の動作速度（実動作確認用動作制御における最低速度）にて可動役物の動作を制御する形態を例示したが、本発明はこれに限定されるものではなく、非検出時動作制御における最高速度が、検出時動作制御における最低速度以下の速度となるように制御するようになっていれば、例えば、非検出時動作制御と検出時動作制御とで異なる動作速度にて可動役物を動作させるようにしてもよい。
【０５５３】
また、前記実施例では、エラーなど特定の異常が発生している場合に可動役物が検出手段にて検出されていないとき、つまり、第２初期化処理におけるステップＳ９０１０９にて原点検出センサが検出状態でない場合、動作エラー判定回数が「３」に達するまで、実動作確認用動作制御における最低速度にて第１可動役物９０３００や第２可動役物９０４００を原点位置方向へ向けて移動させる制御を繰返し行う形態を例示したが、本発明はこれに限定されるものではなく、検出時動作制御における最低速度よりも低い速度、例えば、エラー用に設定され、比較的大きなトルクが得られる低速である特別速度で可動役物が動作するように制御するようにしてもよい。
【０５５４】
また、前記実施例では、第２初期化処理におけるステップＳ９０１２４にて原点検出センサが検出状態になっていない場合、つまり、動作対象可動体が原点位置（初期位置）に位置していない場合には、原点検出センサが検出状態になるまで、Ｓ９０１２２〜Ｓ９０１２７の処理を繰返し行う、つまり、設定されたプロセスデータに基づき、実動作確認用動作制御において設定されている最低制御速度に基づいて可動役物を検出時動作制御させる形態を例示したが、本発明はこれに限定されるものではなく、第２初期化処理におけるステップＳ９０１２４にて原点検出センサが検出状態になっていない場合には、その時点から可動役物を実動作確認用動作制御において設定されている最低制御速度に基づいて原点位置方向へ移動させる非検出時動作制御を実行するようにしてもよい。
【０５５５】
また、前記実施例では、複数の可動体として第１可動役物９０３００、第２可動役物９０４００、第３可動役物９０５００、操作モジュール９０Ｍ（操作レバー９０３１）を備え、第２初期化処理においては、非検出時動作制御、検出時動作制御、実動作確認用動作制御の実行対象とする可動体として、第１可動役物９０３００、第２可動役物９０４００、第３可動役物９０５００及び操作モジュール９０Ｍ（操作レバー９０３１）を適用した形態を例示したが、本発明はこれに限定されるものではなく、第２初期化処理において非検出時動作制御、検出時動作制御、実動作確認用動作制御の実行対象とする可動役物とは、第１可動役物９０３００、第２可動役物９０４００、操作モジュール９０Ｍ（操作レバー９０３１）、第３可動役物９０５００といった一の可動体を実行対象とするものに限らず、例えば、一の可動体が動作可能な複数の可動部を有する（例えば、第２可動役物９０４００は第２可動部９０４０１と第２可動部９０４０２とを有する）場合、これら各可動部各々を非検出時動作制御、検出時動作制御、実動作確認用動作制御の実行対象とし、各可動部を順次非検出時動作制御、検出時動作制御、実動作確認用動作制御させるようにしてもよい。
【０５５６】
また、前記実施例では、第２初期化処理における実動作確認用動作制御において、演出制御用ＣＰＵ９０１２０は、可動役物を往動作及び復動作それぞれにおいて加速及び減速して、低速→高速→低速→停止となるように制御する形態を例示したが、本発明はこれに限定されるものではなく、可動体演出時の動作制御や実動作確認用動作制御における動作速度は上記した形態に制御するものに限らず、例えば、低速→高速→低速→高速→低速→停止といったように低速と高速とを複数回繰り返すように制御してもよいし、動作速度が低速→中速→高速の順に変化するように制御してもよい。
【０５５７】
また、往動作と復動作とで動作速度の変化態様や最低速度が異なるように制御してもよい。尚、往動作と復動作とで最低速度が異なる場合、非検出時動作制御や検出時動作制御における最高速度を、実動作確認用動作制御における往動作と復動作とのうち速度が低い方の最低速度以下の速度となるように設定すればよい。
【０５５８】
また、前記実施例では、第２初期化処理における実動作確認用動作制御において、演出制御用ＣＰＵ９０１２０は、可動体を加速及び減速して動作速度を変化させる制御を行う形態を例示したが、本発明はこれに限定されるものではなく、単一の動作速度にて可動体が動作するように制御してもよい。このように単一の動作速度にて可動体が動作するように制御する場合、該単一の動作速度が、実動作確認用動作制御における最低速度となるため、非検出時動作制御や検出時動作制御における最高速度を、該最低速度以下の速度となるように設定すればよい。
【０５５９】
また、前記実施例では、第１動作としての非検出時動作制御や検出時動作制御を、パチンコ遊技機１の起動時である第２初期化処理において実行する形態を例示したが、本発明はこれに限定されるものではなく、起動時以外のタイミング（例えば、役物エラーや他の各種エラーを含むエラー処理の実行後や、図柄の変動開始時や、可動役物演出の実行後など）にて実行するようにしてもよい。
【０５６０】
また、前記実施例では、第２初期化処理における可動役物の順序データとして、第１可動役物９０３００→第２可動役物９０４００→操作モジュール９０Ｍ（操作レバー９０３１）→第３可動役物９０５００の順に非検出時動作制御または検出時動作制御や実動作確認用動作制御が実行される形態を例示したが、本発明はこれに限定されるものではなく、順序は任意であり、前述したように、上記以外の順序で各動作を実行するようにしてもよい。また、複数のうち２以上の可動役物についての非検出時動作制御、検出時動作制御及び実動作確認用動作制御のうちいずれかを並行して一緒に実行するようにしてもよい。
【０５６１】
また、全ての可動体について非検出時動作制御または検出時動作制御を実行した後に実動作確認用動作制御が実行される形態を例示したが、本発明はこれに限定されるものではなく、一の可動体の非検出時動作制御または検出時動作制御と実動作確認用動作制御とを実行した後、他の非検出時動作制御または検出時動作制御と実動作確認用動作制御とを実行するようにしてもよい。
【０５６２】
また、前記実施例では、実動作確認用プロセスデータを、実際の演出時の動作と同一の動作内容が記述されたものとした形態を例示したが、本発明はこれに限定されるものではなく、これら実動作確認用動作制御としては、実際の演出における動作速度の各動作を全て含むものであれば、完全に同一の動作でなくともよく、例えば、動作の一部が異なる複数の演出動作がある場合には、異なる複数の演出動作を全て組み込んだ確認専用の動作を記述した実動作確認用プロセスデータとしてもよい。
【０５６３】
また、前記実施例では、Ｓ９０１１３、Ｓ９０１２７、Ｓ９０２１３の動作エラー判定回数を「３」とした形態を例示したが、本発明はこれに限定されるものではなく、これら動作エラー判定回数は、「３」以外の回数に適宜に設定してもよく、Ｓ９０１１３、Ｓ９０１２７、Ｓ９０２１３各々の動作エラー判定回数を異なる回数としてもよい。
【０５６４】
また、前記実施例では、非検出時動作制御、検出時動作制御及び実動作確認用動作制御を第２初期化処理にて実行する形態を例示したが、本発明はこれに限定されるものではなく、例えば、非検出時動作制御や検出時動作制御の実行タイミングは任意に設定可能であり、例えば、可動体演出の終了後や、図柄の変動表示が開始されるときや、デモ演出を実行したときなどに実行するようにしてもよい。
【０５６５】
また、前記実施例では、遊技機の一例としてパチンコ遊技機９０１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０５６６】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【０５６７】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【０５６８】
また、前記実施例では、可動体である操作レバー９０３１がいずれも突出している状態であって、レバー用モータ９０３６が動作しておらず、操作可能位置に位置している状態を第１状態とし、操作レバー９０３１を変位させるレバー用モータ９０３６が動作しており、操作可能位置から格納位置に変位中である状態を第２状態とした形態を例示しているが、本発明はこれに限定されるものではなく、例えば、本発明の第１状態および第２状態を、いずれもレバー用モータ９０３６が動作している状態であって、操作レバー９０３１が格納位置から操作可能位置に変位中である状態を第１状態とし、操作レバー９０３１が操作可能位置から格納位置に変位中である状態を第２状態として、これら第１状態と第２状態とで異常報知の報知態様を異ならせる、つまり、遊技者の身体の一部（例えば、指）等が挟まれてしまう可能性のある第２状態の異常報知を、報知が認識される可能性が高い報知態様にて報知するようにしてもよい。尚、可動体の初期位置が、前述した実施例の操作レバー９０３１のように、格納位置ではない場合、たとえば、突出した突出位置が初期位置であって、格納された（没した）格納位置が動作位置である場合には、初期位置である突出位置から動作位置である格納位置まで変位する状態を第１状態とし、動作位置である格納位置から初期位置である突出位置まで変位する状態を第２状態とし、これら第１状態と第２状態とで異常報知の報知態様を異ならせる、つまり、遊技者の身体の一部（例えば、指）等が挟まれてしまう可能性のある第１状態の異常報知を、報知が認識される可能性が高い報知態様にて報知するようにすればよい。
【符号の説明】
【０５６９】
１          パチンコ遊技機
７          遊技領域
３２ａ      ゲートスイッチ
３３ａ      一般入賞スイッチ
９０１      パチンコ遊技機
９０３１    操作レバー
９０３６    レバー用モータ
９０３８    レバー原点検出センサ
９０１２０  演出制御用ＣＰＵ
９０３００  第１可動役物
９０３０２  第１可動部
９０３０３  第１可動役物駆動モータ
９０３１６  第１可動役物原点検出センサ
９０４００  第２可動役物
９０４０１，９０４０２  第２可動部
９０４１１，９０４２１  第２可動役物駆動モータ
９０４４０Ａ，９０４４０Ｂ  第２可動役物原点検出センサ
９０５００  第３可動役物
９０５０２  第３可動部
９０５２０  第３可動役物駆動モータ
９０Ｍ      操作モジュール
【図１】
2019122688.tif 000003
【図２】
2019122688.tif 000004
【図３】
2019122688.tif 000005
【図４】
2019122688.tif 000006
【図５】
2019122688.tif 000007
【図６】
2019122688.tif 000008
【図７】
2019122688.tif 000009
【図８】
2019122688.tif 000010
【図９】
2019122688.tif 000011
【図１０】
2019122688.tif 000012
【図１１】
2019122688.tif 000013
【図１２】
2019122688.tif 000014
【図１３】
2019122688.tif 000015
【図１４】
2019122688.tif 000016
【図１５】
2019122688.tif 000017
【図１６】
2019122688.tif 000018
【図１７】
2019122688.tif 000019
【図１８】
2019122688.tif 000020
【図１９】
2019122688.tif 000021
【図２０】
2019122688.tif 000022
【図２１】
2019122688.tif 000023
【図２２】
2019122688.tif 000024
【図２３】
2019122688.tif 000025
【図２４】
2019122688.tif 000026
【図２５】
2019122688.tif 000027
【図２６】
2019122688.tif 000028
【図２７】
2019122688.tif 000029
【図２８】
2019122688.tif 000030
【図２９】
2019122688.tif 000031
【図３０】
2019122688.tif 000032
【図３１】
2019122688.tif 000033
【図３２】
2019122688.tif 000034
【図３３】
2019122688.tif 000035
【図３４】
2019122688.tif 000036
【図３５】
2019122688.tif 000037
【図３６】
2019122688.tif 000038